(57)【要約】  5Gシステム内の端末デバイスがシステム共通PRBグリッド内のPRBの位置を取得し、5Gシステム内の端末デバイスが同じシステム帯域幅の異なるサブキャリア間隔に対応するシステム共通PRBグリッドの間の関係を取得するように、物理リソースブロックPRBグリッド指示方法およびデバイスが開示される。方法は、ネットワークデバイスによって送信された位置情報を端末デバイスによって受信するステップであって、位置情報は、同期信号ブロックPRBグリッド内の第1の所定の位置と第1のサブキャリア間隔のシステム共通PRBグリッド内の任意のPRBとの間の相対的な位置関係を示すために使用される、ステップと、第1の所定の位置および位置情報に基づいて任意のPRBの第2の所定の位置を端末デバイスによって決定するステップであって、第2の所定の位置は、システム共通PRBグリッドに含まれるPRBの位置を決定するために使用される、ステップとを含む。
2020530714.tif 000002
【特許請求の範囲】
【請求項１】
物理リソースブロックPRBグリッド指示方法であって、
ネットワークデバイスによって送信された位置情報を端末デバイスによって受信するステップであって、前記位置情報は、同期信号ブロックPRBグリッド内の第1の所定の位置と第1のサブキャリア間隔のシステム共通PRBグリッド内の指定PRBとの間の相対的な位置関係を示すために使用され、前記第1の所定の位置は、前記同期信号ブロックPRBグリッドの前記第1のサブキャリアに対応する周波数である、ステップと、
前記第1の所定の位置および前記位置情報に基づいて前記指定PRBの第2の所定の位置を前記端末デバイスによって決定するステップであって、前記第2の所定の位置は、前記システム共通PRBグリッドに含まれるPRBの位置を決定するために使用される、ステップと
を含む、物理リソースブロックPRBグリッド指示方法。
【請求項２】
ネットワークデバイスによって送信された位置情報を端末デバイスによって受信する前記ステップは、
物理ブロードキャストチャネル上で運ばれ、前記ネットワークデバイスによって送信されたブロードキャストメッセージを、前記端末デバイスによって受信することであって、前記ブロードキャストメッセージは、前記位置情報を運ぶ、受信することを含む請求項1に記載の方法。
【請求項３】
前記位置情報は、同期信号ブロックPRBグリッド内の第1の所定の位置と第1のサブキャリア間隔のシステム共通PRBグリッド内の指定PRBとの間の相対的な位置関係を示すために使用される、ということは、具体的には、
前記位置情報は、前記第1の所定の位置と前記指定PRBの前記第2の所定の位置にN個のPRBのオフセットがあることを示すために使用され、Nが、0以上であること、または
前記位置情報は、前記第1の所定の位置と前記指定PRBの前記第2の所定の位置にM個のサブキャリア間隔のオフセットがあることを示すために使用され、Mが、0以上であることである、請求項1または2に記載の方法。
【請求項４】
Nは、0または0.5を含む請求項3に記載の方法。
【請求項５】
Mは、{0, 2, 4, 6, 8, 10}のうちのいずれか1つの値を含む請求項3または4に記載の方法。
【請求項６】
前記第2の所定の位置は、前記指定PRBの境界の位置または中心の位置を含む請求項1から5のいずれか一項に記載の方法。
【請求項７】
前記第1の所定の位置および前記位置情報に基づいて前記指定PRBの第2の所定の位置を前記端末デバイスによって決定する前記ステップの後、
前記ネットワークデバイスが前記端末デバイスを前記指定PRBからQ個のPRB離れた位置にスケジューリングするとき、前記第2の所定の位置および1つのPRBの幅に基づいて前記指定PRBからQ個のPRB離れた前記位置を前記端末デバイスによって決定するステップであって、Qは、0以上の整数であり、前記PRBの前記幅は、前記第1のサブキャリア間隔と前記PRBに含まれるサブキャリアの数との積に等しい、ステップをさらに含む請求項1から6のいずれか一項に記載の方法。
【請求項８】
前記第1の所定の位置および前記位置情報に基づいて前記指定PRBの第2の所定の位置を前記端末デバイスによって決定する前記ステップの後、
前記第1のサブキャリア間隔の前記システム共通PRBグリッド内の前記指定PRBの前記第2の所定の位置に基づいて第2のサブキャリア間隔のシステム共通PRBグリッド内のPRBの位置を前記端末デバイスによって決定するステップであって、前記第2のサブキャリア間隔と前記第1のサブキャリア間隔とは異なり、前記第1のサブキャリア間隔の前記システム共通PRBグリッドと前記第2のサブキャリア間隔の前記システム共通PRBグリッドとは同じシステム帯域幅に属する、ステップをさらに含む請求項1から7のいずれか一項に記載の方法。
【請求項９】
物理リソースブロックPRBグリッド指示方法であって、
ネットワークデバイスによって端末デバイスに位置情報を送信するステップであって、前記位置情報は、同期信号ブロックPRBグリッド内の第1の所定の位置と第1のサブキャリア間隔のシステム共通PRBグリッド内の指定PRBとの間の相対的な位置関係を示すために使用され、前記第1の所定の位置は、前記同期信号ブロックPRBグリッドの前記第1のサブキャリアに対応する周波数であり、前記第1の所定の位置および前記位置情報は、前記指定PRBの第2の所定の位置を決定するために前記端末デバイスによって使用され、前記第2の所定の位置は、前記システム共通PRBグリッドに含まれるPRBの位置を決定するために使用される、ステップ
を含む、物理リソースブロックPRBグリッド指示方法。
【請求項１０】
ネットワークデバイスによって端末デバイスに位置情報を送信する前記ステップは、
物理ブロードキャストチャネル上で前記端末デバイスに運ばれるブロードキャストメッセージを前記ネットワークデバイスによって送信することであって、前記ブロードキャストメッセージは、前記位置情報を運ぶ、送信することを含む、請求項9に記載の方法。
【請求項１１】
前記位置情報は、同期信号ブロックPRBグリッド内の第1の所定の位置と第1のサブキャリア間隔のシステム共通PRBグリッド内の指定PRBとの間の相対的な位置関係を示すために使用される、ということは、具体的には、
前記位置情報は、前記第1の所定の位置と前記指定PRBの前記第2の所定の位置にN個のPRBのオフセットがあることを示すために使用され、Nが、0以上であること、または
前記位置情報は、前記第1の所定の位置と前記指定PRBの前記第2の所定の位置にM個のサブキャリア間隔のオフセットがあることを示すために使用され、Mが、0以上であることである、請求項9または10に記載の方法。
【請求項１２】
Nは、0または0.5を含む、請求項11に記載の方法。
【請求項１３】
Mは、0、2、4、6、8、および10のうちのいずれか1つの値を含む、請求項11または12に記載の方法。
【請求項１４】
前記第2の所定の位置は、前記指定PRBの境界の位置または中心の位置である、請求項9から13のいずれか一項に記載の方法。
【請求項１５】
物理リソースブロックPRBグリッド指示方法であって、
ネットワークデバイスによって端末デバイスにスケジューリング情報を送信するステップであって、前記スケジューリング情報は、指定PRB上に前記端末デバイスをスケジューリングするために前記ネットワークデバイスによって使用され、前記指定PRBは、所定の情報に基づいて決定され、システム帯域幅におけるサブキャリア間隔のシステム共通PRBグリッド内にあるPRBの位置であり、前記所定の情報は、少なくとも1つのシステム帯域幅のうちのいずれか1つの異なるサブキャリア間隔のシステム共通PRBグリッドを示すために使用される、ステップ
を含む、物理リソースブロックPRBグリッド指示方法。
【請求項１６】
前記所定の情報は、少なくとも1つのシステム帯域幅のうちのいずれか1つにおける異なるサブキャリア間隔のシステム共通PRBグリッドを示すために使用される、ということは、具体的には、
前記所定の情報は、前記少なくとも1つのシステム帯域幅のうちの前記いずれか1つにおける前記異なるサブキャリア間隔の前記システム共通PRBグリッド内のPRBの位置を示すために使用されること、または
前記所定の情報は、第1のシステム共通PRBグリッド内のPRBの位置、および前記第1のシステム共通PRBグリッドと第2のシステム共通PRBグリッドとの間の相対的な位置関係を示すために使用され、前記第1のシステム共通PRBグリッドと前記第2のシステム共通PRBグリッドとは前記少なくとも1つのシステム帯域幅の中の同じシステム帯域幅に属し、前記第1のシステム共通PRBグリッドのサブキャリア間隔と前記第2のシステム共通PRBグリッドのサブキャリア間隔とは異なることである、請求項15に記載の方法。
【請求項１７】
プロセッサ、通信モジュール、およびメモリを含む端末デバイスであって、
前記プロセッサは、以下のプロセス、すなわち、
ネットワークデバイスによって送信された位置情報を前記通信モジュールを使用することによって前記プロセッサにより受信することであって、前記位置情報は、同期信号ブロックPRBグリッド内の第1の所定の位置と第1のサブキャリア間隔のシステム共通PRBグリッド内の指定PRBとの間の相対的な位置関係を示すために使用され、前記第1の所定の位置は、前記同期信号ブロックPRBグリッドの前記第1のサブキャリアに対応する周波数である、受信すること、ならびに
前記第1の所定の位置および前記位置情報に基づいて前記指定PRBの第2の所定の位置を前記プロセッサによって決定することであって、前記第2の所定の位置は、前記システム共通PRBグリッドに含まれるPRBの位置を決定するために使用される、決定することを実行するために前記メモリ内のプログラムを読むように構成される、端末デバイス。
【請求項１８】
前記ネットワークデバイスによって送信された前記位置情報を前記通信モジュールを使用することによって受信するとき、前記プロセッサは、
物理ブロードキャストチャネル上で運ばれ、前記ネットワークデバイスによって送信されたブロードキャストメッセージを、前記通信モジュールを使用することによって受信するように特に構成され、前記ブロードキャストメッセージは、前記位置情報を運ぶ、請求項17に記載の端末デバイス。
【請求項１９】
前記位置情報は、同期信号ブロックPRBグリッド内の第1の所定の位置と第1のサブキャリア間隔のシステム共通PRBグリッド内の指定PRBとの間の相対的な位置関係を示すために使用される、ということは、具体的には、
前記位置情報は、前記第1の所定の位置と前記指定PRBの前記第2の所定の位置にN個のPRBのオフセットがあることを示すために使用され、Nが、0以上であること、または
前記位置情報は、前記第1の所定の位置と前記指定PRBの前記第2の所定の位置にM個のサブキャリア間隔のオフセットがあることを示すために使用され、Mが、0以上であることである、請求項17または18に記載の端末デバイス。
【請求項２０】
Nは、0または0.5を含む、請求項19に記載の端末デバイス。
【請求項２１】
Mは、0、2、4、6、8、および10のうちのいずれか1つの値を含む、請求項19または20に記載の端末デバイス。
【請求項２２】
前記第2の所定の位置は、前記指定PRBの境界の位置または中心の位置である、請求項17から21のいずれか一項に記載の端末デバイス。
【請求項２３】
前記プロセッサは、
前記第1の所定の位置および前記位置情報に基づいて前記指定PRBの前記第2の所定の位置を決定した後、前記ネットワークデバイスが前記端末デバイスを前記指定PRBからQ個のPRB離れた位置にスケジューリングするとき、前記第2の所定の位置および1つのPRBの幅に基づいて前記指定PRBからQ個のPRB離れた前記位置を決定するようにさらに構成され、Qは、0以上の整数であり、前記PRBの前記幅は、前記第1のサブキャリア間隔と前記PRBに含まれるサブキャリアの数との積に等しい、請求項17から22のいずれか一項に記載の端末デバイス。
【請求項２４】
前記プロセッサは、
前記第1の所定の位置および前記位置情報に基づいて前記指定PRBの前記第2の所定の位置を決定した後、前記第1のサブキャリア間隔の前記システム共通PRBグリッド内の前記指定PRBの前記第2の所定の位置に基づいて第2のサブキャリア間隔のシステム共通PRBグリッド内のPRBの位置を決定するようにさらに構成され、前記第2のサブキャリア間隔と前記第1のサブキャリア間隔とは異なり、前記第1のサブキャリア間隔の前記システム共通PRBグリッドと前記第2のサブキャリア間隔の前記システム共通PRBグリッドとは同じシステム帯域幅に属する、請求項17から23のいずれか一項に記載の端末デバイス。
【請求項２５】
プロセッサ、通信モジュール、およびメモリを含むネットワークデバイスであって、
前記プロセッサは、以下のプロセス、すなわち、
前記通信モジュールを使用することによって前記プロセッサにより端末デバイスに位置情報を送信することであって、前記位置情報は、同期信号ブロックPRBグリッド内の第1の所定の位置と第1のサブキャリア間隔のシステム共通PRBグリッド内の指定PRBとの間の相対的な位置関係を示すために使用され、前記第1の所定の位置および前記位置情報は、前記指定PRBの第2の所定の位置を決定するために前記端末デバイスによって使用され、前記第2の所定の位置は、前記システム共通PRBグリッドに含まれるPRBの位置を決定するために使用される、送信することを実行するために前記メモリ内のプログラムを読むように構成される、ネットワークデバイス。
【請求項２６】
前記通信モジュールを使用することによって前記端末デバイスに前記位置情報を送信するとき、前記プロセッサは、
物理ブロードキャストチャネル上で前記端末デバイスに運ばれるブロードキャストメッセージを前記通信モジュールを使用することによって送信するように具体的に構成され、前記ブロードキャストメッセージは、前記位置情報を運ぶ、請求項25に記載のネットワークデバイス。
【請求項２７】
前記位置情報は、同期信号ブロックPRBグリッド内の第1の所定の位置と第1のサブキャリア間隔のシステム共通PRBグリッド内の指定PRBとの間の相対的な位置関係を示すために使用される、ということは、具体的には、
前記位置情報は、前記第1の所定の位置と前記指定PRBの前記第2の所定の位置にN個のPRBのオフセットがあることを示すために使用され、Nが、0以上であること、または
前記位置情報は、前記第1の所定の位置と前記指定PRBの前記第2の所定の位置にM個のサブキャリア間隔のオフセットがあることを示すために使用され、Mが、0以上であることである、請求項25または26に記載のネットワークデバイス。
【請求項２８】
Nは、0または0.5を含む、請求項27に記載のネットワークデバイス。
【請求項２９】
Mは、0、2、4、6、8、および10のうちのいずれか1つの値を含む、請求項27または28に記載のネットワークデバイス。
【請求項３０】
前記第2の所定の位置は、前記指定PRBの境界の位置または中心の位置である、請求項25から29のいずれか一項に記載のネットワークデバイス。
【請求項３１】
前記第1の所定の位置は、以下、すなわち、
前記同期信号ブロックPRBグリッドの中心周波数、前記同期信号ブロックPRBグリッドの前記第1のサブキャリアに対応する周波数、前記同期信号ブロックPRBグリッドに対応する同期信号ブロックのキャリア周波数位置、前記同期信号ブロックPRBグリッドの前記中心周波数に最も近いサブキャリアに対応する中心周波数、および前記同期信号ブロックPRBグリッドに対応する物理チャネルの第145のサブキャリアに対応する周波数のうちのいずれか1つである、請求項25から30のいずれか一項に記載のネットワークデバイス。
【請求項３２】
プロセッサ、通信モジュール、およびメモリを含む端末デバイスであって、
前記プロセッサは、以下のプロセス、すなわち、
ネットワークデバイスによって送信されたスケジューリング情報を前記通信モジュールを使用することによって前記プロセッサにより受信することであって、前記スケジューリング情報は、指定PRB上に前記端末デバイスをスケジューリングするために前記ネットワークデバイスによって使用され、前記指定PRBは、システム帯域幅におけるサブキャリア間隔のシステム共通PRBグリッド内のPRBである、受信することと、
所定の情報に基づいて前記指定PRBの位置を前記プロセッサによって決定することであって、前記所定の情報は、少なくとも1つのシステム帯域幅のうちのいずれか1つにおける異なるサブキャリア間隔のシステム共通PRBグリッドを示すために使用される、決定することと、
を実行するために前記メモリ内のプログラムを読むように構成される、端末デバイス。
【請求項３３】
前記所定の情報は、少なくとも1つのシステム帯域幅のうちのいずれか1つにおける異なるサブキャリア間隔のシステム共通PRBグリッドを示すために使用される、ということは、具体的には、
前記所定の情報は、前記少なくとも1つのシステム帯域幅のうちの前記いずれか1つにおける前記異なるサブキャリア間隔の前記システム共通PRBグリッド内のPRBの位置を示すために使用されること、または
前記所定の情報は、第1のシステム共通PRBグリッド内のPRBの位置、および前記第1のシステム共通PRBグリッドと第2のシステム共通PRBグリッドとの間の相対的な位置関係を示すために使用され、前記第1のシステム共通PRBグリッドと前記第2のシステム共通PRBグリッドとは前記少なくとも1つのシステム帯域幅の中の同じシステム帯域幅に属し、前記第1のシステム共通PRBグリッドのサブキャリア間隔と前記第2のシステム共通PRBグリッドのサブキャリア間隔とは異なることである、請求項32に記載の端末デバイス。
【請求項３４】
前記位置情報は、前記第1の所定の位置と前記指定PRBの前記第2の所定の位置に、M個のサブキャリア間隔にN個のPRBを足したオフセットがあることを示すために使用され、前記指定PRBは、前記システム共通PRBグリッド内の制御リソース内の第1のPRBであり、MとNとの両方は、0以上であるか、または
前記位置情報は、前記第1の所定の位置と前記第2の所定の位置に、M個の第3のサブキャリア間隔にNx12個の第4のサブキャリア間隔を足したオフセットがあることを示すために使用され、前記第3のサブキャリア間隔は、M個のサブキャリア間隔に対応するサブキャリア間隔であり、前記第4のサブキャリア間隔は、前記N個のPRBに対応するサブキャリア間隔であるか、または
前記位置情報は、前記第1の所定の位置と前記第2の所定の位置にM+Nx12xA個の第3のサブキャリア間隔のオフセットがあることを示すために使用され、Aは、1、2、4、8、または16である、請求項1または2に記載の方法。
【請求項３５】
N≦2x第1の帯域幅-同期信号ブロックの帯域幅、またはN≦2x第1の帯域幅-同期信号ブロックの帯域幅-制御リソースの帯域幅であり、前記第1の帯域幅は、現在の周波数帯域内の前記端末デバイスによってサポートされる最大受信帯域幅であるか、または前記第1の帯域幅は、前記端末デバイスによってサポートされる受信帯域幅内の最大帯域幅である、請求項3から8または請求項34のいずれか一項に記載の方法。
【請求項３６】
前記指定PRBに対応するサブキャリア間隔は、前記システム共通PRBグリッドもしくは前記同期信号ブロックPRBグリッドが位置する周波数帯域内のすべてのチャネルによってサポートされる最大サブキャリア間隔であるか、または前記指定PRBに対応するサブキャリア間隔は、前記システム共通PRBグリッドもしくは前記同期信号ブロックPRBグリッドが位置する周波数帯域内のデータチャネルによってサポートされる最大サブキャリア間隔であるか、または前記指定PRBに対応するサブキャリア間隔は、30kHz、60kHz、120kHz、240kHz、もしくは480kHzのうちのいずれか1つである、請求項3から8または請求項34もしくは35のいずれか一項に記載の方法。
【請求項３７】
Mは、予め設定された値の集合のうちのいずれか1つの値であり、前記予め設定された値の集合は、{0, 1, 2, 3, 4, 5, 6, 7, 8, 9, 10, 11}または{0, 1, 2, 3, 4, 5, 6, 7, 8, 9, 10, 11, 12, 13, 14, 15, 16, 17, 18, 19, 20, 21, 22, 23}である、請求項3から8または請求項34から36のいずれか一項に記載の方法。
【請求項３８】
前記第1の所定の位置と前記第2の所定の位置との間のM個のサブキャリア間隔の前記オフセットにおけるサブキャリア間隔は、同期信号ブロックのサブキャリア間隔または前記システム共通PRBグリッドのサブキャリア間隔である、請求項3から8または請求項34から36のいずれか一項に記載の方法。
【請求項３９】
前記指定PRBは、前記システム共通PRBグリッド内の指定PRBであり、前記指定PRBは、前記システム共通グリッド内の前記第1のPRBである、請求項3から8または請求項34から38のいずれか一項に記載の方法。
【請求項４０】
前記指定PRBは、前記第1の所定の位置に最も近いPRBであるか、または前記指定PRBは、前記第1の所定の位置が位置しているシステム共通PRBであるか、または前記指定PRBは、前記システム共通PRBグリッド内の前記制御リソース内のPRBである、請求項3から8または請求項34から38のいずれか一項に記載の方法。
【請求項４１】
Mの値は、以下の式、すなわち、M=U、M=Ux2、M=Ux2+1、およびM=Ux6のうちの1つを満たしてもよく、Uは、前記位置情報であるか、またはUは、0、1、2、3、...、47のうちの値に等しくてもよく、またはUは、0、1、2、3、...、23のうちの値に等しくてもよく、またはUは、0、1、2、3、...、11のうちの値に等しくてもよく、またはUは、0、1、2、3、...、7のうちの値に等しくてもよい、請求項3から8または請求項34から38のいずれか一項に記載の方法。
【請求項４２】
前記同期信号ブロックは、プライマリ同期信号、セカンダリ同期信号、および物理ブロードキャストチャネルを含み、前記プライマリ同期信号内で同期シーケンス変調信号を運ぶサブキャリアの数と前記物理ブロードキャストチャネル内で物理ブロードキャストチャネル変調信号を運ぶサブキャリアの数とは異なり、前記セカンダリ同期信号内で同期シーケンス変調信号を運ぶサブキャリアの数と前記物理ブロードキャストチャネル内で物理ブロードキャストチャネル変調信号を運ぶサブキャリアの前記数とは異なり、周波数領域において、前記プライマリ同期信号内で同期シーケンス変調信号を運ぶ前記第1のサブキャリアおよび前記セカンダリ同期信号内で同期シーケンス変調信号を運ぶ前記第1のサブキャリアのうちの少なくとも一方は、前記物理ブロードキャストチャネル内で物理ブロードキャストチャネル変調信号を運ぶ第1のサブキャリアと同じ周波数を有する、請求項1から16もしくは請求項34から41のいずれか一項に記載の方法、または請求項17から24もしくは請求項32および33のいずれか一項に記載の端末デバイス、または請求項25から31のいずれか一項に記載のネットワークデバイス。
【請求項４３】
前記同期信号ブロックは、プライマリ同期信号、セカンダリ同期信号、および物理ブロードキャストチャネルを含み、前記プライマリ同期信号内で同期シーケンス変調信号を運ぶサブキャリアの数と前記物理ブロードキャストチャネル内で物理ブロードキャストチャネル変調信号を運ぶサブキャリアの数とは異なり、前記セカンダリ同期信号内で同期シーケンス変調信号を運ぶサブキャリアの数と前記物理ブロードキャストチャネル内で物理ブロードキャストチャネル変調信号を運ぶサブキャリアの前記数とは異なり、周波数領域において、前記プライマリ同期信号内で同期シーケンス変調信号を運ぶ最後のサブキャリアおよび前記セカンダリ同期信号内で同期シーケンス変調信号を運ぶ最後のサブキャリアのうちの少なくとも一方は、前記物理ブロードキャストチャネル内で物理ブロードキャストチャネル変調信号を運ぶ最後のサブキャリアと同じ周波数を有する、請求項1から16もしくは請求項34から41のいずれか一項に記載の方法、または請求項17から24もしくは請求項32および33のいずれか一項に記載の端末デバイス、または請求項25から31のいずれか一項に記載のネットワークデバイス。
【請求項４４】
前記同期信号ブロックは、プライマリ同期信号、セカンダリ同期信号、および物理ブロードキャストチャネルを含み、前記プライマリ同期信号内で同期シーケンス変調信号を運ぶサブキャリアの数と前記物理ブロードキャストチャネル内で物理ブロードキャストチャネル変調信号を運ぶサブキャリアの数とは異なり、前記セカンダリ同期信号内で同期シーケンス変調信号を運ぶサブキャリアの数と前記物理ブロードキャストチャネル内で物理ブロードキャストチャネル変調信号を運ぶサブキャリアの前記数とは異なり、周波数領域において、物理ブロードキャストチャネル変調信号を運ぶ第1のサブキャリアと、前記プライマリ同期信号内で同期シーケンス変調信号を運ぶ前記第1のサブキャリアおよび前記セカンダリ同期信号内で同期シーケンス変調信号を運ぶ前記第1のサブキャリアのうちの少なくとも一方とは、周波数の第5のオフセット値を有し、前記第5のオフセット値は、PRBの整数倍であり、6個のPRBでないか、または周波数領域において、前記物理ブロードキャストチャネル内で物理ブロードキャストチャネル変調信号を運ぶ最後のサブキャリアと、前記プライマリ同期信号内で同期シーケンス変調信号を運ぶ最後のサブキャリアおよび前記セカンダリ同期信号内で同期シーケンス変調信号を運ぶ最後のサブキャリアのうちの少なくとも一方とは、周波数の第5のオフセット値を有し、前記第5のオフセット値は、PRBの整数倍であり、6個のPRBでない、請求項1から16もしくは請求項34から41のいずれか一項に記載の方法、または請求項17から24もしくは請求項32および33のいずれか一項に記載の端末デバイス、または請求項25から31のいずれか一項に記載のネットワークデバイス。
【請求項４５】
前記同期信号ブロックは、プライマリ同期信号、セカンダリ同期信号、および物理ブロードキャストチャネルを含み、前記同期信号ブロックの物理リソースブロック(physical resource block、PRB)グリッドは、A個のPRBを含み、前記プライマリ同期信号内で同期シーケンス変調信号を運ぶサブキャリアの数は、Bであり、前記セカンダリ同期信号内で同期シーケンス変調信号を運ぶサブキャリアの数は、Bであり、物理ブロードキャストチャネル信号内で物理ブロードキャストチャネル変調信号を運ぶサブキャリアの数は、Cであり、A、B、およびCは、正の整数であり、Bは、Cと等しくなく、周波数領域において、前記プライマリ同期信号内で同期シーケンス変調信号を運ぶ前記第1のサブキャリアおよび前記セカンダリ同期信号内で同期シーケンス変調信号を運ぶ前記第1のサブキャリアのうちの少なくとも一方は、前記物理ブロードキャストチャネル内で物理ブロードキャストチャネル変調信号を運ぶ第Dのサブキャリアと同じ周波数を有するか、または位置を揃えられ、Dは、1以上、C-B+1以下の整数であるが、73に等しくなく、またはDは、1以上、C-B+1以下の整数であり、12の整数倍+1であるが、73に等しくない、請求項1から16もしくは請求項34から41のいずれか一項に記載の方法、または請求項17から24もしくは請求項32および33のいずれか一項に記載の端末デバイス、または請求項25から31のいずれか一項に記載のネットワークデバイス。
【請求項４６】
前記同期信号ブロックは、プライマリ同期信号、セカンダリ同期信号、および物理ブロードキャストチャネルを含み、前記同期信号ブロックは、時間領域において複数のOFDMシンボルを占有し、前記同期信号ブロックの第2のOFDMシンボルおよび第3のOFDMシンボルは、連続しておらず、前記第2のシンボルと前記第3のシンボルとの間の距離は、1 OFDMシンボルである、請求項1から16もしくは請求項34から41のいずれか一項に記載の方法、または請求項17から24もしくは請求項32および33のいずれか一項に記載の端末デバイス、または請求項25から31のいずれか一項に記載のネットワークデバイス。
【請求項４７】
前記同期信号ブロックは、プライマリ同期信号、セカンダリ同期信号、および物理ブロードキャストチャネルを含み、前記同期信号ブロックは、時間領域において複数のOFDMシンボルを占有し、前記同期信号ブロックの第3のOFDMシンボルおよび第4のOFDMシンボルは、連続しておらず、前記第3のシンボルと前記第4のシンボルとの間の距離は、1 OFDMシンボルである、請求項1から16もしくは請求項34から41のいずれか一項に記載の方法、または請求項17から24もしくは請求項32および33のいずれか一項に記載の端末デバイス、または請求項25から31のいずれか一項に記載のネットワークデバイス。
【請求項４８】
コンピュータプログラムを含むコンピュータ可読記憶媒体であって、コンピュータ上で実行されるときに、前記コンピュータプログラムは、前記コンピュータが請求項1から8のいずれか一項に記載の方法を実行することを可能にする、コンピュータ可読記憶媒体。
【請求項４９】
コンピュータプログラムを含むコンピュータ可読記憶媒体であって、コンピュータ上で実行されるときに、前記コンピュータプログラムは、前記コンピュータが請求項9から14のいずれか一項に記載の方法を実行することを可能にする、コンピュータ可読記憶媒体。
【請求項５０】
コンピュータプログラムを含むコンピュータ可読記憶媒体であって、コンピュータ上で実行されるときに、前記コンピュータプログラムは、前記コンピュータが請求項15または請求項16に記載の方法を実行することを可能にする、コンピュータ可読記憶媒体。
【請求項５１】
コンピュータプログラムコードを含み、コンピュータ上で実行されるときに、前記コンピュータプログラムコードは、前記コンピュータが請求項1から8のいずれか一項に記載の方法を実行することを可能にするコンピュータプログラム製品。
【請求項５２】
コンピュータプログラムコードを含み、コンピュータ上で実行されるときに、前記コンピュータプログラムコードは、前記コンピュータが請求項9から14のいずれか一項に記載の方法を実行することを可能にするコンピュータプログラム製品。
【請求項５３】
コンピュータプログラムコードを含み、コンピュータ上で実行されるときに、前記コンピュータプログラムコードは、前記コンピュータが請求項15または請求項16に記載の方法を実行することを可能にするコンピュータプログラム製品。
【請求項５４】
メモリおよび1つまたは複数のプロセッサを含む端末デバイスであって、前記メモリは、前記1つまたは複数のプロセッサに結合され、前記1つまたは複数のプロセッサは、請求項1から8のいずれか一項に記載の方法を実行するように構成される、端末デバイス。
【請求項５５】
1つまたは複数のプロセッサを含む端末デバイスであって、前記1つまたは複数のプロセッサは、メモリに結合され、前記メモリ内の命令を読み、前記命令に従って請求項1から8のいずれか一項に記載の方法を実行するように構成される、端末デバイス。
【請求項５６】
メモリおよび1つまたは複数のプロセッサを含むネットワークデバイスであって、前記メモリは、前記1つまたは複数のプロセッサに結合され、前記1つまたは複数のプロセッサは、請求項9から14のいずれか一項に記載の方法を実行するように構成される、ネットワークデバイス。
【請求項５７】
1つまたは複数のプロセッサを含むネットワークデバイスであって、前記1つまたは複数のプロセッサは、メモリに結合され、前記メモリ内の命令を読み、前記命令に従って請求項9から14のいずれか一項に記載の方法を実行するように構成される、ネットワークデバイス。
【請求項５８】
メモリおよび1つまたは複数のプロセッサを含むネットワークデバイスであって、前記メモリは、前記1つまたは複数のプロセッサに結合され、前記1つまたは複数のプロセッサは、請求項15または請求項16に記載の方法を実行するように構成される、ネットワークデバイス。
【請求項５９】
1つまたは複数のプロセッサを含むネットワークデバイスであって、前記1つまたは複数のプロセッサは、メモリに結合され、前記メモリ内の命令を読み、前記命令に従って請求項15または請求項16に記載の方法を実行するように構成される、ネットワークデバイス。
【請求項６０】
請求項1から8のいずれか一項に記載の方法を実施するためにメモリ内の命令を実行するように構成されたプロセッサを含む、チップ。
【請求項６１】
請求項9から14のいずれか一項に記載の方法を実施するためにメモリ内の命令を実行するように構成されたプロセッサを含む、チップシステム。
【請求項６２】
請求項15または請求項16に記載の方法を実施するためにメモリ内の命令を実行するように構成されたプロセッサを含む、チップシステム。
【発明の詳細な説明】
【技術分野】
【０００１】
本出願は、2017年8月11日に中国専利局に出願した「PHYSICAL RESOURCE BLOCK PRB GRID INDICATION METHOD AND DEVICE」なる名称の中国特許出願第201710687963.7号、2017年9月9日に中国専利局に出願した「PHYSICAL RESOURCE BLOCK PRB GRID INDICATION METHOD AND DEVICE」なる名称の中国特許出願第201710808132.0号、および2017年9月30日に中国専利局に出願した「PHYSICAL RESOURCE BLOCK PRB GRID INDICATION METHOD AND DEVICE」なる名称の中国特許出願第201710944153.5号に基づく優先権を主張するものであり、これらの特許出願の全体が参照により本明細書に組み込まれる。
【０００２】
本出願は、ワイヤレス通信技術の分野に関し、特に、物理リソースブロックPRBグリッド指示方法および装置に関する。
【背景技術】
【０００３】
ワイヤレス通信システムが発達し、進化するにつれて、第5世代(5th Generation、5G)新無線が定義されつつある。5G新無線は、同期信号(synchronized signal、SS)ブロックの構造を定義した。同期信号ブロックは、プライマリ同期信号(primary synchronized signal、PSS)、セカンダリ同期信号(secondary synchronized signal、SSS)、および物理ブロードキャストチャネルを含み、同期信号ブロックの物理リソースブロック(physical resource block、PRB)グリッドは、24個のPRBを含む。5G新無線は、異なるシステム帯域幅の異なるサブキャリア間隔に対応するシステム共通PRBグリッド(system common PRB grid)に含まれるPRBの数をさらに定義した。
【０００４】
現在は、ネットワークデバイスによって送信された同期信号ブロックを受信した後、端末デバイスは、同期信号ブロックのPBCHから同期信号ブロックのPRBグリッドを取得することができる。しかし、現在、5G新無線は、端末デバイスによってシステム共通PRBグリッド内のPRBの位置を取得するための方法をまだ定義しておらず、また、5G新無線は、異なるシステム帯域幅の異なるサブキャリア間隔に対応するシステム共通PRBグリッドの構造をまだ定義していない。
【発明の概要】
【課題を解決するための手段】
【０００５】
本出願の実施形態は、PRBグリッド指示方法およびデバイスを提供し、それによって、5Gシステム内の端末デバイスはシステム共通PRBグリッド内のPRBの位置を取得し、5Gシステムにおける異なるシステム帯域幅の異なるサブキャリア間隔に対応するシステム共通PRBグリッドの構造が定義される。
【０００６】
第1の態様によれば、本出願の実施形態は、
ネットワークデバイスによって送信された位置情報を端末デバイスによって受信するステップであって、位置情報は、同期信号ブロックPRBグリッド内の第1の所定の位置と第1のサブキャリア間隔のシステム共通PRBグリッド内の任意のPRBとの間の相対的な位置関係を示すために使用される、ステップと、
第1の所定の位置および位置情報に基づいて任意のPRBの第2の所定の位置を端末デバイスによって決定するステップであって、第2の所定の位置は、システム共通PRBグリッドに含まれるPRBの位置を決定するために使用される、ステップとを含むPRBグリッド指示方法を提供する。
【０００７】
同期信号ブロックPRBグリッド内の第1の所定の位置は、同期信号ブロックPRBグリッド内の予め定義された位置であり、限定されない。第1のサブキャリア間隔は、予め定義されたサブキャリア間隔である。たとえば、第1のサブキャリア間隔は、15kHz、30kHz、および60kHzのサブキャリア間隔のうちの1つでありうる。
【０００８】
上述の方法において、ネットワークデバイスは、端末デバイスに位置情報を送信し、位置情報は、同期信号ブロックPRBグリッド内の第1の所定の位置と第1のサブキャリア間隔のシステム共通PRBグリッド内の任意のPRBとの間の相対的な位置関係を示すために使用され、端末デバイスは、同期信号ブロックPRBグリッド内の第1の所定の位置および位置情報に基づいて第1のサブキャリア間隔のシステム共通PRBグリッド内の任意のPRBの第2の所定の位置を決定してもよく、第2の所定の位置は、システム共通PRBグリッドに含まれるPRBの位置を決定するために使用される。したがって、5Gシステム内の端末デバイスが、システム共通PRBグリッド内のPRBの位置を取得することができる。
【０００９】
実装において、端末デバイスは、物理ブロードキャストチャネル上で運ばれ、ネットワークデバイスによって送信されたブロードキャストメッセージを受信し、ブロードキャストメッセージは、位置情報を運ぶ。
【００１０】
上述の方法を使用することによって、端末デバイスは、ネットワークデバイスから位置情報を取得することができる。
【００１１】
実装において、位置情報は、以下の2つの方法で表され得る。
【００１２】
1つの位置情報表現方法において、位置情報は、同期信号ブロックPRBグリッド内の第1の所定の位置と第1のサブキャリア間隔のシステム共通PRBグリッド内の任意のPRBにN個のPRBのオフセットがあることを示すために使用され、Nは、0以上である。たとえば、Nは、0.5または0である。オフセットは、左のオフセットまたは右のオフセットでありうる。
【００１３】
このようにして、端末デバイスが位置情報を受信した後、第1のサブキャリア間隔のシステム共通PRBグリッド内の任意のPRBを取得するために、同期信号ブロックPRBグリッド内の第1の所定の位置が、左にまたは右にN個のPRBだけオフセットされ得る。
【００１４】
もう1つの位置情報表現方法において、位置情報は、同期信号ブロックPRBグリッド内の第1の所定の位置と第1のサブキャリア間隔のシステム共通PRBグリッド内の任意のPRBにはM個のサブキャリア間隔のオフセットがあることを示すために使用され、Mは、0以上である。たとえば、Mは、0、2、6、または8である。オフセットは、左のオフセットまたは右のオフセットでありうる。
【００１５】
このようにして、端末デバイスが位置情報を受信した後、第1のサブキャリア間隔のシステム共通PRBグリッド内の任意のPRBを取得するために、同期信号ブロックPRBグリッド内の第1の所定の位置が、左にまたは右にM個のサブキャリア間隔だけオフセットされ得る。
【００１６】
実装において、システム共通PRBグリッド内の第2の所定の位置は、システム共通PRBグリッド内の任意の位置として設定され得る。たとえば、第2の所定の位置は、任意のPRBの境界の位置または中心の位置でありうる。
【００１７】
実装において、第1の所定の位置は、以下、すなわち、
同期信号ブロックPRBグリッドの中心周波数、同期信号ブロックPRBグリッドの第1のサブキャリアに対応する周波数、同期信号ブロックPRBグリッドに対応する同期信号ブロックのキャリア周波数位置、同期信号ブロックPRBグリッドの中心周波数に最も近いサブキャリアに対応する中心周波数、および同期信号ブロックPRBグリッドに対応する物理チャネルの第145のサブキャリアに対応する周波数のうちのいずれか1つである。
【００１８】
実装において、端末デバイスがシステム共通PRBグリッドに含まれるPRBの位置を決定することは、複数のシナリオに適用しうる。シナリオにおいて、端末デバイスがシステム共通PRBグリッドに含まれるPRBの位置を決定した後、ネットワークデバイスがシステム共通PRBグリッド内の任意のPRBからQ個のPRB離れた位置に端末デバイスをスケジューリングする場合、端末デバイスは、第1のサブキャリア間隔のシステム共通PRBグリッド内の任意のPRBの第2の所定の位置および1つのPRBの幅に基づいて任意のPRBからQ個のPRB離れた位置を決定してもよく、Qは、0以上の整数であり、そして、端末デバイスは、スケジューリング位置(scheduling location)においてネットワークデバイスによってスケジューリングされ得る。
【００１９】
実装において、第1の所定の位置および位置情報に基づいて任意のPRBの第2の所定の位置を決定した後、端末デバイスは、第1のサブキャリア間隔のシステム共通PRBグリッド内の任意のPRBの第2の所定の位置に基づいて第2のサブキャリア間隔のシステム共通PRBグリッド内のPRBの位置を決定し、第2のサブキャリア間隔と第1のサブキャリア間隔とは異なり、第1のサブキャリア間隔のシステム共通PRBグリッドと第2のサブキャリア間隔のシステム共通PRBグリッドとは同じシステム帯域幅に属する。
【００２０】
上述の方法において、同じシステム帯域幅の異なるサブキャリア間隔に対応するPRBの幅の間に複数の関係が存在する。たとえば、同じシステム帯域幅について、30kHzのサブキャリア間隔の1つのPRBは、15kHzのサブキャリア間隔の1つのPRBの2倍の幅であり、60kHzのサブキャリア間隔の1つのPRBは、15kHzのサブキャリア間隔の1つのPRBの4倍の幅である。したがって、複数の関係に基づいて、第2のサブキャリア間隔のシステム共通PRBグリッドに含まれるPRBの位置が、第1のサブキャリア間隔のシステム共通PRBグリッドに含まれるPRBの位置に基づいて決定され得る。
【００２１】
第2の態様によれば、本出願の実施形態は、
ネットワークデバイスによって端末デバイスに位置情報を送信するステップであって、位置情報は、同期信号ブロックPRBグリッド内の第1の所定の位置と第1のサブキャリア間隔のシステム共通PRBグリッド内の任意のPRBとの間の相対的な位置関係を示すために使用され、第1の所定の位置および位置情報は、任意のPRBの第2の所定の位置を決定するために端末デバイスによって使用され、第2の所定の位置は、システム共通PRBグリッドに含まれるPRBの位置を決定するために使用される、ステップを含むPRBグリッド指示方法を提供する。
【００２２】
上述の方法において、ネットワークデバイスは、端末デバイスに位置情報を送信し、位置情報は、同期信号ブロックPRBグリッド内の第1の所定の位置と第1のサブキャリア間隔のシステム共通PRBグリッド内の任意のPRBとの間の相対的な位置関係を示すために使用され、端末デバイスは、同期信号ブロックPRBグリッド内の第1の所定の位置および位置情報に基づいて第1のサブキャリア間隔のシステム共通PRBグリッド内の任意のPRBの第2の所定の位置を決定してもよく、第2の所定の位置は、システム共通PRBグリッドに含まれるPRBの位置を決定するために使用される。したがって、5Gシステム内の端末デバイスが、システム共通PRBグリッド内のPRBの位置を取得することができる。
【００２３】
実装において、ネットワークデバイスは、物理ブロードキャストチャネル上で端末デバイスに運ばれるブロードキャストメッセージを送信し、ブロードキャストメッセージは、位置情報を運ぶ。
【００２４】
実装において、位置情報は、同期信号ブロックPRBグリッド内の第1の所定の位置と第1のサブキャリア間隔のシステム共通PRBグリッド内の任意のPRBとの間の相対的な位置関係を示すために使用される、ということは、具体的には、
位置情報は、第1の所定の位置と任意のPRBの第2の所定の位置にN個のPRBのオフセットがあることを示すために使用され、Nが、0以上であること、または
位置情報は、第1の所定の位置と任意のPRBの第2の所定の位置にM個のサブキャリア間隔のオフセットがあることを示すために使用され、Mが、0以上であることである。
【００２５】
実装において、第2の所定の位置は、任意のPRBの境界の位置または中心の位置である。
【００２６】
実装において、第1の所定の位置は、以下、すなわち、
同期信号ブロックPRBグリッドの中心周波数、同期信号ブロックPRBグリッドの第1のサブキャリアに対応する周波数、同期信号ブロックPRBグリッドに対応する同期信号ブロックのキャリア周波数位置、同期信号ブロックPRBグリッドの中心周波数に最も近いサブキャリアに対応する中心周波数、および同期信号ブロックPRBグリッドに対応する物理チャネルの第145のサブキャリアに対応する周波数のうちのいずれか1つである。
【００２７】
第3の態様によれば、本出願の実施形態は、
ネットワークデバイスによって送信されたスケジューリング情報を端末デバイスによって受信するステップであって、スケジューリング情報は、指定PRB上に端末デバイスをスケジューリングするためにネットワークデバイスによって使用され、指定PRBは、システム帯域幅におけるサブキャリア間隔のシステム共通PRBグリッド内のPRBである、ステップと、
所定の情報に基づいて指定PRBの位置を端末デバイスによって決定するステップであって、所定の情報は、少なくとも1つのシステム帯域幅のうちのいずれか1つにおける異なるサブキャリア間隔のシステム共通PRBグリッドを示すために使用される、ステップと含む物理リソースブロックPRBグリッド指示方法を提供する。
【００２８】
指定PRBは、システム帯域幅におけるサブキャリア間隔のシステム共通PRBグリッド内のPRBである。この場合、指定PRBに対応するシステム帯域幅およびサブキャリア間隔が知られ、システム共通PRBグリッド内の指定PRBのシーケンス番号(sequence number)も知られる。
【００２９】
所定の情報は、この実施形態において定義される異なるシステム帯域幅の異なるサブキャリア間隔のシステム共通PRBグリッドに基づく。この実施形態において定義される異なるシステム帯域幅の異なるサブキャリア間隔のシステム共通PRBグリッドは、将来のプロトコルで指定されえ、この場合、ネットワークデバイスおよび端末デバイスは、この実施形態において定義されるシステム共通PRBグリッドを知っていた。あるいは、ネットワークデバイスが、この実施形態において定義されるシステム共通PRBグリッドを知っており、ネットワークデバイスが、端末デバイスにこの実施形態において定義されるシステム共通PRBグリッドを通知する。これは、この実施形態において限定されない。
【００３０】
上述の方法を使用することによって、端末デバイスは、所定の情報、すなわち、この実施形態において定義される異なるシステム帯域幅の異なるサブキャリア間隔のシステム共通PRBグリッドに基づいて任意のPRBの位置を決定することができる。この実施形態において定義される異なるシステム帯域幅の異なるサブキャリア間隔のシステム共通PRBグリッドは、ネットワークデバイスが端末デバイスをスケジューリングするシナリオに適用しうるだけでなく、他のシナリオにも適用し得ることに留意されたい。これは、この実施形態において限定されない。
【００３１】
実装において、所定の情報は、少なくとも1つのシステム帯域幅のうちのいずれか1つにおける異なるサブキャリア間隔のシステム共通PRBグリッドを示すために使用される、ということは、具体的には、
所定の情報は、少なくとも1つのシステム帯域幅のうちのいずれか1つにおける異なるサブキャリア間隔のシステム共通PRBグリッド内のPRBの位置を示すために使用されること、または
所定の情報は、第1のシステム共通PRBグリッド内のPRBの位置、および第1のシステム共通PRBグリッドと第2のシステム共通PRBグリッドとの間の相対的な位置関係を示すために使用され、第1のシステム共通PRBグリッドと第2のシステム共通PRBグリッドとは少なくとも1つのシステム帯域幅の中の同じシステム帯域幅に属し、第1のシステム共通PRBグリッドのサブキャリア間隔と第2のシステム共通PRBグリッドのサブキャリア間隔とは異なることである。
【００３２】
第4の態様によれば、本出願の実施形態は、端末デバイスを提供し、端末デバイスは、第1の態様において提供される方法の例における端末デバイスの挙動を実施する機能を有する。機能は、ハードウェアによって実施されてもよく、または対応するソフトウェアを実行するハードウェアによって実施されてもよい。ハードウェアまたはソフトウェアは、上述の機能に対応する1つまたは複数のモジュールを含む。
【００３３】
可能な実装において、端末デバイスの構造は、処理ユニットおよびトランシーバユニットを含み、処理ユニットは、上述の方法において対応する機能を実行する際に端末デバイスをサポートするように構成される。トランシーバユニットは、端末デバイスと(ネットワークデバイスを含む)他のデバイスとの間の通信をサポートするように構成される。端末デバイスは、ストレージユニットをさらに含んでもよく、ストレージユニットは、処理ユニットに結合され、端末デバイスのために必要なプログラム命令およびデータを記憶する。
【００３４】
他の可能な実装において、端末デバイスの構造は、メモリ、プロセッサ、および通信モジュールを含む。メモリは、コンピュータ可読プログラムを記憶するように構成され、プロセッサは、第1の態様において端末デバイスによって実行された上述の方法を実行するために、メモリに記憶された命令を呼び出し、通信モジュールは、プロセッサの制御の下でデータを送信および/または受信するように構成される。
【００３５】
例として、処理ユニットは、プロセッサであってもよく、トランシーバユニットは、通信モジュールであってもよく、ストレージユニットは、メモリであってもよい。通信モジュールは、複数の構成要素であってもよく、すなわち、送信器および受信器を含むか、または通信インターフェースを含み、通信インターフェースは、送信および受信機能を有する。
【００３６】
第5の態様によれば、本出願の実施形態は、コンピュータ記憶媒体をさらに提供する。記憶媒体は、ソフトウェアプログラムを記憶し、1つまたは複数のプロセッサによって読まれ、実行されるとき、ソフトウェアプログラムは、第1の態様において提供されるPRBグリッド指示方法において端末デバイスによって実行される方法を実施することができる。
【００３７】
第6の態様によれば、本出願の実施形態は、PRBグリッド指示装置をさらに提供する。装置は、チップを含み、チップは、第1の態様において提供されるPRBグリッド指示方法において端末デバイスによって実行される方法を実行するように構成される。装置は、通信モジュールをさらに含んでもよく、装置に含まれるチップは、端末デバイスへの干渉を減らすために上述の方法において端末デバイスによってデータを送信および/または受信するための方法を、通信モジュールを使用することによって実行する。
【００３８】
第7の態様によれば、本出願の実施形態は、命令を含むコンピュータプログラム製品をさらに提供し、コンピュータ上で実行されるとき、コンピュータプログラム製品は、コンピュータが第1の態様において提供されるPRBグリッド指示方法において端末デバイスによって実行される方法を実行することを可能にする。
【００３９】
第8の態様によれば、本出願の実施形態は、ネットワークデバイスを提供し、ネットワークデバイスは、第2の態様において提供される方法の例におけるネットワークデバイスの挙動を実施する機能を有する。機能は、ハードウェアによって実施されてもよく、または対応するソフトウェアを実行するハードウェアによって実施されてもよい。ハードウェアまたはソフトウェアは、上述の機能に対応する1つまたは複数のモジュールを含む。
【００４０】
可能な実装において、ネットワークデバイスの構造は、処理ユニットおよびトランシーバユニットを含み、処理ユニットは、上述の方法において対応する機能を実行する際にネットワークデバイスをサポートするように構成される。トランシーバユニットは、ネットワークデバイスと(端末デバイスを含む)他のデバイスとの間の通信をサポートするように構成される。ネットワークデバイスは、ストレージユニットをさらに含んでもよく、ストレージユニットは、処理ユニットに結合され、ネットワークデバイスのために必要なプログラム命令およびデータを記憶する。
【００４１】
他の可能な実装において、ネットワークデバイスの構造は、メモリ、プロセッサ、および通信モジュールを含む。メモリは、コンピュータ可読プログラムを記憶するように構成され、プロセッサは、第2の態様においてネットワークデバイスによって実行された上述の方法を実行するために、メモリに記憶された命令を呼び出し、通信モジュールは、プロセッサの制御の下でデータを送信および/または受信するように構成される。
【００４２】
例として、処理ユニットは、プロセッサであってもよく、トランシーバユニットは、通信モジュールであってもよく、ストレージユニットは、メモリであってもよい。通信モジュールは、複数の構成要素であってもよく、すなわち、送信器および受信器を含むか、または通信インターフェースを含み、通信インターフェースは、送信および受信機能を有する。
【００４３】
第9の態様によれば、本出願の実施形態は、コンピュータ記憶媒体をさらに提供する。記憶媒体は、ソフトウェアプログラムを記憶し、1つまたは複数のプロセッサによって読まれ、実行されるとき、ソフトウェアプログラムは、第2の態様において提供されるPRBグリッド指示方法においてネットワークデバイスによって実行される方法を実施することができる。
【００４４】
第10の態様によれば、本出願の実施形態は、PRBグリッド指示装置をさらに提供する。装置は、チップを含み、チップは、第2の態様において提供されるPRBグリッド指示方法においてネットワークデバイスによって実行される方法を実行するように構成される。装置は、通信モジュールをさらに含んでもよく、装置に含まれるチップは、ネットワークデバイスへの干渉を減らすために上述の方法においてネットワークデバイスによってデータを送信および/または受信するための方法を通信モジュールを使用することによって実行する。
【００４５】
第11の態様によれば、本出願の実施形態は、命令を含むコンピュータプログラム製品をさらに提供し、コンピュータ上で実行されるとき、コンピュータプログラム製品は、コンピュータが第2の態様において提供されるPRBグリッド指示方法においてネットワークデバイスによって実行される方法を実行することを可能にする。
【００４６】
第12の態様によれば、本出願の実施形態は、通信システムをさらに提供し、通信システムは、端末デバイスおよびネットワークデバイスを含む。端末デバイスは、第1の態様において提供されるPRBグリッド指示方法において端末デバイスによって実行される方法を実行するように構成され、端末デバイスは、第4の態様において提供される端末デバイスと同じデバイスであってよい。ネットワークデバイスは、第2の態様において提供されるPRBグリッド指示方法においてネットワークデバイスによって実行される方法を実行するように構成され、ネットワークデバイスは、第8の態様において提供されるネットワークデバイスと同じデバイスであってよい。本出願の実施形態において提供されるPRBグリッド指示方法は、通信システムを使用することによって実施され得る。
【００４７】
第12の態様によれば、本出願の実施形態は、端末デバイスを提供し、端末デバイスは、第3の態様において提供される方法の例における端末デバイスの挙動を実施する機能を有する。機能は、ハードウェアによって実施されてもよく、または対応するソフトウェアを実行するハードウェアによって実施されてもよい。ハードウェアまたはソフトウェアは、上述の機能に対応する1つまたは複数のモジュールを含む。
【００４８】
可能な実装において、端末デバイスの構造は、処理ユニットおよびトランシーバユニットを含み、処理ユニットは、上述の方法において対応する機能を実行する際に端末デバイスをサポートするように構成される。トランシーバユニットは、端末デバイスと(ネットワークデバイスを含む)他のデバイスとの間の通信をサポートするように構成される。端末デバイスは、ストレージユニットをさらに含んでもよく、ストレージユニットは、処理ユニットに結合され、端末デバイスのために必要なプログラム命令およびデータを記憶する。
【００４９】
他の可能な実装において、端末デバイスの構造は、メモリ、プロセッサ、および通信モジュールを含む。メモリは、コンピュータ可読プログラムを記憶するように構成され、プロセッサは、第3の態様において端末デバイスによって実行された上述の方法を実行するために、メモリに記憶された命令を呼び出し、通信モジュールは、プロセッサの制御の下でデータを送信および/または受信するように構成される。
【００５０】
例として、処理ユニットは、プロセッサであってもよく、トランシーバユニットは、通信モジュールであってもよく、ストレージユニットは、メモリであってもよい。通信モジュールは、複数の構成要素であってもよく、すなわち、送信器および受信器を含むか、または通信インターフェースを含み、通信インターフェースは、送信および受信機能を有する。
【００５１】
第13の態様によれば、本出願の実施形態は、コンピュータ記憶媒体をさらに提供する。記憶媒体は、ソフトウェアプログラムを記憶し、1つまたは複数のプロセッサによって読まれ、実行されるとき、ソフトウェアプログラムは、第3の態様において提供されるPRBグリッド指示方法において端末デバイスによって実行される方法を実施することができる。
【００５２】
第14の態様によれば、本出願の実施形態は、PRBグリッド指示装置をさらに提供する。装置は、チップを含み、チップは、第3の態様において提供されるPRBグリッド指示方法において端末デバイスによって実行される方法を実行するように構成される。装置は、通信モジュールをさらに含んでもよく、装置に含まれるチップは、端末デバイスへの干渉を減らすために上述の方法において端末デバイスによってデータを送信および/または受信するための方法を通信モジュールを使用することによって実行する。
【００５３】
第15の態様によれば、本出願の実施形態は、命令を含むコンピュータプログラム製品をさらに提供し、コンピュータ上で実行されるとき、コンピュータプログラム製品は、コンピュータが第3の態様において提供されるPRBグリッド指示方法において端末デバイスによって実行される方法を実行することを可能にする。
【００５４】
第16の態様によれば、本出願の実施形態は、同期信号(synchronized signal、SS)ブロックの構造をさらに提供する。第16の態様は、上述の態様のうちのいずれか1つの技術的な解決策と組み合わされ得る。
【００５５】
可能な実装において、同期信号ブロックは、プライマリ同期信号(primary synchronized signal、PSS)、セカンダリ同期信号(secondary synchronized signal、SSS)、および物理ブロードキャストチャネルを含む。プライマリ同期信号内で同期シーケンス変調信号を運ぶサブキャリアの数と物理ブロードキャストチャネル内で物理ブロードキャストチャネル変調信号を運ぶサブキャリアの数とは異なり、セカンダリ同期信号内で同期シーケンス変調信号を運ぶサブキャリアの数と物理ブロードキャストチャネル内で物理ブロードキャストチャネル変調信号を運ぶサブキャリアの数とは異なる。周波数領域において、プライマリ同期信号内で同期シーケンス変調信号を運ぶ第1のサブキャリアおよびセカンダリ同期信号内で同期シーケンス変調信号を運ぶ第1のサブキャリアのうちの少なくとも一方は、物理ブロードキャストチャネル内で物理ブロードキャストチャネル変調信号を運ぶ第1のサブキャリアと同じ周波数を有するか、または位置を揃えられる。任意選択で、同期信号ブロックの物理リソースブロック(physical resource block、PRB)グリッドは、24個のPRBを含み、24個のPRBは、時間領域において複数のOFDMシンボルを占有する。プライマリ同期信号およびセカンダリ同期信号内で同期シーケンス変調信号を運ぶサブキャリアの数は、それぞれ144である。物理ブロードキャストチャネル内で物理ブロードキャストチャネル変調信号を運ぶサブキャリアの数は、288である。
【００５６】
他の可能な実装において、同期信号ブロックは、プライマリ同期信号(primary synchronized signal、PSS)、セカンダリ同期信号(secondary synchronized signal、SSS)、および物理ブロードキャストチャネルを含む。プライマリ同期信号内で同期シーケンス変調信号を運ぶサブキャリアの数と物理ブロードキャストチャネル内で物理ブロードキャストチャネル変調信号を運ぶサブキャリアの数とは異なり、セカンダリ同期信号内で同期シーケンス変調信号を運ぶサブキャリアの数と物理ブロードキャストチャネル内で物理ブロードキャストチャネル変調信号を運ぶサブキャリアの数とは異なる。周波数領域において、プライマリ同期信号内で同期シーケンス変調信号を運ぶ最後のサブキャリアおよびセカンダリ同期信号内で同期シーケンス変調信号を運ぶ最後のサブキャリアのうちの少なくとも一方は、物理ブロードキャストチャネル内で物理ブロードキャストチャネル変調信号を運ぶ最後のサブキャリアと同じ周波数を有するか、または位置を揃えられ、あるいは周波数領域において、プライマリ同期信号内で同期シーケンス変調信号を運ぶ第1のサブキャリアおよびセカンダリ同期信号内で同期シーケンス変調信号を運ぶ第1のサブキャリアのうちの少なくとも一方は、物理ブロードキャストチャネル内で物理ブロードキャストチャネル変調信号を運ぶ第145のサブキャリアと同じ周波数を有するか、または位置を揃えられる。任意選択で、同期信号ブロックの物理リソースブロック(physical resource block、PRB)グリッドは、24個のPRBを含み、24個のPRBは、時間領域において複数のOFDMシンボルを占有する。プライマリ同期信号およびセカンダリ同期信号内で同期シーケンス変調信号を運ぶサブキャリアの数は、それぞれ144である。物理ブロードキャストチャネル内で物理ブロードキャストチャネル変調信号を運ぶサブキャリアの数は、288である。
【００５７】
他の可能な実装において、同期信号ブロックは、プライマリ同期信号(primary synchronized signal、PSS)、セカンダリ同期信号(secondary synchronized signal、SSS)、および物理ブロードキャストチャネルを含む。プライマリ同期信号内で同期シーケンス変調信号を運ぶサブキャリアの数と物理ブロードキャストチャネル内で物理ブロードキャストチャネル変調信号を運ぶサブキャリアの数とは異なり、セカンダリ同期信号内で同期シーケンス変調信号を運ぶサブキャリアの数と物理ブロードキャストチャネル内で物理ブロードキャストチャネル変調信号を運ぶサブキャリアの数とは異なる。周波数領域において、物理ブロードキャストチャネル変調信号を運ぶ第1のサブキャリアと、プライマリ同期信号内で同期シーケンス変調信号を運ぶ第1のサブキャリアおよびセカンダリ同期信号内で同期シーケンス変調信号を運ぶ第1のサブキャリアのうちの少なくとも一方とは、周波数の第5のオフセット値を有し、第5のオフセット値は、PRBの整数倍であり、6個のPRBでないか、または周波数領域において、物理ブロードキャストチャネル内で物理ブロードキャストチャネル変調信号を運ぶ最後のサブキャリアと、プライマリ同期信号内で同期シーケンス変調信号を運ぶ最後のサブキャリアおよびセカンダリ同期信号内で同期シーケンス変調信号を運ぶ最後のサブキャリアのうちの少なくとも一方とは、周波数の第5のオフセット値を有し、第5のオフセット値は、PRBの整数倍であり、6個のPRBでない。任意選択で、同期信号ブロックの物理リソースブロック(physical resource block、PRB)グリッドは、24個のPRBを含み、24個のPRBは、時間領域において複数のOFDMシンボルを占有する。プライマリ同期信号およびセカンダリ同期信号内で同期シーケンス変調信号を運ぶサブキャリアの数は、それぞれ144である。物理ブロードキャストチャネル内で物理ブロードキャストチャネル変調信号を運ぶサブキャリアの数は、288である。
【００５８】
他の可能な実装において、同期信号ブロックは、プライマリ同期信号(primary synchronized signal、PSS)、セカンダリ同期信号(secondary synchronized signal、SSS)、および物理ブロードキャストチャネルを含み、同期信号ブロックの物理リソースブロック(physical resource block、PRB)グリッドは、A個のPRBを含む。プライマリ同期信号内で同期シーケンス変調信号を運ぶサブキャリアの数は、Bであり、セカンダリ同期信号内で同期シーケンス変調信号を運ぶサブキャリアの数は、Bであり、物理ブロードキャストチャネル信号内で物理ブロードキャストチャネル変調信号を運ぶサブキャリアの数は、Cであり、A、B、およびCは、正の整数であり、Bは、Cと等しくない。周波数領域において、プライマリ同期信号内で同期シーケンス変調信号を運ぶ第1のサブキャリアおよびセカンダリ同期信号内で同期シーケンス変調信号を運ぶ第1のサブキャリアのうちの少なくとも一方は、物理ブロードキャストチャネル内で物理ブロードキャストチャネル変調信号を運ぶ第Dのサブキャリアと同じ周波数を有するか、または位置を揃えられ、Dは、1以上、C-B+1以下の整数であるが、73に等しくなく、またはDは、1以上、C-B+1以下の整数であり、12の整数倍+1であるが、73に等しくない。任意選択で、A個のPRBは、時間領域において複数のOFDMシンボルを占有する。
【００５９】
他の可能な実装において、同期信号ブロックは、プライマリ同期信号(primary synchronized signal、PSS)、セカンダリ同期信号(secondary synchronized signal、SSS)、および物理ブロードキャストチャネルを含み、同期信号ブロックの物理リソースブロック(physical resource block、PRB)グリッドは、A個のPRBを含む。同期信号ブロックは、時間領域において複数のOFDMシンボルを占有し、同期信号ブロックの第2のOFDMシンボルおよび第3のOFDMシンボルは、連続しておらず、第2のシンボルと第3のシンボルとの間の距離は、1 OFDMシンボルである。任意選択で、A個のPRBは、時間領域において複数のOFDMシンボルを占有する。
【００６０】
他の可能な実装において、同期信号ブロックは、プライマリ同期信号(primary synchronized signal、PSS)、セカンダリ同期信号(secondary synchronized signal、SSS)、および物理ブロードキャストチャネルを含み、同期信号ブロックの物理リソースブロック(physical resource block、PRB)グリッドは、A個のPRBを含む。同期信号ブロックは、時間領域において複数のOFDMシンボルを占有し、同期信号ブロックの第3のOFDMシンボルおよび第4のOFDMシンボルは、連続しておらず、第3のシンボルと第4のシンボルとの間の距離は、1 OFDMシンボルである。任意選択で、A個のPRBは、時間領域において複数のOFDMシンボルを占有する。
【図面の簡単な説明】
【００６１】
【図１】本出願の実施形態において提供される技術的な解決策が適用可能であるネットワークアーキテクチャの概略図である。
【図２】本出願の実施形態において提供される技術的な解決策が適用可能である他のネットワークアーキテクチャの概略図である。
【図３】本出願の実施形態による同期信号ブロックPRBグリッドの概略的な構造図である。
【図３ａ】本出願の実施形態による同期信号ブロックPRBグリッドの概略的な構造図である。
【図４】本出願の実施形態によるシステム共通PRBグリッドの概略的な構造図である。
【図４ａ】本出願の実施形態によるシステム共通PRBグリッドの概略的な構造図である。
【図５】本出願の実施形態によるPRBグリッド指示方法の概略的な流れ図である。
【図６】本出願の実施形態による同期信号ブロックPRBグリッドおよびシステム共通PRBグリッドの概略的な構造図である。
【図７】本出願の実施形態による同期信号ブロックPRBグリッドおよびシステム共通PRBグリッドの概略的な構造図である。
【図８Ａ】本出願の実施形態による同期信号ブロックPRBグリッドおよびシステム共通PRBグリッドの概略的な構造図である。
【図８Ｂ】本出願の実施形態による同期信号ブロックPRBグリッドおよびシステム共通PRBグリッドの概略的な構造図である。
【図９】本出願の実施形態による他のシステム共通PRBグリッドの概略的な構造図である。
【図１０】本出願の実施形態による他のPRBグリッド指示方法の概略的な流れ図である。
【図１１】本出願の実施形態において定義される異なるシステム帯域幅の異なるサブキャリア間隔のシステム共通PRBグリッドの概略的な構造図である。
【図１２】本出願の実施形態において定義される異なるシステム帯域幅の異なるサブキャリア間隔のシステム共通PRBグリッドの概略的な構造図である。
【図１３】本出願の実施形態において定義される異なるシステム帯域幅の異なるサブキャリア間隔のシステム共通PRBグリッドの概略的な構造図である。
【図１４】本出願の実施形態において定義される異なるシステム帯域幅の異なるサブキャリア間隔のシステム共通PRBグリッドの概略的な構造図である。
【図１５】本出願の実施形態において定義される異なるシステム帯域幅の異なるサブキャリア間隔のシステム共通PRBグリッドの概略的な構造図である。
【図１６】本出願の実施形態において定義される異なるシステム帯域幅の異なるサブキャリア間隔のシステム共通PRBグリッドの概略的な構造図である。
【図１７】本出願の実施形態において定義される異なるシステム帯域幅の異なるサブキャリア間隔のシステム共通PRBグリッドの概略的な構造図である。
【図１８】本出願の実施形態において定義される異なるシステム帯域幅の異なるサブキャリア間隔のシステム共通PRBグリッドの概略的な構造図である。
【図１９】本出願の実施形態による第1の端末デバイスの概略的な構造図である。
【図２０】本出願の実施形態による第2の端末デバイスの概略的な構造図である。
【図２１】本出願の実施形態によるネットワークデバイスの概略的な構造図である。
【図２２】本出願の実施形態による他のネットワークデバイスの概略的な構造図である。
【図２３】本出願の実施形態による第3の端末デバイスの概略的な構造図である。
【図２４】本出願の実施形態による第4の端末デバイスの概略的な構造図である。
【図２５】本出願の実施形態による通信システムの概略的な構造図である。
【図２６】本出願の実施形態による他の同期信号ブロックPRBグリッドおよびシステム共通PRBグリッドの概略的な構造図である。
【図２７】本出願の実施形態による他の同期信号ブロックPRBグリッドおよびシステム共通PRBグリッドの概略的な構造図である。
【図２８】本出願の実施形態による他の同期信号ブロックPRBグリッドおよびシステム共通PRBグリッドの概略的な構造図である。
【図２９】本出願の実施形態による同期信号ブロックの信号の構造の概略図である。
【図３０】本出願の実施形態による同期信号ブロックの信号の構造の概略図である。
【図３１】本出願の実施形態による同期信号ブロックの信号の構造の概略図である。
【図３２】本出願の実施形態による同期信号ブロックの信号の構造の概略図である。
【図３３】本出願の実施形態による同期信号ブロックの信号の構造の概略図である。
【発明を実施するための形態】
【００６２】
現在、5G新無線は、端末デバイスによってシステム共通PRBグリッド内のPRBの位置を取得するための方法をまだ定義しておらず、また、5G新無線は、異なるシステム帯域幅の異なるサブキャリア間隔に対応するシステム共通PRBグリッドの構造をまだ定義していないので、本出願の実施形態は、PRBグリッド指示方法およびデバイスを提供する。方法およびデバイスは、同じ発明の概念に基づいて着想される。方法およびデバイスは、問題を解決するための同様の原理を有する。したがって、デバイスおよび方法の実装に関して、互いに参照が行われることがあり、繰り返し部分の詳細は、説明されない。
【００６３】
本出願の実施形態において提供される技術的な解決策は、5Gシステムに適用可能である。5Gシステムに基づいて、図1および図2は、本出願の実施形態において提供される技術的な解決策が適用可能な2つのネットワークアーキテクチャの概略図である。図1に示されるネットワークは、ネットワークデバイス110および端末デバイス120を含み、図1は、1つのネットワークデバイス110およびネットワークデバイス110と通信する2つの端末デバイス120のみを示す。図2に示されるネットワークと図1に示されるネットワークとの間の違いは、図1に示されるネットワークにおけるネットワークデバイスが仮想で存在することであり、ネットワークデバイスの一部の機能が分散ユニット(distributed unit、DU)1101に実装され、ネットワークデバイスのその他の機能が集約ユニット(centralized unit、CU)1102に実装され、複数のDU 1101が同じCU 1102に接続され得ることにある。図1および図2に示されるネットワークは、両方とも少なくとも1つのネットワークデバイスを含んでもよく、また、各ネットワークデバイスと通信する少なくとも1つの端末デバイスが存在しうることに留意されたい。ネットワークデバイスおよび端末デバイスの数は、図1および図2に示される数に限定されない。
【００６４】
本出願の実施形態の5Gシステムの端末デバイスは、ユーザに音声および/もしくはデータ接続性を提供するデバイス、ワイヤレス接続機能を有するハンドヘルドデバイス、またはワイヤレスモデムに接続された他の処理デバイスであってよい。ワイヤレス端末デバイスは、ランダムアクセスネットワーク(random access network、RAN)を介して1つまたは複数のコアネットワークと通信し得る。ワイヤレス端末デバイスは、モバイル電話(「セルラー」電話とも呼ばれる)などのモバイル端末デバイスおよびモバイル端末デバイスを有するコンピュータであってもよく、たとえば、無線アクセスネットワークと音声および/またはデータをやりとりする、ポータブル、ポケットサイズ、ハンドヘルド、コンピュータ組み込み、または車載モバイル装置であってもよい。たとえば、ワイヤレス端末デバイスは、パーソナル通信サービス(personal communication service、PCS)電話、コードレス電話機、セッション開始プロトコル(session initiation protocol、SIP)電話、ワイヤレスローカルループ(wireless local loop、WLL)局、または携帯情報端末(personal digital assistant、PDA)などのデバイスであってよい。ワイヤレス端末デバイスは、システム、加入者ユニット(subscriber unit)、加入者局(Subscriber Station)、移動局(Mobile Station)、モバイルコンソール(Mobile)、遠隔局(Remote Station)、アクセスポイント(access point、AP)、リモート端末デバイス(remote terminal)、アクセス端末デバイス(access terminal)、ユーザ端末デバイス(user terminal)、ユーザエージェント(user agent)、ユーザデバイス(user device)、またはユーザ機器(user equipment)とも呼ばれうる。
【００６５】
本出願の実施形態の5Gシステムのネットワークデバイスは、セル、進化型NodeB(evolved NodeB、eNB、もしくはe-NodeB)、またはアクセスポイントであってもよく、あるいは1つまたは複数のセクタを使用することによって無線インターフェースを介してワイヤレス端末デバイスと通信するアクセスネットワーク内のデバイスであってもよい。ネットワークデバイスの主な機能は、無線リソースの管理、インターネットプロトコル(internet protocol、IP)ヘッダの圧縮およびユーザデータストリームの暗号化、端末デバイスのアタッチ中のモビリティ管理エンティティ(Mobile Management Entity、MME)の選択、サービングゲートウェイ(Serving Gateway、S-GW)へのユーザプレーンデータのルーティング、ページングメッセージの編成および送信、ブロードキャストメッセージの編成および送信、モビリティまたはスケジューリングのための測定、測定レポートの構成などである。
【００６６】
以下において、本出願の実施形態における用語を説明する。
【００６７】
I.  PRBおよびサブキャリア間隔
【００６８】
PRB:周波数領域において占有されるP個の連続するサブキャリアおよび時間領域において占有されるR個の連続するシンボルであり、PおよびRは、1以上の自然数である。たとえば、P=12およびR=7、またはP=12およびR=14、またはP=12およびR=1である。P=12およびR=7であるとき、そのことは、1つのPRBが周波数領域において12個の連続するサブキャリアおよび時間領域において7個の連続するシンボルを占有しうることを示す。
【００６９】
サブキャリア間隔:周波数領域の最も細かい粒度(granularity)である。たとえば、LTEにおいて、サブキャリアのサブキャリア間隔は15kHzであり、5Gシステムにおいて、サブキャリアの幅は15kHz、30kHz、および60kHzのうちの1つでありうる。
【００７０】
II.  同期信号ブロックPRBグリッド
【００７１】
図3は、5G新無線によって定義された同期信号ブロックPRBグリッドの構造を示す。図3の小さな長方形は、PRBを表し、それぞれの小さな長方形の中の番号は、同期信号ブロックPRBグリッド内のPRBの位置を表し、または番号は、PRBのインデックスとも呼ばれうる。同期信号ブロックPRBグリッドは、24個のPRBを含み、したがって、同期信号ブロックPRBグリッド内のPRBは、0から23まで付番されたPRBである。例の説明を容易にするために、図3aに示される付番方法が、以下の実施形態において付番のために使用され、PRBの番号は、0から9を含み、番号は、同期信号ブロックPRBグリッド内のPRBが0から23まで付番されたPRBであることを示すために循環的に現れてもよい。しかし、そのような付番が例の説明のために意図されるに過ぎないことは、理解されるであろう。同期信号ブロックPRBグリッドの構造に関しては、5G新無線に関連する規格の定義を参照されたい。
【００７２】
5G新無線は、同期信号ブロックの構造を定義しており、同期信号ブロックは、プライマリ同期信号、セカンダリ同期信号、および物理ブロードキャストチャネルを含む。まず、以下で使用される「所定の位置」が説明される。同期信号ブロックの所定の位置は、単位周波数の整数倍である必要がある。たとえば、単位周波数が100kHzである場合、同期信号ブロックの所定の位置は、100kHzの整数倍である。たとえば、同期信号ブロックの所定の位置は、200kHzまたは300kHzでありうる。所定の位置は、以下、すなわち、同期信号ブロックPRBグリッドの中心周波数、同期信号ブロックPRBグリッドの第1のサブキャリアに対応する周波数、同期信号ブロックPRBグリッドに対応する同期信号ブロックのキャリア周波数位置、同期信号ブロックPRBグリッドの中心周波数に最も近いサブキャリアに対応する中心周波数、および同期信号ブロックPRBグリッドに対応する物理チャネルの第145のサブキャリアのうちのいずれか1つでありうる。
【００７３】
III.  システム共通PRBグリッド
【００７４】
5G新無線によって定義された異なるシステム帯域幅の異なるサブキャリア間隔に対応するシステム共通PRBグリッドに含まれるPRBの数が、表1に示される。
【００７５】
【表１】
2020530714.tif 000003
【００７６】
表1において、たとえば、システム帯域幅が5MHzであるとき、15kHzのサブキャリア間隔のシステム共通PRBグリッドは、25個のPRBを含む。システム共通PRBグリッドの構造が、図4に示される。図4の小さな長方形は、PRBを表し、それぞれの小さな長方形の中の番号は、システム共通PRBグリッド内のPRBの位置を表す。システム共通PRBグリッドは、25個のPRBを含み、したがって、システム共通PRBグリッド内のPRBは、0から24まで付番されたPRBである。図4のGBは、ガードバンド(guard band)を表し、ガードバンドは、他のシステムへの干渉を防止するために予約された、特定のシステム帯域幅内の未使用の帯域幅である。例の説明を容易にするために、図4aに示される付番方法が、以下の実施形態において付番のために使用され、PRBの番号は、0から9を含み、番号は、システム共通PRBグリッド内のPRBが0から24まで付番されたPRBであることを示すために循環的に現れてもよい。しかし、そのような付番が例の説明のために意図されるに過ぎないことは、理解されるであろう。システム共通PRBグリッドの構造に関しては、5G新無線に関連する規格の定義を参照されたい。
【００７７】
本出願の実施形態において提供される技術的な解決策が、添付の図面を参照して以下において説明される。
【００７８】
本出願の実施形態は、PRBグリッド指示方法を提供し、方法は、5Gシステム内の端末デバイスがシステム共通PRBグリッド内のPRBの位置を取得することを可能にするために使用される。図5は、PRBグリッド指示方法の概略的な流れ図であり、方法は、以下のステップを含む。
【００７９】
ステップ501:ネットワークデバイスが、端末デバイスに位置情報を送信する。
【００８０】
ステップ501において、位置情報は、同期信号ブロックPRBグリッド内の第1の所定の位置と第1のサブキャリア間隔のシステム共通PRBグリッド内の任意のPRBとの間の相対的な位置関係を示すために使用される。実装において、ネットワークデバイスは、端末デバイスに、ブロードキャストチャネル上で運ばれるブロードキャストメッセージ、たとえば、物理ブロードキャストチャネルのブロードキャストメッセージを送信してもよく、ブロードキャストメッセージが、位置関係を運ぶ。たとえば、第1の所定の位置は、周波数でありうる。たとえば、位置情報は、ブロードキャストメッセージ内の5ビットまたは6ビットを占める。
【００８１】
同期信号ブロックPRBグリッド内の第1の所定の位置は、同期信号ブロックPRBグリッド内の予め定義された位置であり、同期信号ブロックPRBグリッド内の第1の所定の位置は、同期信号ブロックPRBグリッド内の任意の位置として設定され得る。同期信号ブロックPRBグリッド内の第1の所定の位置の特定の位置は、この実施形態において限定されない。第1の所定の位置が、システム共通PRBグリッド内の対応するPRBを取得するための基準として使用され得ることが理解されるであろう。たとえば、第1の所定の位置は、以下、すなわち、同期信号ブロックPRBグリッドの中心周波数、同期信号ブロックPRBグリッドの第1のサブキャリアに対応する周波数、同期信号ブロックPRBグリッドに対応する同期信号ブロックのキャリア周波数位置、同期信号ブロックPRBグリッドの中心周波数に最も近いサブキャリアに対応する中心周波数、および同期信号ブロックPRBグリッドに対応する物理チャネルの第145のサブキャリアのうちのいずれか1つである。第1のサブキャリア間隔は、予め定義されたサブキャリア間隔である。たとえば、第1のサブキャリア間隔は、15kHz、30kHz、60kHz、120kHz、240kHz、および480kHzのサブキャリア間隔のうちのいずれか1つでありうる。あるいは、第1のサブキャリア間隔は、システム共通PRBグリッドまたは同期信号ブロックPRBグリッドが位置する周波数帯域内のすべてのチャネルによってサポートされる最大サブキャリア間隔である。あるいは、第1のサブキャリア間隔は、システム共通PRBグリッドまたは同期信号ブロックPRBグリッドが位置する周波数帯域内のデータチャネルによってサポートされる最大サブキャリア間隔でありうる。第1のサブキャリア間隔のシステム共通PRBグリッド内の任意のPRBは、第1のサブキャリア間隔のシステム共通PRBグリッド内の任意の位置のPRB、たとえば、システム共通PRBグリッド内の第1のPRBまたは第2のPRBとして理解され得る。第1のサブキャリア間隔のシステム共通PRBグリッド内の任意のPRBが位置する特定の位置は、この実施形態において限定されない。任意のPRBが、端末がシステム共通PRBグリッドの構造を取得するための基準として使用され得ることが理解されるであろう。相対的な位置関係が決定された後、任意のPRBは、相対的な位置関係を参照して特定のPRBとして使用される。任意のPRBは、第1の所定の位置に対応するシステム共通PRBグリッド内のPRBであるか、または任意のPRBは、第1の所定の位置に最も近いシステム共通PRBグリッド内のPRBである。この実施形態において、あるいは、システム共通PRBグリッド内の任意のPRBの位置は、予め定義されてもよく、すなわち、任意のPRBは、システム共通PRBグリッド内の指定PRBである。たとえば、指定PRBは、システム共通PRBグリッド内の第1のPRBまたは第2のPRBでありうる。あるいは、任意のPRBは、システム共通PRBグリッド内の制御リソース(control resource set、CORESET)内のPRB、たとえば、制御リソース内の第1のPRBである。
【００８２】
位置情報は、ネットワークデバイスがシステム共通PRBグリッド内の任意のPRBのシーケンス番号を知っていることがあるのでシステム共通PRBグリッド内の任意のPRBのシーケンス番号を含まないことがあることに留意されたい。しかし、ネットワークデバイスによって送信された位置情報を受信した後、端末デバイスは、システム共通PRBグリッドの構造、言い換えると、任意のPRBに対応する特定の番号をまだ知らない。位置情報は、第1のサブキャリア間隔を反映することがあり、または第1のサブキャリア間隔を反映しないことがある。端末デバイスが第1のサブキャリア間隔を知っている場合、位置関係は、第1のサブキャリア間隔を反映しないことがある。
【００８３】
この実施形態において、位置情報は、以下の3つの方法で表され得る。
【００８４】
第1の位置情報表現方法において、同期信号ブロックPRBグリッド内の第1の所定の位置と第1のサブキャリア間隔のシステム共通PRBグリッド内の任意のPRBとの間の相対的な位置関係は、PRBの数を使用することによって表される。言い換えると、位置情報は、同期信号ブロックPRBグリッド内の第1の所定の位置と第1のサブキャリア間隔のシステム共通PRBグリッド内の任意のPRBにN個のPRBのオフセットがあることを示すために使用され、Nは、0以上である。たとえば、Nは、0.5または0である。0.5個のPRBは、PRBの半分を意味する。
【００８５】
上述の第1の位置情報表現方法において、たとえば、Nは、以下の条件のうちのいずれか1つを満たし得る。
Nの最大値≦2x第1の帯域幅-同期信号ブロックの帯域幅、および
Nの最大値≦2x第1の帯域幅-同期信号ブロックの帯域幅-制御リソースの帯域幅、ここで、第1の帯域幅は、現在の周波数帯域内の端末デバイスによってサポートされる最大受信帯域幅であるか、または第1の帯域幅は、端末デバイスによってサポートされる受信帯域幅内の最大帯域幅である。現在の周波数帯域は、システム共通PRBグリッドまたは同期信号ブロックPRBグリッドが位置する周波数帯域である。あるいは、第1の帯域幅は、11、18、24、25、31、32、38、51、52、65、66、79、106、107、132、133、135、162、216、217、264、270、または273個のRBに対応する任意の帯域幅である。
【００８６】
たとえば、Nは、あるいは、予め設定された値の集合のうちのいずれか1つの値であってもよい。予め設定された値の集合は、初期化中にネットワークデバイスおよび端末デバイスによって合意されえ、または予め設定された値の集合は、標準的なプロトコルにおいて指定され、ネットワークデバイスおよび端末デバイスは、標準的なプロトコルに準拠する。要するに、ネットワークデバイスと端末デバイスとの両方が、予め設定された値の集合を知っている。たとえば、予め設定された値の集合は、{0, 1, 2, 3, 4, 5, 6, 7, 8, 9, 10}であり、他の例として、予め設定された値の集合は、{0, 2, 4, 6, 8, 10}である。予め設定された値の集合を構成する値は、この実施形態において限定されない。
【００８７】
Nが予め設定された値の集合のうちのいずれか1つの値であるときの位置情報の実装について、以下においてさらに説明される。
【００８８】
実装において、位置情報は、予め設定された値の集合の中のNの値の位置であり、位置は、予め設定された値の集合の中のNに対応する値の番号でありうる。たとえば、予め設定された値の集合が、{0, 2, 4, 6, 8, 10}であり、3ビットが、位置情報を表すために必要とされ、000は、予め設定された値の集合の中の第1の値を表し、Nは、0であり、001は、予め設定された値の集合の中の第2の値を表し、Nは、2であり、010は、予め設定された値の集合の中の第3の値を表し、Nは、4であり、011は、予め設定された値の集合の中の第5の値を表し、Nは、8であり、100は、予め設定された値の集合の中の第6の値を表し、Nは、10である。したがって、たとえば、ネットワークデバイスによって端末デバイスに送信された位置情報が011であるとき、そのことは、同期信号ブロックPRBグリッド内の第1の所定の位置と第1のサブキャリア間隔のシステム共通PRBグリッド内のPRBに8個のPRBのオフセットがあることを示す。
【００８９】
他の実装において、位置情報に含まれる内容は、Nである。たとえば、予め設定された値の集合は、{0, 2, 4, 6, 8, 10}であり、4ビットが、Nの値を表すために必要とされ、0000は、Nが0であることを示し、0010は、Nが2であることを示し、0100は、Nが4であることを示し、1000は、Nが8であることを示し、1010は、Nが10であることを示す。したがって、たとえば、ネットワークデバイスによって端末デバイスに送信された位置情報が1000であるとき、そのことは、同期信号ブロックPRBグリッド内の第1の所定の位置と第1のサブキャリア間隔のシステム共通PRBグリッド内のPRBに8個のPRBのオフセットがあることを示す。
【００９０】
上述の第1の位置情報表現方法において、位置情報は、同期信号ブロックPRBグリッド内の第1の所定の位置と第1のサブキャリア間隔のシステム共通PRBグリッド内のPRBにN個のPRBのオフセットがあることを示すために使用される。たとえば、N個のPRBに対応するサブキャリア間隔は、システム共通PRBグリッドが位置する周波数帯域(band)内のすべてのチャネルによってサポートされる最大サブキャリア間隔であってもよく、またはN個のPRBの中のPRBに対応するサブキャリア間隔は、PRBグリッドが位置する周波数帯域内のデータチャネルによってサポートされる最大サブキャリア間隔でありうる。あるいは、N個のPRBに対応するサブキャリア間隔は、同期信号ブロックのサブキャリア間隔である。あるいは、N個のPRBの中のPRBに対応するサブキャリア間隔は、30kHz、60kHz、120kHz、240kHz、または480kHzのうちのいずれか1つでありうる。これは、この実施形態において限定されない。
【００９１】
以下において、例を使用することによって第1の方法の位置情報を説明する。
【００９２】
例の説明1:図6に示される位置情報を例として使用して、図6の上のグリッドは、5MHzのシステム帯域幅の15kHzのサブキャリア間隔(すなわち、上述の第1のサブキャリア間隔)のシステム共通PRBグリッドを表し、図6の下のグリッドは、同期信号ブロックPRBグリッドを表す。図6において、同期信号ブロックPRBグリッド内の第1の所定の位置は、同期信号ブロックPRBグリッド内の中心周波数、すなわち、同期信号ブロックPRBグリッド内の1を付番された第2のPRBと2を付番された第2のPRBとの間の矢印付きの破線がある周波数である。位置情報のシステム共通PRBグリッド内の任意のPRBは、破線が通るPRBグリッド、すなわち、システム共通PRBグリッド内の2を付番された第2のPRBであると仮定される。破線とシステム共通PRBグリッド内の2を付番された第2のPRBの左の境界には0.5個のPRBのオフセットがある。したがって、図6の位置情報は、複数の表現方法を有してもよく、そのうちの2つの表現方法は、以下の通りである。第1の表現方法において、位置情報は、同期信号ブロックPRBグリッド内の中心周波数と第1のサブキャリア間隔のシステム共通PRBグリッド内の任意のPRBの左の境界には0.5個のPRBのオフセットがあることを示すために使用される。第2の表現方法において、位置情報は、同期信号ブロックPRBグリッド内の中心周波数と第1のサブキャリア間隔のシステム共通PRBグリッド内の任意のPRBの右の境界には0.5個のPRBのオフセットがあることを示すために使用される。上述の2つの表現方法において、システム共通PRBグリッド内の任意のPRBの第2の所定の位置は異なり、それぞれ、左の境界および右の境界である。確かに、システム共通PRBグリッド内の任意のPRBの第2の所定の位置は、任意のPRBの他の位置でありうる。これは、この実施形態において限定されない。
【００９３】
図6に関して、位置情報に対応するシステム共通PRBグリッド内の任意のPRBは、システム共通PRBグリッド内の2を付番された第2のPRB以外の任意のPRBであってもよいことに留意されたい。たとえば、システム共通PRBグリッド内の任意のPRBは、3を付番された第2のPRBであり、この場合、位置情報は、同期信号ブロックPRBグリッド内の中心周波数と第1のサブキャリア間隔のシステム共通PRBグリッド内の任意のPRBの左の境界には1.5個のPRBのオフセットがあることを示すために使用される。
【００９４】
例の説明2:図7に示される位置情報を例として使用して、図7の上のグリッドは、10MHzのシステム帯域幅の15kHzのサブキャリア間隔(すなわち、上述の第1のサブキャリア間隔)のシステム共通PRBグリッドを表し、図7の下のグリッドは、同期信号ブロックPRBグリッドを表す。図7において、同期信号ブロックPRBグリッド内の第1の所定の位置は、同期信号ブロックPRBグリッド内の中心周波数、すなわち、同期信号ブロックPRBグリッド内の1を付番された第2のPRBと2を付番された第2のPRBとの間の矢印付きの実線がある周波数である。位置情報のシステム共通PRBグリッド内の任意のPRBは、実線が通るPRBグリッド、すなわち、システム共通PRBグリッド内の6を付番された第3のPRBであると仮定される。実線とシステム共通PRBグリッド内の6を付番された第2のPRBの左の境界には0個のPRBのオフセットがある。したがって、図7の位置情報は、複数の表現方法を有してもよく、そのうちの1つの表現方法は、同期信号ブロックPRBグリッド内の中心周波数と第1のサブキャリア間隔のシステム共通PRBグリッド内の任意のPRBの左の境界には0個のPRBのオフセットがあることを示すために位置情報が使用されることである。
【００９５】
第2の位置情報表現方法において、同期信号ブロックPRBグリッド内の第1の所定の位置と第1のサブキャリア間隔のシステム共通PRBグリッド内の任意のPRBとの間の相対的な位置関係は、サブキャリア間隔の数を使用することによって表される。言い換えると、位置情報は、同期信号ブロックPRBグリッド内の第1の所定の位置と第1のサブキャリア間隔のシステム共通PRBグリッド内の任意のPRBにはM個のサブキャリア間隔のオフセットがあることを示すために使用され、Mは、0以上である。たとえば、Mは、0、2、4、6、8、もしくは10であり、すなわち、位置情報は、Mが0、2、4、6、8、もしくは10であることを示し、またはMは、0、4、6、および10のうちのいずれか1つの値を含み、すなわち、位置情報は、Mが0、4、6、もしくは10であることを示す。
【００９６】
上述の第2の位置情報表現方法において、たとえば、Mは、予め設定された値の集合のうちのいずれか1つの値でありうる。予め設定された値の集合は、初期化中にネットワークデバイスおよび端末デバイスによって合意されえ、または予め設定された値の集合は、標準的なプロトコルにおいて指定され、ネットワークデバイスおよび端末デバイスは、標準的なプロトコルに準拠する。要するに、予め設定された値の集合は、ネットワークデバイスと端末デバイスとの両方に知られている。予め設定された値の集合を構成する値は、この実施形態において限定されない。たとえば、予め設定された値の集合は、0から47を含んでもよく、予め設定された値の集合は、{0, 1, 2, 3, 4, 5, 6, 7, 8, 9, 10, 11, 12, 13, 14, 15, 16, 17, 18, 19, 20, 21, 22, 23, 24, 25, 26, 27, 28, 29, 30, 31, 32, 33, 34, 35, 36, 37, 38, 39, 40, 41, 42, 43, 44, 45, 46, 47}であってもよく、または予め設定された値の集合は、0から47の中の偶数を含んでもよく、予め設定された値の集合は、{0, 2, 4, 6, 8, 10, 12, 14, 16, 18, 20, 22, 24, 26, 28, 30, 32, 34, 36, 38, 40, 42, 44, 46}であり、または予め設定された値の集合は、0から47の中の奇数を含んでもよく、予め設定された値の集合は、{1, 3, 5, 7, 9, 11, 13, 15, 17, 19, 21, 23, 25, 27, 29, 31, 33, 35, 37, 39, 41, 43, 45, 47}であり、または予め設定された値の集合は、0から47の中の少なくとも2つの値、たとえば、{0, 1}、{0, 1, 2, 3, 4, 5, 6, 7, 8, 9, 10}、もしくは{0, 6, 12, 18, 24, 30, 36, 42}を含みうる。他の例として、予め設定された値の集合は、0から23を含んでもよく、予め設定された値の集合は、{0, 1, 2, 3, 4, 5, 6, 7, 8, 9, 10, 11, 12, 13, 14, 15, 16, 17, 18, 19, 20, 21, 22, 23}であり、または予め設定された値の集合は、0から23の中の偶数を含んでもよく、予め設定された値の集合は、{0, 2, 4, 6, 8, 10, 12, 14, 16, 18, 20, 22}であり、または予め設定された値の集合は、0から23の中の奇数を含み、予め設定された値の集合は、{1, 3, 5, 7, 9, 11, 13, 15, 17, 19, 21, 23}であり、または予め設定された値の集合は、0から23の中の少なくとも2つの値、たとえば、{0, 1, 2, 3}もしくは{0, 1, 2, 3, 4, 5, 6, 7, 8, 9, 10}を含みうる。他の例として、予め設定された値の集合は、0から11の中の少なくとも2つの値を含み、予め設定された値の集合は、{0, 1, 2, 3, 4, 5, 6, 7, 8, 9, 10, 11}であり、または予め設定された値の集合は、0から11の中の偶数を含み、予め設定された値の集合は、{0, 2, 4, 6, 8, 10}であり、または予め設定された値の集合は、0から23の中の奇数を含み、すなわち、予め設定された値の集合は、{1, 3, 5, 7, 9, 11}である。他の例として、予め設定された値の集合は、{0, 6, 12, 18, 24, 30, 36, 42}である。上述の予め設定された値の集合が例に過ぎず、限定を意図されていないことは、理解されるであろう。
【００９７】
Mが予め設定された値の集合のうちのいずれか1つの値である実装において、位置情報は、予め設定された値の集合の中のMの値の位置である。位置は、予め設定された値の集合の中のMに対応する値の番号でありうる。たとえば、予め設定された値の集合が、{0, 2, 4, 6, 8, 10}であり、3ビットが、位置情報を表すために必要とされ、000は、予め設定された値の集合の中の第1の値を表し、Mは、0であり、001は、予め設定された値の集合の中の第2の値を表し、Mは、2であり、010は、予め設定された値の集合の中の第3の値を表し、Mは、4であり、011は、予め設定された値の集合の中の第5の値を表し、Mは、8であり、100は、予め設定された値の集合の中の第6の値を表し、Mは、10である。したがって、たとえば、ネットワークデバイスによって端末デバイスに送信された位置情報が011であるとき、そのことは、同期信号ブロックPRBグリッド内の第1の所定の位置と第1のサブキャリア間隔のシステム共通PRBグリッド内の任意のPRBには8個のサブキャリア間隔のオフセットがあることを示す。
【００９８】
Mが予め設定された値の集合のうちのいずれか1つの値である他の実装において、位置情報に含まれる内容は、Mである。たとえば、予め設定された値の集合が、{0, 2, 4, 6, 8, 10}であり、4ビットが、位置情報を表すために必要とされ、0000は、Nが0であることを示し、0010は、Mが2であることを示し、0100は、Mが4であることを示し、1000は、Mが8であることを示し、1010は、Mが10であることを示す。したがって、たとえば、ネットワークデバイスによって端末デバイスに送信された位置情報が1000であるとき、そのことは、同期信号ブロックPRBグリッド内の第1の所定の位置と第1のサブキャリア間隔のシステム共通PRBグリッド内の任意のPRBには8個のサブキャリア間隔のオフセットがあることを示す。
【００９９】
上述の第2の位置情報表現方法において、位置情報は、同期信号ブロックPRBグリッド内の第1の所定の位置と第1のサブキャリア間隔のシステム共通PRBグリッド内の任意のPRBにはM個のサブキャリア間隔のオフセットがあることを示すために使用される。たとえば、M個のサブキャリア間隔の中のサブキャリア間隔は、同期信号ブロックPRBグリッドのサブキャリア間隔であってもよく、またはM個のサブキャリア間隔の中のサブキャリア間隔は、システム共通PRBグリッドのサブキャリア間隔でありうる。これは、この実施形態において限定されない。
【０１００】
他の実装方法において、第2の位置情報表現方法に関して、Mの値は、以下の式、すなわち、M=U、M=Ux2、M=Ux2+1、およびM=Ux6のうちの1つを満たしてもよく、Uは、位置情報(たとえば、十進表記の位置情報の値)であるか、またはUは、0、1、2、3、...、47のうちの値に等しくてもよく、またはUは、0、1、2、3、...、23のうちの値に等しくてもよく、またはUは、0、1、2、3、...、11のうちの値に等しくてもよく、またはUは、0、1、2、3、...、7のうちの値に等しくてもよい。式は、初期化中にネットワークデバイスおよび端末デバイスによって合意されえ、または式は、標準的なプロトコルにおいて指定されえ、ネットワークデバイスおよび端末デバイスは、標準的なプロトコルに準拠する。要するに、ネットワークデバイスと端末デバイスとの両方が、式を知っている。したがって、Mの値は、システム情報のビット値に基づいて動的に計算され得る。M=Ux2を例として使用して、位置情報がUであるとき、位置情報は、同期信号ブロックPRBグリッド内の第1の所定の位置と第1のサブキャリア間隔のシステム共通PRBグリッド内の任意のPRBにM=(Ux2)個のサブキャリア間隔のオフセットがあることを示すために使用される。
【０１０１】
以下において、例を使用することによって第2の方法の位置情報を説明する。
【０１０２】
例の説明1:図8Aに示される位置情報を例として使用して、図8Aの第1の行のグリッドは、15MHzのシステム帯域幅の15kHzのサブキャリア間隔(すなわち、上述の第1のサブキャリア間隔)のシステム共通PRBグリッドを表し、図8Aの第2から第4の行のグリッドは、3つの異なる同期信号ブロックPRBグリッドを表す。図8Aにおいて、3つの同期信号ブロックPRBグリッドの各々の中の第1の所定の位置は、同期信号ブロックPRBグリッド内の中心周波数、すなわち、同期信号ブロックPRBグリッド内の1を付番された第2のPRBと2を付番された第2のPRBとの間の矢印付きの実線がある周波数である。位置情報のシステム共通PRBグリッド内の任意のPRBは、3つの実線の各々が通るPRBグリッドであると仮定される。第2から第4の行の3つの同期信号ブロックPRBグリッドに対応して、システム共通PRBグリッド内の任意のPRBは、順に、同期信号ブロックPRBグリッド内の9を付番された第3のPRBおよび2を付番された第3のPRBである。第2の行の同期信号ブロックPRBグリッドについて、位置情報は、同期信号ブロックPRBグリッド内の中心周波数と第1のサブキャリア間隔のシステム共通PRBグリッド内の任意のPRBの左の境界には10個のサブキャリア間隔のオフセットがあることを示すために使用され、第3の行の同期信号ブロックPRBグリッドについて、位置情報は、同期信号ブロックPRBグリッド内の中心周波数と第1のサブキャリア間隔のシステム共通PRBグリッド内の任意のPRBの左の境界には2個のサブキャリア間隔のオフセットがあることを示すために使用され、第4の行の同期信号ブロックPRBグリッドについて、位置情報は、同期信号ブロックPRBグリッド内の中心周波数と第1のサブキャリア間隔のシステム共通PRBグリッド内の任意のPRBの左の境界には6個のサブキャリア間隔のオフセットがあることを示すために使用されることが、計算によって知られ得る。
【０１０３】
例の説明2:図8Bに示される位置情報を例として使用して、図8Bの第1の行のグリッドは、10MHzのシステム帯域幅の15kHzのサブキャリア間隔(すなわち、上述の第1のサブキャリア間隔)のシステム共通PRBグリッドを表し、図8Bの第2から第4の行のグリッドは、3つの異なる同期信号ブロックPRBグリッドを表す。第1の所定の位置および任意のPRBについての仮定は、図8Aの仮定と同様である。図8Bにおいて、第2の行の同期信号ブロックPRBグリッドについて、位置情報は、同期信号ブロックPRBグリッド内の中心周波数と第1のサブキャリア間隔のシステム共通PRBグリッド内の任意のPRBの左の境界には0個のサブキャリア間隔のオフセットがあることを示すために使用され、第3の行の同期信号ブロックPRBグリッドについて、位置情報は、同期信号ブロックPRBグリッド内の中心周波数と第1のサブキャリア間隔のシステム共通PRBグリッド内の任意のPRBの左の境界には8個のサブキャリア間隔のオフセットがあることを示すために使用され、第4の行の同期信号ブロックPRBグリッドについて、位置情報は、同期信号ブロックPRBグリッド内の中心周波数と第1のサブキャリア間隔のシステム共通PRBグリッド内の任意のPRBの左の境界には4個のサブキャリア間隔のオフセットがあることを示すために使用されることが、計算によって知られ得る。
【０１０４】
第3の位置情報表現方法において、同期信号ブロックPRBグリッド内の第1の所定の位置と第1のサブキャリア間隔のシステム共通PRBグリッド内の任意のPRBとの間の相対的な位置関係は、PRBの数およびサブキャリア間隔の数を使用することによって表される。第1の例において、位置情報は、第1の所定の位置と任意のPRBの第2の所定の位置に、M個のサブキャリア間隔にN個のPRBを足したオフセットがあることを示すために使用され、MとNとの両方は、0以上である。あるいは、第2の例において、位置情報は、第1の所定の位置と第2の所定の位置に、M個の第3のサブキャリア間隔にNx12個の第4のサブキャリア間隔を足したオフセットがあることを示すために使用され、Mは、第3のサブキャリア間隔の数であり、Nx12は、第4のサブキャリア間隔の数であり、第3のサブキャリア間隔は、M個のサブキャリア間隔に対応するサブキャリア間隔であり、第4のサブキャリア間隔は、N個のPRBに対応するサブキャリア間隔である。あるいは、第3の例において、位置情報は、第1の所定の位置と第2の所定の位置にM+Nx12xA個の第3のサブキャリア間隔のオフセットがあることを示すために使用され、第3のサブキャリア間隔は、M個のサブキャリア間隔に対応するサブキャリア間隔であり、Aは、1、2、4、8、または16である。
【０１０５】
第3の位置情報表現方法において、M、N、PRB、およびサブキャリア間隔についての関連する説明および記述に関しては、上述の第1の位置情報表現方法および上述の第2の位置情報表現方法を参照されたい。詳細は、本明細書において再度説明されない。
【０１０６】
以下において、例を使用することによって第3の方法の位置情報を説明する。
【０１０７】
例の説明:図6に示される位置情報を例として使用して、図6の上のグリッドは、5MHzのシステム帯域幅の15kHzのサブキャリア間隔(すなわち、上述の第1のサブキャリア間隔)のシステム共通PRBグリッドを表し、図6の下のグリッドは、同期信号ブロックPRBグリッドを表す。図6において、同期信号ブロックPRBグリッド内の第1の所定の位置は、同期信号ブロックPRBグリッド内の中心周波数、すなわち、同期信号ブロックPRBグリッド内の1を付番された第2のPRBと2を付番された第2のPRBとの間の矢印付きの破線がある周波数である。位置情報のシステム共通PRBグリッド内の任意のPRBは、システム共通PRBグリッド内の2を付番された第2のPRB以外の任意のPRBであると仮定される。たとえば、システム共通PRBグリッド内の任意のPRBは、3を付番された第2のPRBである。この場合、位置情報は、同期信号ブロックPRBグリッド内の中心周波数と第1のサブキャリア間隔のシステム共通PRBグリッド内の任意のPRBの左の境界には6個のサブキャリア間隔に1個のPRBを足したオフセットがあることを示すために使用される。
【０１０８】
図26を参照すると、上の第1の方法の位置情報または第2の方法の位置情報が、図26に示される実施形態に適用され得る。図26において、第1の行のグリッドは、60kHzのサブキャリア間隔のシステム共通PRBグリッドであり、第2の行のグリッドは、30kHzのサブキャリア間隔のシステム共通PRBグリッドであり、第3の行のグリッドは、15kHzのサブキャリア間隔のシステム共通PRBグリッドであり、第4の行のグリッドは、15kHzのサブキャリア間隔の同期信号ブロックPRBグリッドである。図26の垂直の線Bは、同期信号ブロックPRBグリッド内の第1の所定の位置であり、第1の所定の位置は、同期信号ブロックPRBグリッド内の中心周波数である。
【０１０９】
たとえば、60kHzのサブキャリア間隔のシステム共通PRBグリッドにおいて、同期信号ブロックPRBグリッド内の第1の所定の位置(すなわち、垂直の線B)に対応する60kHzのサブキャリア間隔のシステム共通PRBグリッド内のPRBは、指定PRB、すなわち、図26の60kHzのサブキャリア間隔のシステム共通PRBグリッド内の6を付番されたPRBである。指定PRBの左の境界の位置は、第2の所定の位置、すなわち、図26の垂直の線Aの位置である。この場合、第1の所定の位置(すなわち、垂直の線B)と第2の所定の位置(すなわち、垂直の線A)には、2個のPRBまたは24個のサブキャリア間隔のオフセットがある。たとえば、位置情報は、同期信号ブロックPRBグリッド内の中心周波数と60kHzのサブキャリア間隔のPRBグリッドの境界の位置に2個のPRBまたは24個のサブキャリア間隔のオフセットがあることを示すために使用される。オフセットのサブキャリア間隔は、同期信号ブロックのサブキャリア間隔である。
【０１１０】
たとえば、30kHzのサブキャリア間隔のシステム共通PRBグリッドにおいて、同期信号ブロックPRBグリッド内の第1の所定の位置に対応する30kHzのサブキャリア間隔のシステム共通PRBグリッド内のPRBは、指定PRB、すなわち、図26の30kHzのサブキャリア間隔のシステム共通PRBグリッド内の3を付番されたPRBである。指定PRBの左の境界の位置は、第2の予め設定された位置である。この場合、第1の所定の位置と第2の所定の位置に0個のサブキャリア間隔のオフセットがある。たとえば、位置情報は、同期信号ブロックPRBグリッド内の中心周波数と30kHzのサブキャリア間隔のPRBグリッドの境界の位置に0個のサブキャリア間隔のオフセットがあることを示すために使用され、オフセットのサブキャリア間隔は、同期信号ブロックのサブキャリア間隔である。
【０１１１】
たとえば、15kHzのサブキャリア間隔のシステム共通PRBグリッドにおいて、同期信号ブロックPRBグリッド内の第1の所定の位置に対応する15kHzのサブキャリア間隔のシステム共通PRBグリッド内のPRBは、指定PRB、すなわち、図26の15kHzのサブキャリア間隔のシステム共通PRBグリッド内の6を付番されたPRBである。指定PRBの左の境界の位置は、第2の予め設定された位置である。この場合、第1の所定の位置と第2の所定の位置に0個のサブキャリア間隔のオフセットがある。実装において、位置情報は、同期信号ブロックPRBグリッド内の中心周波数と15kHzのサブキャリア間隔のPRBグリッドの境界の位置に0個のサブキャリア間隔のオフセットがあることを示すために使用され、オフセットのサブキャリア間隔は、同期信号ブロックのサブキャリア間隔である。
【０１１２】
図27を参照すると、上の第1の方法の位置情報または第2の方法の位置情報が、図27に示される実施形態に適用され得る。図27において、第1の行のグリッドは、60kHzのサブキャリア間隔のシステム共通PRBグリッドであり、第2の行のグリッドは、30kHzのサブキャリア間隔のシステム共通PRBグリッドであり、第3の行のグリッドは、15kHzのサブキャリア間隔のシステム共通PRBグリッドであり、第4の行のグリッドは、15kHzのサブキャリア間隔の同期信号ブロックPRBグリッドである。図27の垂直の線Bは、同期信号ブロックPRBグリッド内の第1の所定の位置であり、第1の所定の位置は、同期信号ブロックPRBグリッド内の中心周波数である。
【０１１３】
たとえば、60kHzのサブキャリア間隔のシステム共通PRBグリッドにおいて、同期信号ブロックPRBグリッド内の第1の所定の位置に対応する60kHzのサブキャリア間隔のシステム共通PRBグリッド内のPRBは、指定PRB、すなわち、図27の60kHzのサブキャリア間隔のシステム共通PRBグリッド内の5を付番されたPRBである。指定PRBの左の境界の位置は、第2の予め設定された位置、すなわち、図27の60kHzのサブキャリア間隔のシステム共通PRBグリッド内の垂直の線Aの位置である。この場合、第1の所定の位置と第2の所定の位置に3個のPRBまたは36個のサブキャリア間隔のオフセットがある。たとえば、位置情報は、同期信号ブロックPRBグリッド内の中心周波数と60kHzのサブキャリア間隔のPRBグリッドの境界の位置に3個のPRBまたは36個のサブキャリア間隔のオフセットがあることを示すために使用され、オフセットのサブキャリア間隔は、同期信号ブロックのサブキャリア間隔である。
【０１１４】
たとえば、30kHzのサブキャリア間隔のシステム共通PRBグリッドにおいて、同期信号ブロックPRBグリッド内の第1の所定の位置に対応する30kHzのサブキャリア間隔のシステム共通PRBグリッド内のPRBは、指定PRB、すなわち、図27の30kHzのサブキャリア間隔のシステム共通PRBグリッド内の2を付番されたPRBである。指定PRBの左の境界の位置は、第2の予め設定された位置である。この場合、第1の所定の位置と第2の所定の位置に12個のサブキャリア間隔または1個のPRBのオフセットがある。たとえば、位置情報は、同期信号ブロックPRBグリッド内の中心周波数と30kHzのサブキャリア間隔のPRBグリッドの境界の位置に12個のサブキャリア間隔または1個のPRBのオフセットがあることを示すために使用され、オフセットのサブキャリア間隔は、同期信号ブロックのサブキャリア間隔である。
【０１１５】
たとえば、15kHzのサブキャリア間隔のシステム共通PRBグリッドにおいて、同期信号ブロックPRBグリッド内の第1の所定の位置に対応する15kHzのサブキャリア間隔のシステム共通PRBグリッド内のPRBは、指定PRB、すなわち、図27の15kHzのサブキャリア間隔のシステム共通PRBグリッド内の6を付番されたPRBである。指定PRBの左の境界の位置は、第2の予め設定された位置である。この場合、第1の所定の位置と第2の所定の位置に0個のサブキャリア間隔のオフセットがある。たとえば、位置情報は、同期信号ブロックPRBグリッド内の中心周波数と15kHzのサブキャリア間隔のPRBグリッドの境界の位置に0個のサブキャリア間隔のオフセットがあることを示すために使用され、オフセットのサブキャリア間隔は、同期信号ブロックのサブキャリア間隔である。
【０１１６】
図28を参照すると、上の第1の方法の位置情報または第2の方法の位置情報が、図28に示される実施形態に適用され得る。図28において、第1の行のグリッドは、60kHzのサブキャリア間隔のシステム共通PRBグリッドであり、第2の行のグリッドは、30kHzのサブキャリア間隔のシステム共通PRBグリッドであり、第3の行のグリッドは、15kHzのサブキャリア間隔のシステム共通PRBグリッドであり、第4の行のグリッドは、15kHzのサブキャリア間隔の同期ブロックPRBグリッドである。図28の左から3番目の垂直の線は、同期ブロックPRBグリッド内の第1の所定の位置であり、第1の所定の位置は、同期ブロックPRBグリッド内の中心周波数である。
【０１１７】
たとえば、60kHzのサブキャリア間隔のシステム共通PRBグリッドにおいて、同期ブロックPRBグリッド内の第1の所定の位置に対応する60kHzのサブキャリア間隔のシステム共通PRBグリッド内のPRBは、指定PRB、すなわち、図28の60kHzのサブキャリア間隔のシステム共通PRBグリッド内の5を付番されたPRBである。指定PRBの左の境界の位置は、第2の予め設定された位置、すなわち、図27の60kHzのサブキャリア間隔のシステム共通PRBグリッド内の左から1番目の垂直の線の位置である。この場合、第1の所定の位置と第2の所定の位置に3.5個のPRBまたは42個のサブキャリア間隔のオフセットがある。実装において、位置情報は、同期信号ブロックPRBグリッド内の中心周波数と60kHzのサブキャリア間隔のPRBグリッドの境界の位置に3.5個のPRBまたは42個のサブキャリア間隔のオフセットがあることを示すために使用され、オフセットのサブキャリア間隔は、同期信号ブロックのサブキャリア間隔である。
【０１１８】
たとえば、30kHzのサブキャリア間隔のシステム共通PRBグリッドにおいて、同期ブロックPRBグリッド内の第1の所定の位置に対応する30kHzのサブキャリア間隔のシステム共通PRBグリッド内のPRBは、指定PRB、すなわち、図28の30kHzのサブキャリア間隔のシステム共通PRBグリッド内の2を付番されたPRBである。指定PRBの左の境界の位置は、第2の予め設定された位置である。この場合、第1の所定の位置と第2の所定の位置に18個のサブキャリア間隔または1.5個のPRBのオフセットがある。実装において、位置情報は、同期信号ブロックPRBグリッド内の中心周波数と30kHzのサブキャリア間隔のPRBグリッドの境界の位置に18個のサブキャリア間隔または1.5個のPRBのオフセットを有することを示すために使用され、オフセットのサブキャリア間隔は、同期信号ブロックのサブキャリア間隔である。
【０１１９】
たとえば、15kHzのサブキャリア間隔のシステム共通PRBグリッドにおいて、同期ブロックPRBグリッド内の第1の所定の位置に対応する15kHzのサブキャリア間隔のシステム共通PRBグリッド内のPRBは、指定PRB、すなわち、図28の15kHzのサブキャリア間隔のシステム共通PRBグリッド内の6を付番されたPRBである。指定PRBの左の境界の位置は、第2の予め設定された位置である。この場合、第1の所定の位置と第2の所定の位置に6個のサブキャリア間隔または0.5個のPRBのオフセットがある。実装において、位置情報は、同期信号ブロックPRBグリッド内の中心周波数と15kHzのサブキャリア間隔のPRBグリッドの境界の位置に6個のサブキャリア間隔または0.5個のPRBのオフセットがあることを示すために使用され、オフセットのサブキャリア間隔は、同期信号ブロックのサブキャリア間隔である。
【０１２０】
この実施形態において、端末デバイスは、ステップ501においてネットワークデバイスによって送信された位置情報を受信した後にステップ502を実行する。
【０１２１】
ステップ502:端末デバイスが、同期信号ブロックPRBグリッド内の第1の所定の位置および位置情報に基づいて第1のサブキャリア間隔のシステム共通PRBグリッド内の任意のPRBの第2の所定の位置を決定し、第2の所定の位置は、システム共通PRBグリッドに含まれるPRBの位置を決定するために使用される。
【０１２２】
ステップ502において、システム共通PRBグリッド内の任意のPRBの第2の所定の位置は、予め設定されたシステム共通PRBグリッド内の位置であり、システム共通PRBグリッド内の第2の所定の位置は、システム共通PRBグリッド内の任意の位置として設定されえ、この実施形態において限定されない。たとえば、システム共通PRBグリッド内の任意のPRBの第2の所定の位置は、任意のPRBの境界の位置または中心の位置でありうる。さらに、境界の位置は、左または右の境界でありうる。実装方法において、中心の位置は、PRBの第7のサブキャリアである。
【０１２３】
ステップ502において、位置情報は、同期信号ブロックPRBグリッド内の中心周波数と第1のサブキャリア間隔のシステム共通PRBグリッド内の任意のPRBの左の境界にはN個のPRBのオフセットがあることを示すために使用され、Nは、0以上であると仮定される。たとえば、Nは、0または0.5を含むがこれらに限定されない。たとえば、位置情報は、Nが0または0.5であることを示す。中心周波数が知られているので、中心周波数からN個のPRBのオフセットをされた周波数がシステム共通PRBグリッド内の任意のPRBの左の境界に対応する周波数であることは、位置情報に基づいて知られ得る。したがって、システム共通PRBグリッド内の任意のPRBの左の境界に対応する周波数が、取得され得る。システム共通PRBグリッドの第1のサブキャリア間隔が知られており、システム共通PRBグリッド内の1つのPRBに含まれるサブキャリアの数が決まっているので、システム共通PRBグリッド内の1つのPRBの幅が知られ、システム共通PRBグリッド内のPRBの幅は、第1のサブキャリア間隔とPRBに含まれるサブキャリアの決まった数との積に等しい。システム共通PRBグリッド内の任意のPRBの左の境界に対応する周波数およびシステム共通PRBグリッド内のPRBの幅が知られているとき、システム共通PRBグリッドに含まれるPRBの位置が決定されることが可能であり、PRBの位置は周波数を使用することによって表され得る。
【０１２４】
この実施形態において、端末デバイスがシステム共通PRBグリッドに含まれるPRBの位置を決定することは、複数のシナリオに適用しうる。シナリオにおいて、ネットワークデバイスがシステム共通PRBグリッド内の任意のPRBからQ個のPRB離れた位置に端末デバイスをスケジューリングすると仮定すると、端末デバイスは、第1のサブキャリア間隔のシステム共通PRBグリッド内の任意のPRBの第2の所定の位置およびPRBの幅に基づいて任意のPRBからQ個のPRB離れた位置を決定してもよく、Qは、0以上の整数であり、そして、端末デバイスは、スケジューリング位置においてネットワークデバイスからスケジューリングを受信しうる。
【０１２５】
図6に示された位置情報を例として使用して、位置情報は、同期信号ブロックPRBグリッド内の中心周波数と第1のサブキャリア間隔のシステム共通PRBグリッド内の任意のPRBの左の境界には0.5個のPRBのオフセットがあることを示すために使用され、この場合、端末デバイスは、任意のPRBの左の境界がある周波数を決定することができる。ネットワークデバイスがシステム共通PRBグリッド内の任意のPRBの左から1個のPRB離れた位置に端末デバイスをスケジューリングすると仮定すると、端末デバイスは、任意のPRBの左の境界がある周波数およびPRBの幅に基づいて、ネットワークデバイスが端末デバイスをスケジューリングするPRBに対応する周波数を決定し得る。
【０１２６】
この実施形態において、上述の方法によれば、第1のサブキャリア間隔のシステム共通PRBグリッド内の任意のPRBの第2の所定の位置が、決定されることが可能であり、その結果、システム共通PRBグリッドに含まれるPRBの位置が、決定されることが可能である。同じシステム帯域幅の異なるサブキャリア間隔に対応するPRBの幅の間に複数の関係が存在する。たとえば、同じシステム帯域幅について、30kHzのサブキャリア間隔の1つのPRBは、15kHzのサブキャリア間隔の1つのPRBの2倍の幅であり、60kHzのサブキャリア間隔の1つのPRBは、15kHzのサブキャリア間隔の1つのPRBの4倍の幅である。したがって、複数の関係に基づいて、第2のサブキャリア間隔のシステム共通PRBグリッドに含まれるPRBの位置が、第1のサブキャリア間隔のシステム共通PRBグリッドに含まれるPRBの位置に基づいて決定され得る。第2のサブキャリア間隔のシステム共通PRBグリッドおよび第1のサブキャリア間隔のシステム共通PRBグリッドは、同じシステム帯域幅に属するが、異なるサブキャリア間隔を有する。図9に示されるシステム共通PRBグリッドを例として使用して、同じシステム帯域幅について、図9の第1の行は、30kHzのサブキャリア間隔の第1のシステム共通PRBグリッドであり、図9の第2の行は、60kHzのサブキャリア間隔の第2のシステム共通PRBグリッドである。第2のシステム共通PRBグリッド内の矢印付きの実線が通る3を付番されたPRBの左の境界の位置が知られており、60kHzのサブキャリア間隔のPRBが30kHzのサブキャリア間隔のPRBの2倍の幅であると仮定される。したがって、第2のシステム共通PRBグリッド内のPRBの位置が、決定され得る。
【０１２７】
以上を考慮して、図5に示され、本出願のこの実施形態において提供されるPRBグリッド指示方法において、ネットワークデバイスは、端末デバイスに位置情報を送信し、位置情報は、同期信号ブロックPRBグリッド内の第1の所定の位置と第1のサブキャリア間隔のシステム共通PRBグリッド内の任意のPRBとの間の相対的な位置関係を示すために使用され、端末デバイスは、同期信号ブロックPRBグリッド内の第1の所定の位置および位置情報に基づいて第1のサブキャリア間隔のシステム共通PRBグリッド内の任意のPRBの第2の所定の位置を決定してもよく、第2の所定の位置は、システム共通PRBグリッドに含まれるPRBの位置を決定するために使用される。したがって、5Gシステム内の端末デバイスが、システム共通PRBグリッド内のPRBの位置を取得することができる。
【０１２８】
本出願の実施形態は、PRBグリッド指示方法をさらに提供し、方法は、同じシステム帯域幅の異なるサブキャリア間隔に対応するシステム共通PRBグリッドの間の関係を取得するために5Gシステム内の端末デバイスによって使用される。図10は、PRBグリッド指示方法の概略的な流れ図であり、方法は、以下のステップを含む。
【０１２９】
ステップ1000:ネットワークデバイスが、端末デバイスにスケジューリング情報を送信し、スケジューリング情報は、指定PRB上に端末デバイスをスケジューリングするためにネットワークデバイスによって使用される。
【０１３０】
ステップ1001:端末デバイスが、ネットワークデバイスによって送信されたスケジューリング情報を受信する。
【０１３１】
ステップ1001において、スケジューリング情報が、指定PRB上に端末デバイスをスケジューリングするためにネットワークデバイスによって使用され、指定PRBは、システム帯域幅におけるサブキャリア間隔のシステム共通PRBグリッド内のPRBである。この場合、指定PRBに対応するシステム帯域幅およびサブキャリア間隔が知られ、システム共通PRBグリッド内の指定PRBのシーケンス番号も知られる。
【０１３２】
ステップ1002:端末デバイスが、所定の情報に基づいて指定PRBの位置を決定する。
【０１３３】
ステップ1002において、所定の情報が、少なくとも1つのシステム帯域幅のうちのいずれか1つにおける異なるサブキャリア間隔のシステム共通PRBグリッド内のPRBの位置を示すために使用される。所定の情報は、この実施形態において定義される異なるシステム帯域幅の異なるサブキャリア間隔のシステム共通PRBグリッドに基づく。異なるシステム帯域幅の異なるサブキャリア間隔のシステム共通PRBグリッドが所定の情報を使用することによって取得され得るならば、所定の情報の示し方は、この実施形態において限定されない。たとえば、所定の情報は、以下の2つの示し方を有しうる。
【０１３４】
方法1:所定の情報が、少なくとも1つのシステム帯域幅のうちのいずれか1つにおける異なるサブキャリア間隔のシステム共通PRBグリッド内のPRBの位置を示すために使用される。
【０１３５】
この方法において、所定の情報は、異なるシステム帯域幅の異なるサブキャリア間隔のシステム共通PRBグリッド内のPRBの位置を直接示し、それぞれのシステム共通PRBグリッド内のPRBの位置が、複数の方法で示されうる。たとえば、所定の情報は、システム共通PRBグリッド内の開始PRBの左または右の境界の周波数を示す。他の例として、所定の情報は、システム共通PRBグリッド内の第NのPRBの左または右の境界の周波数を示す。Nは、正の整数であり、この実施形態において限定されない。
【０１３６】
方法2:所定の情報は、第1のシステム共通PRBグリッド内のPRBの位置、および第1のシステム共通PRBグリッドと第2のシステム共通PRBグリッドとの間の相対的な位置関係を示すために使用され、第1のシステム共通PRBグリッドと第2のシステム共通PRBグリッドとは少なくとも1つのシステム帯域幅の中の同じシステム帯域幅に属し、第1のシステム共通PRBグリッドのサブキャリア間隔と第2のシステム共通PRBグリッドのサブキャリア間隔とは異なる。
【０１３７】
この方法において、所定の情報は、異なるシステム帯域幅の異なるサブキャリア間隔のシステム共通PRBグリッド内のPRBの位置を直接示さないが、システム帯域幅におけるサブキャリア間隔の第1のシステム共通PRBグリッド内のPRBの位置を示し、第1のシステム共通PRBグリッドと第2のシステム共通PRBグリッドとの間の相対的な位置関係を示す。相対的な位置関係によって、第2のシステム共通PRBグリッド内のPRBの位置が、第1のシステム共通PRBグリッド内のPRBの位置に基づいて導出され得る。
【０１３８】
同様に、第1のシステム共通PRBグリッド内のPRBの位置が、複数の方法で示されうる。たとえば、所定の情報は、第1のシステム共通PRBグリッド内の開始PRBの左または右の境界の周波数を示す。他の例として、所定の情報は、第1のシステム共通PRBグリッド内の第NのPRBの左または右の境界の周波数を示す。Nは、正の整数であり、この実施形態において限定されない。
【０１３９】
相対的な位置関係によって、第2のシステム共通PRBグリッド内のPRBの位置が第1のシステム共通PRBグリッド内のPRBの位置に基づいて導出され得るならば、第2のシステム共通PRBグリッドと第1のシステム共通PRBグリッドとの間の相対的な位置関係は、やはり複数の実装を有しうる。これは、この実施形態において限定されない。たとえば、第2のシステム共通PRBグリッドと第1のシステム共通PRBグリッドとの間の相対的な位置関係は、第2のシステム共通PRBグリッド内の開始PRBの左の境界および第1のシステム共通PRBグリッド内の開始PRBの左の境界がいくつかのPRBまたはいくつかのサブキャリア間隔の左のオフセットがあることでありうる。他の例として、第2のシステム共通PRBグリッドと第1のシステム共通PRBグリッドとの間の相対的な位置関係は、第2のシステム共通PRBグリッド内の中心の位置のPRBの左の境界および第1のシステム共通PRBグリッド内の中心の位置のPRBの左の境界がいくつかのPRBまたはいくつかのサブキャリア間隔の左のオフセットがあることでありうる。
【０１４０】
したがって、端末デバイスは、所定の情報、すなわち、この実施形態において定義される異なるシステム帯域幅の異なるサブキャリア間隔のシステム共通PRBグリッドに基づいて指定PRBの位置を決定することができる。
【０１４１】
この実施形態において定義される異なるシステム帯域幅の異なるサブキャリア間隔のシステム共通PRBグリッドについての詳細に関しては、図11から図18に示されるシステム共通PRBグリッドの概略的な構造図を参照されたい。
【０１４２】
図11に示されるシステム共通PRBグリッドの構造が、例として使用される。図11の選択肢1は、上から下に向かって順に第1のシステム共通PRBグリッドおよび第2のシステム共通PRBグリッドであるシステム共通PRBグリッドの2つの行を含む。第1のシステム共通PRBグリッドおよび第2のシステム共通PRBグリッドについて、システム帯域幅は、両方とも5MHzであり、サブキャリア間隔は、順に30kHzおよび15kHzである。図11の選択肢1に示されるシステム共通PRBグリッドの構造に関して、この実施形態の所定の情報は、第1のシステム共通PRBグリッドおよび第2のシステム共通PRBグリッドを含んでもよく、または所定の情報は、第1のシステム共通PRBグリッドを含みうる。30kHzのサブキャリア間隔の第1のシステム共通PRBグリッド内の第1のPRBの左の境界が、15kHzのサブキャリア間隔の第2のシステム共通PRBグリッド内の第1のPRBの左の境界と位置を揃えられる。図11において、選択肢1および選択肢2は、5MHzのシステム帯域幅の異なるサブキャリア間隔のシステム共通PRBグリッドの2つの可能なグリッド構造である。
【０１４３】
図12に示されるシステム共通PRBグリッドの構造が、例として使用される。図12は、10MHzのシステム帯域幅の異なるサブキャリア間隔のシステム共通PRBグリッドの概略的な構造図であり、選択肢1および選択肢2は、60kHzのサブキャリア間隔の2つのシステム共通PRBグリッドである。選択肢1に示される60kHzのサブキャリア間隔のシステム共通PRBグリッドが、例として使用される。所定の情報は、10MHzのシステム帯域幅のそれぞれ60kHz、30kHz、および15kHzのサブキャリア間隔のシステム共通PRBグリッドを含んでもよく、または所定の情報は、10MHzのシステム帯域幅の60kHzのサブキャリア間隔のシステム共通PRBグリッドを含みうる。60kHzのサブキャリア間隔のシステム共通PRBグリッド内の(00を付番された)第1のPRBの左の境界が、30kHzのサブキャリア間隔のシステム共通PRBグリッド内の(1を付番された)第1のPRBの左の境界と位置を揃えられ、60kHzのサブキャリア間隔のシステム共通PRBグリッド内の(00を付番された)第1のPRBの左の境界が、15kHzのサブキャリア間隔のシステム共通PRBグリッド内の(4を付番された)第5のPRBの左の境界と位置を揃えられる。
【０１４４】
図13から図18は、すべて、同じシステム帯域幅の異なるサブキャリア間隔のシステム共通PRBグリッドの間の相対的な位置関係を表すことができる。図13から図18に対応するシステム帯域幅は、順に、15MHz、20MHz、25MHz、25MHz、25MHz、および25MHzである。
【０１４５】
この実施形態において定義される異なるシステム帯域幅の異なるサブキャリア間隔のシステム共通PRBグリッドは、プロトコルで指定されえ、この場合、ネットワークデバイスおよび端末デバイスは、この実施形態において定義されるシステム共通PRBグリッドを知っていたことに留意されたい。あるいは、ネットワークデバイスが、この実施形態において定義されるシステム共通PRBグリッドを知っており、ネットワークデバイスが、端末デバイスにこの実施形態において定義されるシステム共通PRBグリッドを通知する。あるいは、ネットワークデバイスが、この実施形態において定義されるシステム共通PRBグリッドを知っており、ネットワークデバイスが、定義されるシステム共通PRBグリッドに基づいて指定PRBの位置を決定し、ネットワークデバイスが、端末デバイスに指定PRBの位置を送信する。これは、この実施形態において限定されない。
【０１４６】
以上を考慮して、図10に示され、本出願のこの実施形態において提供されるPRBグリッド指示方法において、端末デバイスは、この実施形態において定義される異なるシステム帯域幅の異なるサブキャリア間隔のシステム共通PRBグリッドに基づいて任意のPRBの位置を決定し得る。この実施形態において定義される異なるシステム帯域幅の異なるサブキャリア間隔のシステム共通PRBグリッドは、ネットワークデバイスが端末デバイスをスケジューリングするシナリオに適用しうるだけでなく、他のシナリオにも適用しうることに留意されたい。これは、この実施形態において限定されない。
【０１４７】
同じ発明の概念に基づいて、本出願の実施形態は、端末デバイスをさらに提供する。端末デバイスは、図10に対応する実施形態において提供される方法で端末デバイスによって実行される方法を実施することができる。図19を参照すると、端末デバイスは、トランシーバユニット1901および処理ユニット1902を含む。
【０１４８】
トランシーバユニット1901は、ネットワークデバイスによって送信された位置情報を受信するように構成され、位置情報は、同期信号ブロックPRBグリッド内の第1の所定の位置と第1のサブキャリア間隔のシステム共通PRBグリッド内の任意のPRBとの間の相対的な位置関係を示すために使用される。
【０１４９】
処理ユニット1902は、第1の所定の位置および位置情報に基づいて任意のPRBの第2の所定の位置を決定するように構成され、第2の所定の位置は、システム共通PRBグリッドに含まれるPRBの位置を決定するために使用される。
【０１５０】
可能な実装において、ネットワークデバイスによって送信された位置情報を受信するとき、トランシーバユニット1901は、
物理ブロードキャストチャネル上で運ばれ、ネットワークデバイスによって送信されたブロードキャストメッセージを受信するように具体的に構成され、ブロードキャストメッセージは位置情報を運ぶ。
【０１５１】
可能な実装において、位置情報は、同期信号ブロックPRBグリッド内の第1の所定の位置と第1のサブキャリア間隔のシステム共通PRBグリッド内の任意のPRBとの間の相対的な位置関係を示すために使用される、ということは、具体的には、
位置情報は、第1の所定の位置と任意のPRBの第2の所定の位置にN個のPRBのオフセットがあることを示すために使用され、Nが、0以上であること、または
位置情報は、第1の所定の位置と任意のPRBの第2の所定の位置にM個のサブキャリア間隔のオフセットがあることを示すために使用され、Nが、0以上であることである。
【０１５２】
可能な実装において、第2の所定の位置は、任意のPRBの境界の位置または中心の位置である。
【０１５３】
可能な実装において、第1の所定の位置は、以下、すなわち、
同期信号ブロックPRBグリッドの中心周波数、同期信号ブロックPRBグリッドの第1のサブキャリアに対応する周波数、同期信号ブロックPRBグリッドに対応する同期信号ブロックのキャリア周波数位置、同期信号ブロックPRBグリッドの中心周波数に最も近いサブキャリアに対応する中心周波数、および同期信号ブロックPRBグリッドに対応する物理チャネルの第145のサブキャリアに対応する周波数のうちのいずれか1つである。
【０１５４】
可能な実装において、処理ユニット1902は、
第1の所定の位置および位置情報に基づいて任意のPRBの第2の所定の位置を決定した後、ネットワークデバイスが任意のPRBからQ個のPRB離れた位置に端末デバイスをスケジューリングするとき、第2の所定の位置および1つのPRBの幅に基づいて任意のPRBからQ個のPRB離れた位置を決定するようにさらに構成され、Qは、0以上の整数であり、PRBの幅は、第1のサブキャリア間隔とPRBに含まれるサブキャリアの数との積に等しい。
【０１５５】
可能な実装において、処理ユニット1902は、
第1の所定の位置および位置情報に基づいて任意のPRBの第2の所定の位置を決定した後、第1のサブキャリア間隔のシステム共通PRBグリッド内の任意のPRBの第2の所定の位置に基づいて第2のサブキャリア間隔のシステム共通PRBグリッド内のPRBの位置を決定するようにさらに構成され、第2のサブキャリア間隔と第1のサブキャリア間隔とは異なり、第1のサブキャリア間隔のシステム共通PRBグリッドと第2のサブキャリア間隔のシステム共通PRBグリッドとは同じシステム帯域幅に属する。
【０１５６】
本出願のこの実施形態におけるユニットの分割は例であり、論理的な機能の分割であるに過ぎず、実際の実装中に他の分割方法が存在しうることに留意されたい。本出願のこの実施形態の機能ユニットが、1つの処理ユニットに統合されてもよく、またはユニットの各々が、物理的に独立して存在してもよく、または2つ以上のユニットが、1つのユニットに統合される。統合されたユニットは、ハードウェアの形態で実装されえ、またはソフトウェアの機能ユニットの形態で実装されうる。
【０１５７】
統合されたユニットは、ソフトウェアの機能ユニットの形態で実装され、独立した製品として販売されるかまたは使用されるとき、コンピュータ可読記憶媒体に記憶され得る。そのような理解に基づいて、本出願の技術的な解決策は基本的にソフトウェア製品の形態で実装されえ、あるいは従来技術、または技術的な解決策のすべてもしくは一部に寄与する部分はソフトウェア製品の形態で実装されうる。ソフトウェア製品は、記憶媒体に記憶され、本出願の実施形態において説明された方法のステップのすべてまたは一部を実行するように(パーソナルコンピュータ、サーバ、もしくはネットワークデバイスなどであってもよい)コンピュータデバイスまたはプロセッサ(processor)に命じるためのいくつかの命令を含む。上述の記憶媒体は、USBフラッシュドライブ、取り外し可能なハードディスク、読み出し専用メモリ(read-only memory、ROM)、ランダムアクセスメモリ(random access memory、RAM)、磁気ディスク、または光ディスクなどのプログラムコードを記憶することができる任意の媒体を含む。
【０１５８】
同じ発明の概念に基づいて、本出願の実施形態は、端末デバイスをさらに提供する。端末デバイスは、図10に対応する実施形態において提供される方法で端末デバイスによって実行される方法を使用し、図19に示された端末デバイスと同じデバイスであってよい。図20を参照すると、端末デバイスは、プロセッサ2001、通信モジュール2002、およびメモリ2003を含む。
【０１５９】
プロセッサ2001は、以下のプロセス、すなわち、
ネットワークデバイスによって送信された位置情報を、通信モジュール2002を使用することによってプロセッサ2001により受信することであって、位置情報が、同期信号ブロックPRBグリッド内の第1の所定の位置と第1のサブキャリア間隔のシステム共通PRBグリッド内の任意のPRBとの間の相対的な位置関係を示すために使用される、受信することと、
第1の所定の位置および位置情報に基づいて任意のPRBの第2の所定の位置をプロセッサ2001によって決定することであって、第2の所定の位置が、システム共通PRBグリッドに含まれるPRBの位置を決定するために使用される、決定することとを実行するためにメモリ2003内のプログラムを読むように構成される。
【０１６０】
通信モジュール2002は、データを送信および/または受信するための通信インターフェースを含む。
【０１６１】
可能な実装において、ネットワークデバイスによって送信された位置情報を通信モジュール2002を使用することによって受信するとき、プロセッサ2001は、
物理ブロードキャストチャネル上で運ばれ、ネットワークデバイスによって送信されたブロードキャストメッセージを、通信モジュール2002を使用することによって受信するように具体的に構成され、ブロードキャストメッセージは、位置情報を運ぶ。
【０１６２】
可能な実装において、位置情報は、同期信号ブロックPRBグリッド内の第1の所定の位置と第1のサブキャリア間隔のシステム共通PRBグリッド内の任意のPRBとの間の相対的な位置関係を示すために使用される、ということは、具体的には、
位置情報は、第1の所定の位置と任意のPRBの第2の所定の位置にN個のPRBのオフセットがあることを示すために使用され、Nが、0以上であること、または
位置情報は、第1の所定の位置と任意のPRBの第2の所定の位置にM個のサブキャリア間隔のオフセットがあることを示すために使用され、Nが、0以上であることである。
【０１６３】
可能な実装において、第2の所定の位置は、任意のPRBの境界の位置または中心の位置である。
【０１６４】
可能な実装において、第1の所定の位置は、以下、すなわち、
同期信号ブロックPRBグリッドの中心周波数、同期信号ブロックPRBグリッドの第1のサブキャリアに対応する周波数、同期信号ブロックPRBグリッドに対応する同期信号ブロックのキャリア周波数位置、同期信号ブロックPRBグリッドの中心周波数に最も近いサブキャリアに対応する中心周波数、および同期信号ブロックPRBグリッドに対応する物理チャネルの第145のサブキャリアに対応する周波数のうちのいずれか1つである。
【０１６５】
可能な実装において、プロセッサ2001は、
第1の所定の位置および位置情報に基づいて任意のPRBの第2の所定の位置を決定した後、ネットワークデバイスが任意のPRBからQ個のPRB離れた位置に端末デバイスをスケジューリングするとき、第2の所定の位置および1つのPRBの幅に基づいて任意のPRBからQ個のPRB離れた位置を決定するようにさらに構成され、Qは、0以上の整数であり、PRBの幅は、第1のサブキャリア間隔とPRBに含まれるサブキャリアの数との積に等しい。
【０１６６】
可能な実装において、プロセッサ2001は、第1の所定の位置および位置情報に基づいて任意のPRBの第2の所定の位置を決定した後、第1のサブキャリア間隔のシステム共通PRBグリッド内の任意のPRBの第2の所定の位置に基づいて第2のサブキャリア間隔のシステム共通PRBグリッド内のPRBの位置を決定するようにさらに構成され、第2のサブキャリア間隔と第1のサブキャリア間隔とは異なり、第1のサブキャリア間隔のシステム共通PRBグリッドと第2のサブキャリア間隔のシステム共通PRBグリッドとは同じシステム帯域幅に属する。
【０１６７】
プロセッサ2001、通信モジュール2002、およびメモリ2003は、バスを使用することによって互いに接続される。バスは、周辺装置相互接続(peripheral component interconnect、PCI)バス、拡張業界標準アーキテクチャ(extended industry standard architecture、EISA)バスなどであってもよい。バスは、アドレスバス、データバス、制御バスなどとしてカテゴリー分けされ得る。
【０１６８】
図20において、バスアーキテクチャは、プロセッサ2001によって表される1つまたは複数のプロセッサおよびメモリ2003によって表されるメモリの様々な回路を使用することによって特にリンクされる任意の数の相互に接続されたバスおよびブリッジを含み得る。バスアーキテクチャは、周辺デバイス、電圧安定化装置、および電力管理回路などの様々なその他の回路をさらにリンクし得る。このすべては、当技術分野においてよく知られており、したがって、本明細書においてさらに説明されない。バスインターフェースは、インターフェースを提供する。通信モジュール2002は、複数の構成要素であってもよく、すなわち、送信器および通信モジュールを含み、送信媒体上で様々なその他の装置と通信するためのユニットを提供する。プロセッサ2001は、バスアーキテクチャの管理および通常の処理を担い、メモリ2003は、動作を実行する際にプロセッサ2001によって使用されるデータを記憶することができる。
【０１６９】
任意選択で、プロセッサ2001は、中央演算処理装置、特定用途向け集積回路(application-specific integrated circuit、ASIC)、フィールドプログラマブルゲートアレイ(field-programmable gate array、FPGA)、または複合プログラマブル論理デバイス(complex programmable logic device、CPLD)であってもよい。
【０１７０】
同じ発明の概念に基づいて、本出願の実施形態は、ネットワークデバイスをさらに提供する。ネットワークデバイスは、図10に対応する実施形態において提供される方法でネットワークデバイスによって実行される方法を実施することができる。図21を参照すると、ネットワークデバイスは、処理ユニット2101およびトランシーバユニット2102を含む。
【０１７１】
処理ユニット2101は、トランシーバユニット2102を使用することによって端末デバイスに位置情報を送信するように構成され、位置情報は、同期信号ブロックPRBグリッド内の第1の所定の位置と第1のサブキャリア間隔のシステム共通PRBグリッド内の任意のPRBとの間の相対的な位置関係を示すために使用され、第1の所定の位置および位置情報は、任意のPRBの第2の所定の位置を決定するために端末デバイスによって使用され、第2の所定の位置は、システム共通PRBグリッドに含まれるPRBの位置を決定するために使用される。
【０１７２】
可能な実装において、トランシーバユニット2102を使用することによって端末デバイスに位置情報を送信するとき、処理ユニット2101は、
物理ブロードキャストチャネル上で端末デバイスに運ばれるブロードキャストメッセージをトランシーバユニット2102を使用することによって送信するように具体的に構成され、ブロードキャストメッセージは、位置情報を運ぶ。
【０１７３】
可能な実装において、位置情報は、同期信号ブロックPRBグリッド内の第1の所定の位置と第1のサブキャリア間隔のシステム共通PRBグリッド内の任意のPRBとの間の相対的な位置関係を示すために使用される、ということは、具体的には、
位置情報は、第1の所定の位置と任意のPRBの第2の所定の位置にN個のPRBのオフセットがあることを示すために使用され、Nが、0以上であること、または
位置情報は、第1の所定の位置と任意のPRBの第2の所定の位置にM個のサブキャリア間隔のオフセットがあることを示すために使用され、Nが、0以上であることである。
【０１７４】
可能な実装において、第2の所定の位置は、任意のPRBの境界の位置または中心の位置である。
【０１７５】
可能な実装において、第1の所定の位置は、以下、すなわち、
同期信号ブロックPRBグリッドの中心周波数、同期信号ブロックPRBグリッドの第1のサブキャリアに対応する周波数、同期信号ブロックPRBグリッドに対応する同期信号ブロックのキャリア周波数位置、同期信号ブロックPRBグリッドの中心周波数に最も近いサブキャリアに対応する中心周波数、および同期信号ブロックPRBグリッドに対応する物理チャネルの第145のサブキャリアに対応する周波数のうちのいずれか1つである。
【０１７６】
本出願のこの実施形態におけるユニットの分割は例であり、論理的な機能の分割であるに過ぎず、実際の実装中に他の分割方法が存在しうることに留意されたい。本出願のこの実施形態の機能ユニットが、1つの処理ユニットに統合されてもよく、またはユニットの各々が、物理的に独立して存在してもよく、または2つ以上のユニットが、1つのユニットに統合される。統合されたユニットは、ハードウェアの形態で実装されえ、またはソフトウェアの機能ユニットの形態で実装されうる。
【０１７７】
統合されたユニットは、ソフトウェアの機能ユニットの形態で実装され、独立した製品として販売されるかまたは使用されるとき、コンピュータ可読記憶媒体に記憶され得る。そのような理解に基づいて、本出願の技術的な解決策は基本的にソフトウェア製品の形態で実装されえ、あるいは従来技術、または技術的な解決策のすべてもしくは一部に寄与する部分はソフトウェア製品の形態で実装されうる。ソフトウェア製品は、記憶媒体に記憶され、本出願の実施形態において説明された方法のステップのすべてまたは一部を実行するように(パーソナルコンピュータ、サーバ、ネットワークデバイスなどであってもよい)コンピュータデバイスまたはプロセッサに命じるためのいくつかの命令を含む。上述の記憶媒体は、USBフラッシュドライブ、取り外し可能なハードディスク、ROM、RAM、磁気ディスク、または光ディスクなどのプログラムコードを記憶することができる任意の媒体を含む。
【０１７８】
同じ発明の概念に基づいて、本出願の実施形態は、ネットワークデバイスをさらに提供する。ネットワークデバイスは、図10に対応する実施形態において提供される方法でネットワークデバイスによって実行される方法を使用し、図21に示されたネットワークデバイスと同じデバイスであってよい。図22を参照すると、ネットワークデバイスは、プロセッサ2201、通信モジュール2202、およびメモリ2203を含む。
【０１７９】
プロセッサ2201は、以下のプロセス、すなわち、
通信モジュール2202を使用することによってプロセッサ2201により端末デバイスに位置情報を送信することを実行するためにメモリ2203内のプログラムを読むように構成され、位置情報は、同期信号ブロックPRBグリッド内の第1の所定の位置と第1のサブキャリア間隔のシステム共通PRBグリッド内の任意のPRBとの間の相対的な位置関係を示すために使用され、第1の所定の位置および位置情報は、任意のPRBの第2の所定の位置を決定するために端末デバイスによって使用され、第2の所定の位置は、システム共通PRBグリッドに含まれるPRBの位置を決定するために使用される。
【０１８０】
通信モジュール2202は、データを送信および/または受信するための通信インターフェースを含む。
【０１８１】
可能な実装において、通信モジュール2202を使用することによって端末デバイスに位置情報を送信するとき、プロセッサ2201は、
物理ブロードキャストチャネル上で端末デバイスに運ばれるブロードキャストメッセージを通信モジュール2202を使用することによって送信するように具体的に構成され、ブロードキャストメッセージは、位置情報を運ぶ。
【０１８２】
可能な実装において、位置情報は、同期信号ブロックPRBグリッド内の第1の所定の位置と第1のサブキャリア間隔のシステム共通PRBグリッド内の任意のPRBとの間の相対的な位置関係を示すために使用される、ということは、具体的には、
位置情報は、第1の所定の位置と任意のPRBの第2の所定の位置にN個のPRBのオフセットがあることを示すために使用され、Nが、0以上であること、または
位置情報は、第1の所定の位置と任意のPRBの第2の所定の位置にM個のサブキャリア間隔のオフセットがあることを示すために使用され、Nが、0以上であることである。
【０１８３】
可能な実装において、第2の所定の位置は、任意のPRBの境界の位置または中心の位置である。
【０１８４】
可能な実装において、第1の所定の位置は、以下、すなわち、
同期信号ブロックPRBグリッドの中心周波数、同期信号ブロックPRBグリッドの第1のサブキャリアに対応する周波数、同期信号ブロックPRBグリッドに対応する同期信号ブロックのキャリア周波数位置、同期信号ブロックPRBグリッドの中心周波数に最も近いサブキャリアに対応する中心周波数、および同期信号ブロックPRBグリッドに対応する物理チャネルの第145のサブキャリアに対応する周波数のうちのいずれか1つである。
【０１８５】
プロセッサ2201、通信モジュール2202、およびメモリ2203は、バスを使用することによって互いに接続される。バスは、PCIバス、EISAバスなどであってもよい。バスは、アドレスバス、データバス、制御バスなどとしてカテゴリー分けされ得る。
【０１８６】
図22において、バスアーキテクチャは、プロセッサ2201によって表される1つまたは複数のプロセッサおよびメモリ2203によって表されるメモリの様々な回路を使用することによって特にリンクされる任意の数の相互に接続されたバスおよびブリッジを含み得る。バスアーキテクチャは、周辺デバイス、電圧安定化装置、および電力管理回路などの様々なその他の回路をさらにリンクし得る。このすべては、当技術分野においてよく知られており、したがって、本明細書においてさらに説明されない。バスインターフェースは、インターフェースを提供する。通信モジュール2202は、複数の構成要素であってもよく、すなわち、送信器および通信モジュールを含み、送信媒体上で様々なその他の装置と通信するためのユニットを提供する。プロセッサ2201は、バスアーキテクチャの管理および通常の処理を担い、メモリ2203は、動作を実行する際にプロセッサ2201によって使用されるデータを記憶することができる。
【０１８７】
任意選択で、プロセッサ2201は、中央演算処理装置、ASIC、FPGA、またはCPLDであってもよい。
【０１８８】
同じ発明の概念に基づいて、本出願の実施形態は、端末デバイスをさらに提供する。端末デバイスは、図10に対応する実施形態において提供される方法で端末デバイスによって実行される方法を実施することができる。図23を参照すると、端末デバイスは、トランシーバユニット2301および処理ユニット2302を含む。
【０１８９】
トランシーバユニット2301は、ネットワークデバイスによって送信されたスケジューリング情報を受信するように構成され、スケジューリング情報は、指定PRB上に端末デバイスをスケジューリングするためにネットワークデバイスによって使用され、指定PRBは、システム帯域幅におけるサブキャリア間隔のシステム共通PRBグリッド内のPRBである。
【０１９０】
処理ユニット2302は、所定の情報に基づいて指定PRBの位置を決定するように構成され、所定の情報は、少なくとも1つのシステム帯域幅のうちの1つの異なるサブキャリア間隔のシステム共通PRBグリッドを示すために使用される。
【０１９１】
可能な実装において、所定の情報は、少なくとも1つのシステム帯域幅の中の任意のシステム帯域幅の異なるサブキャリア間隔のシステム共通PRBグリッドを示すために使用される、ということは、具体的には、
所定の情報は、少なくとも1つのシステム帯域幅のうちのいずれか1つにおける異なるサブキャリア間隔のシステム共通PRBグリッド内のPRBの位置を示すために使用されること、または
所定の情報は、第1のシステム共通PRBグリッド内のPRBの位置、および第1のシステム共通PRBグリッドと第2のシステム共通PRBグリッドとの間の相対的な位置関係を示すために使用され、第1のシステム共通PRBグリッドと第2のシステム共通PRBグリッドとは少なくとも1つのシステム帯域幅の中の同じシステム帯域幅に属し、第1のシステム共通PRBグリッドのサブキャリア間隔と第2のシステム共通PRBグリッドのサブキャリア間隔とは異なることである。
【０１９２】
本出願のこの実施形態におけるユニットの分割は例であり、論理的な機能の分割であるに過ぎず、実際の実装中に他の分割方法が存在しうることに留意されたい。本出願のこの実施形態の機能ユニットが、1つの処理ユニットに統合されてもよく、またはユニットの各々が、物理的に独立して存在してもよく、または2つ以上のユニットが、1つのユニットに統合される。統合されたユニットは、ハードウェアの形態で実装されえ、またはソフトウェアの機能ユニットの形態で実装されうる。
【０１９３】
統合されたユニットは、ソフトウェアの機能ユニットの形態で実装され、独立した製品として販売されるかまたは使用されるとき、コンピュータ可読記憶媒体に記憶され得る。そのような理解に基づいて、本出願の技術的な解決策は基本的にソフトウェア製品の形態で実装されえ、あるいは従来技術、または技術的な解決策のすべてもしくは一部に寄与する部分はソフトウェア製品の形態で実装されうる。ソフトウェア製品は、記憶媒体に記憶され、本出願の実施形態において説明された方法のステップのすべてまたは一部を実行するように(パーソナルコンピュータ、サーバ、ネットワークデバイスなどであってもよい)コンピュータデバイスまたはプロセッサに命じるためのいくつかの命令を含む。上述の記憶媒体は、USBフラッシュドライブ、取り外し可能なハードディスク、ROM、RAM、磁気ディスク、または光ディスクなどのプログラムコードを記憶することができる任意の媒体を含む。
【０１９４】
同じ発明の概念に基づいて、本出願の実施形態は、端末デバイスをさらに提供する。端末デバイスは、図10に対応する実施形態において提供される方法で端末デバイスによって実行される方法を使用し、図24に示された端末デバイスと同じデバイスであってよい。図24を参照すると、端末デバイスは、プロセッサ2401、通信モジュール2402、およびメモリ2403を含む。
【０１９５】
プロセッサ2401は、以下のプロセス、すなわち、
ネットワークデバイスによって送信されたスケジューリング情報を通信モジュール2402を使用することによってプロセッサ2401により受信することであって、スケジューリング情報が、指定PRB上に端末デバイスをスケジューリングするためにネットワークデバイスによって使用され、指定PRBが、システム帯域幅におけるサブキャリア間隔のシステム共通PRBグリッド内のPRBである、受信することと、
所定の情報に基づいて指定PRBの位置をプロセッサ2401によって決定することであって、所定の情報は、少なくとも1つのシステム帯域幅のうちのいずれか1つにおける異なるサブキャリア間隔のシステム共通PRBグリッドを示すために使用される、決定することとを実行するためにメモリ2403内のプログラムを読むように構成される。
【０１９６】
可能な実装において、所定の情報は、少なくとも1つのシステム帯域幅のうちのいずれか1つにおける異なるサブキャリア間隔のシステム共通PRBグリッドを示すために使用される、ということは、具体的には、
所定の情報は、少なくとも1つのシステム帯域幅のうちのいずれか1つにおける異なるサブキャリア間隔のシステム共通PRBグリッド内のPRBの位置を示すために使用されること、または
所定の情報は、第1のシステム共通PRBグリッド内のPRBの位置、および第1のシステム共通PRBグリッドと第2のシステム共通PRBグリッドとの間の相対的な位置関係を示すために使用され、第1のシステム共通PRBグリッドと第2のシステム共通PRBグリッドとは少なくとも1つのシステム帯域幅の中の同じシステム帯域幅に属し、第1のシステム共通PRBグリッドのサブキャリア間隔と第2のシステム共通PRBグリッドのサブキャリア間隔とは異なることである。
【０１９７】
プロセッサ2401、通信モジュール2402、およびメモリ2403は、バスを使用することによって互いに接続される。バスは、PCIバス、EISAバスなどであってもよい。バスは、アドレスバス、データバス、制御バスなどとしてカテゴリー分けされ得る。
【０１９８】
図24において、バスアーキテクチャは、プロセッサ2401によって表される1つまたは複数のプロセッサおよびメモリ2403によって表されるメモリの様々な回路を使用することによって特にリンクされる任意の数の相互に接続されたバスおよびブリッジを含み得る。バスアーキテクチャは、周辺デバイス、電圧安定化装置、および電力管理回路などの様々なその他の回路をさらにリンクし得る。このすべては、当技術分野においてよく知られており、したがって、本明細書においてさらに説明されない。バスインターフェースは、インターフェースを提供する。通信モジュール2402は、複数の構成要素であってもよく、すなわち、送信器および通信モジュールを含み、送信媒体上で様々なその他の装置と通信するためのユニットを提供する。プロセッサ2401は、バスアーキテクチャの管理および通常の処理を担い、メモリ2403は、動作を実行する際にプロセッサ2401によって使用されるデータを記憶することができる。
【０１９９】
任意選択で、プロセッサ2401は、中央演算処理装置、ASIC、FPGA、またはCPLDであってもよい。
【０２００】
本出願の実施形態は、PRBグリッド指示装置をさらに提供し、装置は、チップを含む。チップは、上述のPRBグリッド指示方法において端末デバイスによって実行される方法を実行するように構成され、チップは、上述のPRBグリッド指示方法において端末デバイスによってデータを送信および/または受信するための方法をトランシーバ(または通信モジュール)を使用することによって実行する。あるいは、チップは、上述のPRBグリッド指示方法においてネットワークデバイスによって実行される方法を実行するように構成され、チップは、上述のPRBグリッド指示方法においてネットワークデバイスによってデータを送信および/または受信するための方法をトランシーバ(または通信モジュール)を使用することによって実行する。
【０２０１】
本出願の実施形態は、命令を含むコンピュータプログラム製品を提供する。コンピュータ上で実行されるとき、コンピュータプログラム製品は、コンピュータが上述の実施形態の端末デバイスによって実行されるPRBグリッド指示方法を実行することを可能にするか、またはコンピュータが上述の実施形態のネットワークデバイスによって実行されるPRBグリッド指示方法を実行することを可能にする。
【０２０２】
同じ発明の概念に基づいて、本出願の実施形態は、通信システムをさらに提供する。図25に示されるように、通信システムは、端末デバイス2501およびネットワークデバイス2502を含む。端末デバイス2501は、図10に対応する実施形態において提供される方法で端末デバイスによって実行される方法を実行するように構成され、端末デバイス2501は、図19もしくは図20に示された端末デバイスと同じデバイスであってよく、または図23もしくは図24に示された端末デバイスと同じデバイスであってよい。ネットワークデバイス2502は、図10に対応する実施形態において提供される方法でネットワークデバイスによって実行される方法を実行するように構成され、ネットワークデバイス2502は、図21または図22に示されたネットワークデバイスと同じデバイスであってよい。本出願の実施形態において提供されるPRBグリッド指示方法は、通信システムを使用することによって実施され得る。
【０２０３】
本出願の実施形態は、同期信号(synchronized signal、SS)ブロックの構造をさらに提供し、同期信号ブロックの構造は、上述の方法および装置の実施形態の任意の実施形態または実装に適用され得る。同期信号(synchronized signal、SS)ブロックの構造は、複数の実装を有しうる。
【０２０４】
可能な実装において、同期信号ブロックは、プライマリ同期信号(primary synchronized signal、PSS)、セカンダリ同期信号(secondary synchronized signal、SSS)、および物理ブロードキャストチャネルを含む。プライマリ同期信号内で同期シーケンス変調信号を運ぶサブキャリアの数と物理ブロードキャストチャネル内で物理ブロードキャストチャネル変調信号を運ぶサブキャリアの数とは異なり、セカンダリ同期信号内で同期シーケンス変調信号を運ぶサブキャリアの数と物理ブロードキャストチャネル内で物理ブロードキャストチャネル変調信号を運ぶサブキャリアの数とは異なる。周波数領域において、プライマリ同期信号内で同期シーケンス変調信号を運ぶ第1のサブキャリアおよびセカンダリ同期信号内で同期シーケンス変調信号を運ぶ第1のサブキャリアのうちの少なくとも一方は、物理ブロードキャストチャネル内で物理ブロードキャストチャネル変調信号を運ぶ第1のサブキャリアと同じ周波数を有するか、または位置を揃えられる。任意選択で、同期信号ブロックの物理リソースブロック(physical resource block、PRB)グリッドは、24個のPRBを含み、24個のPRBは、時間領域において複数のOFDMシンボルを占有する。プライマリ同期信号およびセカンダリ同期信号内で同期シーケンス変調信号を運ぶサブキャリアの数は、それぞれ144である。物理ブロードキャストチャネル内で物理ブロードキャストチャネル変調信号を運ぶサブキャリアの数は、288である。
【０２０５】
図29に示される同期信号ブロックの構造が、例として使用される。図29は、PRBグリッドの4つの行を含む。図29に示される同期信号ブロックの構造に関して、この実施形態において、プライマリ同期信号およびセカンダリ同期信号は、それぞれ、周波数領域において12個の連続したPRBを含み、物理ブロードキャストチャネルは、周波数領域において24個の連続したPRBを含む。プライマリ同期信号の第1のPRBの左の境界およびセカンダリ同期信号の第1のPRBの左の境界は、それぞれ、周波数領域において物理ブロードキャストチャネルの第1のPRBの左の境界と位置を揃えられる。言い換えると、プライマリ同期信号の第1のサブキャリアおよびセカンダリ同期信号の第1のサブキャリアは、それぞれ、物理ブロードキャストチャネルの第1のサブキャリアと同じ周波数を有する。
【０２０６】
他の可能な実装において、同期信号ブロックは、プライマリ同期信号(primary synchronized signal、PSS)、セカンダリ同期信号(secondary synchronized signal、SSS)、および物理ブロードキャストチャネルを含む。プライマリ同期信号内で同期シーケンス変調信号を運ぶサブキャリアの数と物理ブロードキャストチャネル内で物理ブロードキャストチャネル変調信号を運ぶサブキャリアの数とは異なり、セカンダリ同期信号内で同期シーケンス変調信号を運ぶサブキャリアの数と物理ブロードキャストチャネル内で物理ブロードキャストチャネル変調信号を運ぶサブキャリアの数とは異なる。周波数領域において、プライマリ同期信号内で同期シーケンス変調信号を運ぶ最後のサブキャリアおよびセカンダリプライマリ同期信号内で同期シーケンス変調信号を運ぶ最後のサブキャリアのうちの少なくとも一方は、物理ブロードキャストチャネル内で物理ブロードキャストチャネル変調信号を運ぶ最後のサブキャリアと同じ周波数を有するか、または位置を揃えられ、あるいは周波数領域において、プライマリ同期信号内で同期シーケンス変調信号を運ぶ第1のサブキャリアおよびセカンダリ同期信号内で同期シーケンス変調信号を運ぶ第1のサブキャリアのうちの少なくとも一方は、物理ブロードキャストチャネル内で物理ブロードキャストチャネル変調信号を運ぶ第145のサブキャリアと同じ周波数を有するか、または位置を揃えられる。任意選択で、同期信号ブロックの物理リソースブロック(physical resource block、PRB)グリッドは、24個のPRBを含み、24個のPRBは、時間領域において複数のOFDMシンボルを占有する。プライマリ同期信号およびセカンダリ同期信号内で同期シーケンス変調信号を運ぶサブキャリアの数は、それぞれ144である。物理ブロードキャストチャネル内で物理ブロードキャストチャネル変調信号を運ぶサブキャリアの数は、288である。
【０２０７】
図30に示される同期信号ブロックの構造が、例として使用される。図30は、PRBグリッドの4つの行を含む。図30に示される同期信号ブロックの構造に関して、この実施形態において、プライマリ同期信号およびセカンダリ同期信号は、それぞれ、周波数領域において12個の連続したPRBを含み、物理ブロードキャストチャネルは、周波数領域において24個の連続したPRBを含む。プライマリ同期信号の第1のPRBの左の境界およびセカンダリ同期信号の第1のPRBの左の境界は、それぞれ、周波数領域において物理ブロードキャストチャネルの第13のPRBの左の境界と位置を揃えられる。言い換えると、プライマリ同期信号の第1のサブキャリアおよびセカンダリ同期信号の第1のサブキャリアは、それぞれ、物理ブロードキャストチャネルの第145のサブキャリアと同じ周波数を有する。
【０２０８】
他の可能な実装において、同期信号ブロックは、プライマリ同期信号(primary synchronized signal、PSS)、セカンダリ同期信号(secondary synchronized signal、SSS)、および物理ブロードキャストチャネルを含む。プライマリ同期信号内で同期シーケンス変調信号を運ぶサブキャリアの数と物理ブロードキャストチャネル内で物理ブロードキャストチャネル変調信号を運ぶサブキャリアの数とは異なり、セカンダリ同期信号内で同期シーケンス変調信号を運ぶサブキャリアの数と物理ブロードキャストチャネル内で物理ブロードキャストチャネル変調信号を運ぶサブキャリアの数とは異なる。周波数領域において、物理ブロードキャストチャネル変調信号を運ぶ第1のサブキャリアと、プライマリ同期信号内で同期シーケンス変調信号を運ぶ第1のサブキャリアおよびセカンダリ同期信号内で同期シーケンス変調信号を運ぶ第1のサブキャリアのうちの少なくとも一方とは、周波数の第5のオフセット値を有し、第5のオフセット値は、PRBの整数倍であり、6個のPRBでないか、または周波数領域において、物理ブロードキャストチャネル内で物理ブロードキャストチャネル変調信号を運ぶ最後のサブキャリアと、プライマリ同期信号内で同期シーケンス変調信号を運ぶ最後のサブキャリアおよびセカンダリ同期信号内で同期シーケンス変調信号を運ぶ最後のサブキャリアのうちの少なくとも一方とは、周波数の第5のオフセット値を有し、第5のオフセット値は、PRBの整数倍であり、6個のPRBでない。任意選択で、同期信号ブロックの物理リソースブロック(physical resource block、PRB)グリッドは、24個のPRBを含み、24個のPRBは、時間領域において複数のOFDMシンボルを占有する。プライマリ同期信号およびセカンダリ同期信号内で同期シーケンス変調信号を運ぶサブキャリアの数は、それぞれ144である。物理ブロードキャストチャネル内で物理ブロードキャストチャネル変調信号を運ぶサブキャリアの数は、288である。
【０２０９】
図31に示される同期信号ブロックの構造が、例として使用される。図31は、PRBグリッドの4つの行を含む。図31に示される同期信号ブロックの構造に関して、この実施形態において、プライマリ同期信号およびセカンダリ同期信号は、それぞれ、周波数領域において12個の連続したPRBを含み、物理ブロードキャストチャネルは、周波数領域において24個の連続したPRBを含む。プライマリ同期信号の第1のPRBの左の境界およびセカンダリ同期信号の第1のPRBの左の境界は、それぞれ、周波数領域において物理ブロードキャストチャネルの第4のPRBの左の境界と位置を揃えられる。言い換えると、プライマリ同期信号の第1のサブキャリアおよびセカンダリ同期信号の第1のサブキャリアは、それぞれ、物理ブロードキャストチャネルの第37のサブキャリアと同じ周波数を有するか、または物理ブロードキャストチャネルの第37のサブキャリアと位置を揃えられる。
【０２１０】
他の可能な実装において、同期信号ブロックは、プライマリ同期信号(primary synchronized signal、PSS)、セカンダリ同期信号(secondary synchronized signal、SSS)、および物理ブロードキャストチャネルを含み、同期信号ブロックの物理リソースブロック(physical resource block、PRB)グリッドは、A個のPRBを含む。プライマリ同期信号内で同期シーケンス変調信号を運ぶサブキャリアの数は、Bであり、セカンダリ同期信号内で同期シーケンス変調信号を運ぶサブキャリアの数は、Bであり、物理ブロードキャストチャネル信号内で物理ブロードキャストチャネル変調信号を運ぶサブキャリアの数は、Cであり、A、B、およびCは、正の整数であり、Bは、Cと等しくない。周波数領域において、プライマリ同期信号内で同期シーケンス変調信号を運ぶ第1のサブキャリアおよびセカンダリ同期信号内で同期シーケンス変調信号を運ぶ第1のサブキャリアのうちの少なくとも一方は、物理ブロードキャストチャネル内で物理ブロードキャストチャネル変調信号を運ぶ第Dのサブキャリアと同じ周波数を有するか、または位置を揃えられ、Dは、1以上、C-B+1以下の整数であるが、73に等しくなく、またはDは、1以上、C-B+1以下の整数であり、12の整数倍+1であるが、73に等しくない。任意選択で、A個のPRBは、時間領域において複数のOFDMシンボルを占有する。
【０２１１】
他の可能な実装において、同期信号ブロックは、プライマリ同期信号(primary synchronized signal、PSS)、セカンダリ同期信号(secondary synchronized signal、SSS)、および物理ブロードキャストチャネルを含み、同期信号ブロックの物理リソースブロック(physical resource block、PRB)グリッドは、A個のPRBを含む。同期信号ブロックは、時間領域において複数のOFDMシンボルを占有し、同期信号ブロックの第2のOFDMシンボルおよび第3のOFDMシンボルは、連続しておらず、第2のシンボルと第3のシンボルとの間の距離は、1 OFDMシンボルである。任意選択で、A個のPRBは、時間領域において複数のOFDMシンボルを占有する。
【０２１２】
図32に示される同期信号ブロックの構造が、例として使用される。図32は、PRBグリッドの5つの行を含む。図32に示される同期信号ブロックの構造に関して、この実施形態の同期信号ブロックの物理リソースブロック(physical resource block、PRB)グリッドは、24個のPRBを含む。24個のPRBは、時間領域において複数のOFDMシンボルを占有し、同期信号ブロックの第2のOFDMシンボルおよび第3のOFDMシンボルは、連続しておらず、第2のシンボルと第3のシンボルとの間の距離は、1 OFDMシンボルである。
【０２１３】
他の可能な実装において、同期信号ブロックは、プライマリ同期信号(primary synchronized signal、PSS)、セカンダリ同期信号(secondary synchronized signal、SSS)、および物理ブロードキャストチャネルを含み、同期信号ブロックの物理リソースブロック(physical resource block、PRB)グリッドは、A個のPRBを含む。同期信号ブロックは、時間領域において複数のOFDMシンボルを占有し、同期信号ブロックの第3のOFDMシンボルおよび第4のOFDMシンボルは、連続しておらず、第3のシンボルと第4のシンボルとの間の距離は、1 OFDMシンボルである。任意選択で、A個のPRBは、時間領域において複数のOFDMシンボルを占有する。
【０２１４】
図33に示される同期信号ブロックの構造が、例として使用される。図33は、PRBグリッドの5つの行を含む。図33に示される同期信号ブロックの構造に関して、この実施形態の同期信号ブロックの物理リソースブロック(physical resource block、PRB)グリッドは、24個のPRBを含む。24個のPRBは、時間領域において複数のOFDMシンボルを占有し、同期信号ブロックの第3のOFDMシンボルおよび第4のOFDMシンボルは、連続しておらず、第3のシンボルと第4のシンボルとの間の距離は、1 OFDMシンボルである。
【０２１５】
当業者は、本出願の実施形態が方法、システム、またはコンピュータプログラム製品として提供され得ることを理解するはずである。したがって、本出願は、ハードウェアのみの実施形態、ソフトウェアのみの実施形態、またはソフトウェアとハードウェアとの組合せによる実施形態の形態を用いうる。さらに、本出願は、コンピュータが使用可能なプログラムコードを含む(ディスクメモリ、CD-ROM、光学式メモリなどを含むがこれらに限定されない)1つまたは複数のコンピュータが使用可能な記憶媒体上に実装されるコンピュータプログラム製品の形態を使用しうる。
【０２１６】
本出願は、本出願による方法、デバイス(システム)、およびコンピュータプログラム製品の流れ図および/またはブロック図を参照して説明されている。流れ図および/またはブロック図の各プロセスおよび/または各ブロックと、流れ図および/またはブロック図のプロセスおよび/またはブロックの組合せとを実装するためにコンピュータプログラム命令が使用され得ることを理解されたい。これらのコンピュータプログラム命令は、コンピュータまたは任意のその他のプログラミング可能なデータ処理デバイスのプロセッサによって実行される命令が流れ図の1つもしくは複数のプロセスおよび/またはブロック図の1つもしくは複数のブロックの特定の機能を実装するための装置を生成するようにマシンを生成するために多目的コンピュータ、専用コンピュータ、組み込みプロセッサ、または任意のその他のプログラミング可能なデータ処理デバイスのプロセッサのために提供されうる。
【０２１７】
これらのコンピュータプログラム命令は、コンピュータ可読メモリに記憶された命令が指示装置を含む製品を生成するように、特定の方法で働くようにコンピュータまたは任意のその他のプログラミング可能なデータ処理デバイスに命令することができるコンピュータ可読メモリに記憶され得る。指示装置は、流れ図の1つもしくは複数のプロセスおよび/またはブロック図の1つもしくは複数のブロックの規定された機能を実装する。
【０２１８】
また、これらのコンピュータプログラム命令は、一連の動作およびステップがコンピュータまたは他のプログラミング可能なデバイス上で実行され、それによって、コンピュータによって実施される処理を生成するようにコンピュータまたは他のプログラミング可能なデータ処理デバイスにロードされ得る。したがって、コンピュータまたは他のプログラミング可能なデバイス上で実行される命令が、流れ図の1つもしくは複数のプロセスおよび/またはブロック図の1つもしくは複数のブロックの特定の機能を実施するためのステップを提供する。
【符号の説明】
【０２１９】
110  ネットワークデバイス
120  端末デバイス
1101  分散ユニット、DU
1102  集約ユニット、CU
1901  トランシーバユニット
1902  処理ユニット
2001  プロセッサ
2002  通信モジュール
2003  メモリ
2101  処理ユニット
2102  トランシーバユニット
2201  プロセッサ
2202  通信モジュール
2203  メモリ
2301  トランシーバユニット
2302  処理ユニット
2401  プロセッサ
2402  通信モジュール
2403  メモリ
2501  端末デバイス
2502  ネットワークデバイス
【図１】
2020530714.tif 000004
【図２】
2020530714.tif 000005
【図３】
2020530714.tif 000006
【図３ａ】
2020530714.tif 000007
【図４】
2020530714.tif 000008
【図４ａ】
2020530714.tif 000009
【図５】
2020530714.tif 000010
【図６】
2020530714.tif 000011
【図７】
2020530714.tif 000012
【図８Ａ】
2020530714.tif 000013
【図８Ｂ】
2020530714.tif 000014
【図９】
2020530714.tif 000015
【図１０】
2020530714.tif 000016
【図１１】
2020530714.tif 000017
【図１２】
2020530714.tif 000018
【図１３】
2020530714.tif 000019
【図１４】
2020530714.tif 000020
【図１５】
2020530714.tif 000021
【図１６】
2020530714.tif 000022
【図１７】
2020530714.tif 000023
【図１８】
2020530714.tif 000024
【図１９】
2020530714.tif 000025
【図２０】
2020530714.tif 000026
【図２１】
2020530714.tif 000027
【図２２】
2020530714.tif 000028
【図２３】
2020530714.tif 000029
【図２４】
2020530714.tif 000030
【図２５】
2020530714.tif 000031
【図２６】
2020530714.tif 000032
【図２７】
2020530714.tif 000033
【図２８】
2020530714.tif 000034
【図２９】
2020530714.tif 000035
【図３０】
2020530714.tif 000036
【図３１】
2020530714.tif 000037
【図３２】
2020530714.tif 000038
【図３３】
2020530714.tif 000039
【手続補正書】
【提出日】令和2年4月10日(2020.4.10)
【手続補正１】
【補正対象書類名】明細書
【補正対象項目名】全文
【補正方法】変更
【補正の内容】
【発明の詳細な説明】
【技術分野】
【０００１】
本出願は、ワイヤレス通信技術の分野に関し、特に、物理リソースブロックPRBグリッド指示方法および装置に関する。
【背景技術】
【０００２】
ワイヤレス通信システムが発達し、進化するにつれて、第5世代(5th Generation、5G)新無線が定義されつつある。5G新無線は、同期信号(synchronized signal、SS)ブロックの構造を定義した。同期信号ブロックは、プライマリ同期信号(primary synchronized signal、PSS)、セカンダリ同期信号(secondary synchronized signal、SSS)、および物理ブロードキャストチャネルを含み、同期信号ブロックの物理リソースブロック(physical resource block、PRB)グリッドは、24個のPRBを含む。5G新無線は、異なるシステム帯域幅の異なるサブキャリア間隔に対応するシステム共通PRBグリッド(system common PRB grid)に含まれるPRBの数をさらに定義した。
【０００３】
現在は、ネットワークデバイスによって送信された同期信号ブロックを受信した後、端末デバイスは、同期信号ブロックのPBCHから同期信号ブロックのPRBグリッドを取得することができる。しかし、現在、5G新無線は、端末デバイスによってシステム共通PRBグリッド内のPRBの位置を取得するための方法をまだ定義しておらず、また、5G新無線は、異なるシステム帯域幅の異なるサブキャリア間隔に対応するシステム共通PRBグリッドの構造をまだ定義していない。
【発明の概要】
【課題を解決するための手段】
【０００４】
本出願の実施形態は、PRBグリッド指示方法およびデバイスを提供し、それによって、5Gシステム内の端末デバイスはシステム共通PRBグリッド内のPRBの位置を取得し、5Gシステムにおける異なるシステム帯域幅の異なるサブキャリア間隔に対応するシステム共通PRBグリッドの構造が定義される。
【０００５】
第1の態様によれば、本出願の実施形態は、
ネットワークデバイスによって送信された位置情報を端末デバイスによって受信するステップであって、位置情報は、同期信号ブロックPRBグリッド内の第1の所定の位置と第1のサブキャリア間隔のシステム共通PRBグリッド内の任意のPRBとの間の相対的な位置関係を示すために使用される、ステップと、
第1の所定の位置および位置情報に基づいて任意のPRBの第2の所定の位置を端末デバイスによって決定するステップであって、第2の所定の位置は、システム共通PRBグリッドに含まれるPRBの位置を決定するために使用される、ステップとを含むPRBグリッド指示方法を提供する。
【０００６】
同期信号ブロックPRBグリッド内の第1の所定の位置は、同期信号ブロックPRBグリッド内の予め定義された位置であり、限定されない。第1のサブキャリア間隔は、予め定義されたサブキャリア間隔である。たとえば、第1のサブキャリア間隔は、15kHz、30kHz、および60kHzのサブキャリア間隔のうちの1つでありうる。
【０００７】
上述の方法において、ネットワークデバイスは、端末デバイスに位置情報を送信し、位置情報は、同期信号ブロックPRBグリッド内の第1の所定の位置と第1のサブキャリア間隔のシステム共通PRBグリッド内の任意のPRBとの間の相対的な位置関係を示すために使用され、端末デバイスは、同期信号ブロックPRBグリッド内の第1の所定の位置および位置情報に基づいて第1のサブキャリア間隔のシステム共通PRBグリッド内の任意のPRBの第2の所定の位置を決定してもよく、第2の所定の位置は、システム共通PRBグリッドに含まれるPRBの位置を決定するために使用される。したがって、5Gシステム内の端末デバイスが、システム共通PRBグリッド内のPRBの位置を取得することができる。
【０００８】
実装において、端末デバイスは、物理ブロードキャストチャネル上で運ばれ、ネットワークデバイスによって送信されたブロードキャストメッセージを受信し、ブロードキャストメッセージは、位置情報を運ぶ。
【０００９】
上述の方法を使用することによって、端末デバイスは、ネットワークデバイスから位置情報を取得することができる。
【００１０】
実装において、位置情報は、以下の2つの方法で表され得る。
【００１１】
1つの位置情報表現方法において、位置情報は、同期信号ブロックPRBグリッド内の第1の所定の位置と第1のサブキャリア間隔のシステム共通PRBグリッド内の任意のPRBにN個のPRBのオフセットがあることを示すために使用され、Nは、0以上である。たとえば、Nは、0.5または0である。オフセットは、左のオフセットまたは右のオフセットでありうる。
【００１２】
このようにして、端末デバイスが位置情報を受信した後、第1のサブキャリア間隔のシステム共通PRBグリッド内の任意のPRBを取得するために、同期信号ブロックPRBグリッド内の第1の所定の位置が、左にまたは右にN個のPRBだけオフセットされ得る。
【００１３】
もう1つの位置情報表現方法において、位置情報は、同期信号ブロックPRBグリッド内の第1の所定の位置と第1のサブキャリア間隔のシステム共通PRBグリッド内の任意のPRBにはM個のサブキャリア間隔のオフセットがあることを示すために使用され、Mは、0以上である。たとえば、Mは、0、2、6、または8である。オフセットは、左のオフセットまたは右のオフセットでありうる。
【００１４】
このようにして、端末デバイスが位置情報を受信した後、第1のサブキャリア間隔のシステム共通PRBグリッド内の任意のPRBを取得するために、同期信号ブロックPRBグリッド内の第1の所定の位置が、左にまたは右にM個のサブキャリア間隔だけオフセットされ得る。
【００１５】
実装において、システム共通PRBグリッド内の第2の所定の位置は、システム共通PRBグリッド内の任意の位置として設定され得る。たとえば、第2の所定の位置は、任意のPRBの境界の位置または中心の位置でありうる。
【００１６】
実装において、第1の所定の位置は、以下、すなわち、
同期信号ブロックPRBグリッドの中心周波数、同期信号ブロックPRBグリッドの第1のサブキャリアに対応する周波数、同期信号ブロックPRBグリッドに対応する同期信号ブロックのキャリア周波数位置、同期信号ブロックPRBグリッドの中心周波数に最も近いサブキャリアに対応する中心周波数、および同期信号ブロックPRBグリッドに対応する物理チャネルの第145のサブキャリアに対応する周波数のうちのいずれか1つである。
【００１７】
実装において、端末デバイスがシステム共通PRBグリッドに含まれるPRBの位置を決定することは、複数のシナリオに適用しうる。シナリオにおいて、端末デバイスがシステム共通PRBグリッドに含まれるPRBの位置を決定した後、ネットワークデバイスがシステム共通PRBグリッド内の任意のPRBからQ個のPRB離れた位置に端末デバイスをスケジューリングする場合、端末デバイスは、第1のサブキャリア間隔のシステム共通PRBグリッド内の任意のPRBの第2の所定の位置および1つのPRBの幅に基づいて任意のPRBからQ個のPRB離れた位置を決定してもよく、Qは、0以上の整数であり、そして、端末デバイスは、スケジューリング位置(scheduling location)においてネットワークデバイスによってスケジューリングされ得る。
【００１８】
実装において、第1の所定の位置および位置情報に基づいて任意のPRBの第2の所定の位置を決定した後、端末デバイスは、第1のサブキャリア間隔のシステム共通PRBグリッド内の任意のPRBの第2の所定の位置に基づいて第2のサブキャリア間隔のシステム共通PRBグリッド内のPRBの位置を決定し、第2のサブキャリア間隔と第1のサブキャリア間隔とは異なり、第1のサブキャリア間隔のシステム共通PRBグリッドと第2のサブキャリア間隔のシステム共通PRBグリッドとは同じシステム帯域幅に属する。
【００１９】
上述の方法において、同じシステム帯域幅の異なるサブキャリア間隔に対応するPRBの幅の間に複数の関係が存在する。たとえば、同じシステム帯域幅について、30kHzのサブキャリア間隔の1つのPRBは、15kHzのサブキャリア間隔の1つのPRBの2倍の幅であり、60kHzのサブキャリア間隔の1つのPRBは、15kHzのサブキャリア間隔の1つのPRBの4倍の幅である。したがって、複数の関係に基づいて、第2のサブキャリア間隔のシステム共通PRBグリッドに含まれるPRBの位置が、第1のサブキャリア間隔のシステム共通PRBグリッドに含まれるPRBの位置に基づいて決定され得る。
【００２０】
第2の態様によれば、本出願の実施形態は、
ネットワークデバイスによって端末デバイスに位置情報を送信するステップであって、位置情報は、同期信号ブロックPRBグリッド内の第1の所定の位置と第1のサブキャリア間隔のシステム共通PRBグリッド内の任意のPRBとの間の相対的な位置関係を示すために使用され、第1の所定の位置および位置情報は、任意のPRBの第2の所定の位置を決定するために端末デバイスによって使用され、第2の所定の位置は、システム共通PRBグリッドに含まれるPRBの位置を決定するために使用される、ステップを含むPRBグリッド指示方法を提供する。
【００２１】
上述の方法において、ネットワークデバイスは、端末デバイスに位置情報を送信し、位置情報は、同期信号ブロックPRBグリッド内の第1の所定の位置と第1のサブキャリア間隔のシステム共通PRBグリッド内の任意のPRBとの間の相対的な位置関係を示すために使用され、端末デバイスは、同期信号ブロックPRBグリッド内の第1の所定の位置および位置情報に基づいて第1のサブキャリア間隔のシステム共通PRBグリッド内の任意のPRBの第2の所定の位置を決定してもよく、第2の所定の位置は、システム共通PRBグリッドに含まれるPRBの位置を決定するために使用される。したがって、5Gシステム内の端末デバイスが、システム共通PRBグリッド内のPRBの位置を取得することができる。
【００２２】
実装において、ネットワークデバイスは、物理ブロードキャストチャネル上で端末デバイスに運ばれるブロードキャストメッセージを送信し、ブロードキャストメッセージは、位置情報を運ぶ。
【００２３】
実装において、位置情報は、同期信号ブロックPRBグリッド内の第1の所定の位置と第1のサブキャリア間隔のシステム共通PRBグリッド内の任意のPRBとの間の相対的な位置関係を示すために使用される、ということは、具体的には、
位置情報は、第1の所定の位置と任意のPRBの第2の所定の位置にN個のPRBのオフセットがあることを示すために使用され、Nが、0以上であること、または
位置情報は、第1の所定の位置と任意のPRBの第2の所定の位置にM個のサブキャリア間隔のオフセットがあることを示すために使用され、Mが、0以上であることである。
【００２４】
実装において、第2の所定の位置は、任意のPRBの境界の位置または中心の位置である。
【００２５】
実装において、第1の所定の位置は、以下、すなわち、
同期信号ブロックPRBグリッドの中心周波数、同期信号ブロックPRBグリッドの第1のサブキャリアに対応する周波数、同期信号ブロックPRBグリッドに対応する同期信号ブロックのキャリア周波数位置、同期信号ブロックPRBグリッドの中心周波数に最も近いサブキャリアに対応する中心周波数、および同期信号ブロックPRBグリッドに対応する物理チャネルの第145のサブキャリアに対応する周波数のうちのいずれか1つである。
【００２６】
第3の態様によれば、本出願の実施形態は、
ネットワークデバイスによって送信されたスケジューリング情報を端末デバイスによって受信するステップであって、スケジューリング情報は、指定PRB上に端末デバイスをスケジューリングするためにネットワークデバイスによって使用され、指定PRBは、システム帯域幅におけるサブキャリア間隔のシステム共通PRBグリッド内のPRBである、ステップと、
所定の情報に基づいて指定PRBの位置を端末デバイスによって決定するステップであって、所定の情報は、少なくとも1つのシステム帯域幅のうちのいずれか1つにおける異なるサブキャリア間隔のシステム共通PRBグリッドを示すために使用される、ステップと含む物理リソースブロックPRBグリッド指示方法を提供する。
【００２７】
指定PRBは、システム帯域幅におけるサブキャリア間隔のシステム共通PRBグリッド内のPRBである。この場合、指定PRBに対応するシステム帯域幅およびサブキャリア間隔が知られ、システム共通PRBグリッド内の指定PRBのシーケンス番号(sequence number)も知られる。
【００２８】
所定の情報は、この実施形態において定義される異なるシステム帯域幅の異なるサブキャリア間隔のシステム共通PRBグリッドに基づく。この実施形態において定義される異なるシステム帯域幅の異なるサブキャリア間隔のシステム共通PRBグリッドは、将来のプロトコルで指定されえ、この場合、ネットワークデバイスおよび端末デバイスは、この実施形態において定義されるシステム共通PRBグリッドを知っていた。あるいは、ネットワークデバイスが、この実施形態において定義されるシステム共通PRBグリッドを知っており、ネットワークデバイスが、端末デバイスにこの実施形態において定義されるシステム共通PRBグリッドを通知する。これは、この実施形態において限定されない。
【００２９】
上述の方法を使用することによって、端末デバイスは、所定の情報、すなわち、この実施形態において定義される異なるシステム帯域幅の異なるサブキャリア間隔のシステム共通PRBグリッドに基づいて任意のPRBの位置を決定することができる。この実施形態において定義される異なるシステム帯域幅の異なるサブキャリア間隔のシステム共通PRBグリッドは、ネットワークデバイスが端末デバイスをスケジューリングするシナリオに適用しうるだけでなく、他のシナリオにも適用し得ることに留意されたい。これは、この実施形態において限定されない。
【００３０】
実装において、所定の情報は、少なくとも1つのシステム帯域幅のうちのいずれか1つにおける異なるサブキャリア間隔のシステム共通PRBグリッドを示すために使用される、ということは、具体的には、
所定の情報は、少なくとも1つのシステム帯域幅のうちのいずれか1つにおける異なるサブキャリア間隔のシステム共通PRBグリッド内のPRBの位置を示すために使用されること、または
所定の情報は、第1のシステム共通PRBグリッド内のPRBの位置、および第1のシステム共通PRBグリッドと第2のシステム共通PRBグリッドとの間の相対的な位置関係を示すために使用され、第1のシステム共通PRBグリッドと第2のシステム共通PRBグリッドとは少なくとも1つのシステム帯域幅の中の同じシステム帯域幅に属し、第1のシステム共通PRBグリッドのサブキャリア間隔と第2のシステム共通PRBグリッドのサブキャリア間隔とは異なることである。
【００３１】
第4の態様によれば、本出願の実施形態は、端末デバイスを提供し、端末デバイスは、第1の態様において提供される方法の例における端末デバイスの挙動を実施する機能を有する。機能は、ハードウェアによって実施されてもよく、または対応するソフトウェアを実行するハードウェアによって実施されてもよい。ハードウェアまたはソフトウェアは、上述の機能に対応する1つまたは複数のモジュールを含む。
【００３２】
可能な実装において、端末デバイスの構造は、処理ユニットおよびトランシーバユニットを含み、処理ユニットは、上述の方法において対応する機能を実行する際に端末デバイスをサポートするように構成される。トランシーバユニットは、端末デバイスと(ネットワークデバイスを含む)他のデバイスとの間の通信をサポートするように構成される。端末デバイスは、ストレージユニットをさらに含んでもよく、ストレージユニットは、処理ユニットに結合され、端末デバイスのために必要なプログラム命令およびデータを記憶する。
【００３３】
他の可能な実装において、端末デバイスの構造は、メモリ、プロセッサ、および通信モジュールを含む。メモリは、コンピュータ可読プログラムを記憶するように構成され、プロセッサは、第1の態様において端末デバイスによって実行された上述の方法を実行するために、メモリに記憶された命令を呼び出し、通信モジュールは、プロセッサの制御の下でデータを送信および/または受信するように構成される。
【００３４】
例として、処理ユニットは、プロセッサであってもよく、トランシーバユニットは、通信モジュールであってもよく、ストレージユニットは、メモリであってもよい。通信モジュールは、複数の構成要素であってもよく、すなわち、送信器および受信器を含むか、または通信インターフェースを含み、通信インターフェースは、送信および受信機能を有する。
【００３５】
第5の態様によれば、本出願の実施形態は、コンピュータ記憶媒体をさらに提供する。記憶媒体は、ソフトウェアプログラムを記憶し、1つまたは複数のプロセッサによって読まれ、実行されるとき、ソフトウェアプログラムは、第1の態様において提供されるPRBグリッド指示方法において端末デバイスによって実行される方法を実施することができる。
【００３６】
第6の態様によれば、本出願の実施形態は、PRBグリッド指示装置をさらに提供する。装置は、チップを含み、チップは、第1の態様において提供されるPRBグリッド指示方法において端末デバイスによって実行される方法を実行するように構成される。装置は、通信モジュールをさらに含んでもよく、装置に含まれるチップは、端末デバイスへの干渉を減らすために上述の方法において端末デバイスによってデータを送信および/または受信するための方法を、通信モジュールを使用することによって実行する。
【００３７】
第7の態様によれば、本出願の実施形態は、命令を含むコンピュータプログラム製品をさらに提供し、コンピュータ上で実行されるとき、コンピュータプログラム製品は、コンピュータが第1の態様において提供されるPRBグリッド指示方法において端末デバイスによって実行される方法を実行することを可能にする。
【００３８】
第8の態様によれば、本出願の実施形態は、ネットワークデバイスを提供し、ネットワークデバイスは、第2の態様において提供される方法の例におけるネットワークデバイスの挙動を実施する機能を有する。機能は、ハードウェアによって実施されてもよく、または対応するソフトウェアを実行するハードウェアによって実施されてもよい。ハードウェアまたはソフトウェアは、上述の機能に対応する1つまたは複数のモジュールを含む。
【００３９】
可能な実装において、ネットワークデバイスの構造は、処理ユニットおよびトランシーバユニットを含み、処理ユニットは、上述の方法において対応する機能を実行する際にネットワークデバイスをサポートするように構成される。トランシーバユニットは、ネットワークデバイスと(端末デバイスを含む)他のデバイスとの間の通信をサポートするように構成される。ネットワークデバイスは、ストレージユニットをさらに含んでもよく、ストレージユニットは、処理ユニットに結合され、ネットワークデバイスのために必要なプログラム命令およびデータを記憶する。
【００４０】
他の可能な実装において、ネットワークデバイスの構造は、メモリ、プロセッサ、および通信モジュールを含む。メモリは、コンピュータ可読プログラムを記憶するように構成され、プロセッサは、第2の態様においてネットワークデバイスによって実行された上述の方法を実行するために、メモリに記憶された命令を呼び出し、通信モジュールは、プロセッサの制御の下でデータを送信および/または受信するように構成される。
【００４１】
例として、処理ユニットは、プロセッサであってもよく、トランシーバユニットは、通信モジュールであってもよく、ストレージユニットは、メモリであってもよい。通信モジュールは、複数の構成要素であってもよく、すなわち、送信器および受信器を含むか、または通信インターフェースを含み、通信インターフェースは、送信および受信機能を有する。
【００４２】
第9の態様によれば、本出願の実施形態は、コンピュータ記憶媒体をさらに提供する。記憶媒体は、ソフトウェアプログラムを記憶し、1つまたは複数のプロセッサによって読まれ、実行されるとき、ソフトウェアプログラムは、第2の態様において提供されるPRBグリッド指示方法においてネットワークデバイスによって実行される方法を実施することができる。
【００４３】
第10の態様によれば、本出願の実施形態は、PRBグリッド指示装置をさらに提供する。装置は、チップを含み、チップは、第2の態様において提供されるPRBグリッド指示方法においてネットワークデバイスによって実行される方法を実行するように構成される。装置は、通信モジュールをさらに含んでもよく、装置に含まれるチップは、ネットワークデバイスへの干渉を減らすために上述の方法においてネットワークデバイスによってデータを送信および/または受信するための方法を通信モジュールを使用することによって実行する。
【００４４】
第11の態様によれば、本出願の実施形態は、命令を含むコンピュータプログラム製品をさらに提供し、コンピュータ上で実行されるとき、コンピュータプログラム製品は、コンピュータが第2の態様において提供されるPRBグリッド指示方法においてネットワークデバイスによって実行される方法を実行することを可能にする。
【００４５】
第12の態様によれば、本出願の実施形態は、通信システムをさらに提供し、通信システムは、端末デバイスおよびネットワークデバイスを含む。端末デバイスは、第1の態様において提供されるPRBグリッド指示方法において端末デバイスによって実行される方法を実行するように構成され、端末デバイスは、第4の態様において提供される端末デバイスと同じデバイスであってよい。ネットワークデバイスは、第2の態様において提供されるPRBグリッド指示方法においてネットワークデバイスによって実行される方法を実行するように構成され、ネットワークデバイスは、第8の態様において提供されるネットワークデバイスと同じデバイスであってよい。本出願の実施形態において提供されるPRBグリッド指示方法は、通信システムを使用することによって実施され得る。
【００４６】
第13の態様によれば、本出願の実施形態は、端末デバイスを提供し、端末デバイスは、第3の態様において提供される方法の例における端末デバイスの挙動を実施する機能を有する。機能は、ハードウェアによって実施されてもよく、または対応するソフトウェアを実行するハードウェアによって実施されてもよい。ハードウェアまたはソフトウェアは、上述の機能に対応する1つまたは複数のモジュールを含む。
【００４７】
可能な実装において、端末デバイスの構造は、処理ユニットおよびトランシーバユニットを含み、処理ユニットは、上述の方法において対応する機能を実行する際に端末デバイスをサポートするように構成される。トランシーバユニットは、端末デバイスと(ネットワークデバイスを含む)他のデバイスとの間の通信をサポートするように構成される。端末デバイスは、ストレージユニットをさらに含んでもよく、ストレージユニットは、処理ユニットに結合され、端末デバイスのために必要なプログラム命令およびデータを記憶する。
【００４８】
他の可能な実装において、端末デバイスの構造は、メモリ、プロセッサ、および通信モジュールを含む。メモリは、コンピュータ可読プログラムを記憶するように構成され、プロセッサは、第3の態様において端末デバイスによって実行された上述の方法を実行するために、メモリに記憶された命令を呼び出し、通信モジュールは、プロセッサの制御の下でデータを送信および/または受信するように構成される。
【００４９】
例として、処理ユニットは、プロセッサであってもよく、トランシーバユニットは、通信モジュールであってもよく、ストレージユニットは、メモリであってもよい。通信モジュールは、複数の構成要素であってもよく、すなわち、送信器および受信器を含むか、または通信インターフェースを含み、通信インターフェースは、送信および受信機能を有する。
【００５０】
第14の態様によれば、本出願の実施形態は、コンピュータ記憶媒体をさらに提供する。記憶媒体は、ソフトウェアプログラムを記憶し、1つまたは複数のプロセッサによって読まれ、実行されるとき、ソフトウェアプログラムは、第3の態様において提供されるPRBグリッド指示方法において端末デバイスによって実行される方法を実施することができる。
【００５１】
第15の態様によれば、本出願の実施形態は、PRBグリッド指示装置をさらに提供する。装置は、チップを含み、チップは、第3の態様において提供されるPRBグリッド指示方法において端末デバイスによって実行される方法を実行するように構成される。装置は、通信モジュールをさらに含んでもよく、装置に含まれるチップは、端末デバイスへの干渉を減らすために上述の方法において端末デバイスによってデータを送信および/または受信するための方法を通信モジュールを使用することによって実行する。
【００５２】
第16の態様によれば、本出願の実施形態は、命令を含むコンピュータプログラム製品をさらに提供し、コンピュータ上で実行されるとき、コンピュータプログラム製品は、コンピュータが第3の態様において提供されるPRBグリッド指示方法において端末デバイスによって実行される方法を実行することを可能にする。
【００５３】
第17の態様によれば、本出願の実施形態は、同期信号(synchronized signal、SS)ブロックの構造をさらに提供する。第16の態様は、上述の態様のうちのいずれか1つの技術的な解決策と組み合わされ得る。
【００５４】
可能な実装において、同期信号ブロックは、プライマリ同期信号(primary synchronized signal、PSS)、セカンダリ同期信号(secondary synchronized signal、SSS)、および物理ブロードキャストチャネルを含む。プライマリ同期信号内で同期シーケンス変調信号を運ぶサブキャリアの数と物理ブロードキャストチャネル内で物理ブロードキャストチャネル変調信号を運ぶサブキャリアの数とは異なり、セカンダリ同期信号内で同期シーケンス変調信号を運ぶサブキャリアの数と物理ブロードキャストチャネル内で物理ブロードキャストチャネル変調信号を運ぶサブキャリアの数とは異なる。周波数領域において、プライマリ同期信号内で同期シーケンス変調信号を運ぶ第1のサブキャリアおよびセカンダリ同期信号内で同期シーケンス変調信号を運ぶ第1のサブキャリアのうちの少なくとも一方は、物理ブロードキャストチャネル内で物理ブロードキャストチャネル変調信号を運ぶ第1のサブキャリアと同じ周波数を有するか、または位置を揃えられる。任意選択で、同期信号ブロックの物理リソースブロック(physical resource block、PRB)グリッドは、24個のPRBを含み、24個のPRBは、時間領域において複数のOFDMシンボルを占有する。プライマリ同期信号およびセカンダリ同期信号内で同期シーケンス変調信号を運ぶサブキャリアの数は、それぞれ144である。物理ブロードキャストチャネル内で物理ブロードキャストチャネル変調信号を運ぶサブキャリアの数は、288である。
【００５５】
他の可能な実装において、同期信号ブロックは、プライマリ同期信号(primary synchronized signal、PSS)、セカンダリ同期信号(secondary synchronized signal、SSS)、および物理ブロードキャストチャネルを含む。プライマリ同期信号内で同期シーケンス変調信号を運ぶサブキャリアの数と物理ブロードキャストチャネル内で物理ブロードキャストチャネル変調信号を運ぶサブキャリアの数とは異なり、セカンダリ同期信号内で同期シーケンス変調信号を運ぶサブキャリアの数と物理ブロードキャストチャネル内で物理ブロードキャストチャネル変調信号を運ぶサブキャリアの数とは異なる。周波数領域において、プライマリ同期信号内で同期シーケンス変調信号を運ぶ最後のサブキャリアおよびセカンダリ同期信号内で同期シーケンス変調信号を運ぶ最後のサブキャリアのうちの少なくとも一方は、物理ブロードキャストチャネル内で物理ブロードキャストチャネル変調信号を運ぶ最後のサブキャリアと同じ周波数を有するか、または位置を揃えられ、あるいは周波数領域において、プライマリ同期信号内で同期シーケンス変調信号を運ぶ第1のサブキャリアおよびセカンダリ同期信号内で同期シーケンス変調信号を運ぶ第1のサブキャリアのうちの少なくとも一方は、物理ブロードキャストチャネル内で物理ブロードキャストチャネル変調信号を運ぶ第145のサブキャリアと同じ周波数を有するか、または位置を揃えられる。任意選択で、同期信号ブロックの物理リソースブロック(physical resource block、PRB)グリッドは、24個のPRBを含み、24個のPRBは、時間領域において複数のOFDMシンボルを占有する。プライマリ同期信号およびセカンダリ同期信号内で同期シーケンス変調信号を運ぶサブキャリアの数は、それぞれ144である。物理ブロードキャストチャネル内で物理ブロードキャストチャネル変調信号を運ぶサブキャリアの数は、288である。
【００５６】
他の可能な実装において、同期信号ブロックは、プライマリ同期信号(primary synchronized signal、PSS)、セカンダリ同期信号(secondary synchronized signal、SSS)、および物理ブロードキャストチャネルを含む。プライマリ同期信号内で同期シーケンス変調信号を運ぶサブキャリアの数と物理ブロードキャストチャネル内で物理ブロードキャストチャネル変調信号を運ぶサブキャリアの数とは異なり、セカンダリ同期信号内で同期シーケンス変調信号を運ぶサブキャリアの数と物理ブロードキャストチャネル内で物理ブロードキャストチャネル変調信号を運ぶサブキャリアの数とは異なる。周波数領域において、物理ブロードキャストチャネル変調信号を運ぶ第1のサブキャリアと、プライマリ同期信号内で同期シーケンス変調信号を運ぶ第1のサブキャリアおよびセカンダリ同期信号内で同期シーケンス変調信号を運ぶ第1のサブキャリアのうちの少なくとも一方とは、周波数の第5のオフセット値を有し、第5のオフセット値は、PRBの整数倍であり、6個のPRBでないか、または周波数領域において、物理ブロードキャストチャネル内で物理ブロードキャストチャネル変調信号を運ぶ最後のサブキャリアと、プライマリ同期信号内で同期シーケンス変調信号を運ぶ最後のサブキャリアおよびセカンダリ同期信号内で同期シーケンス変調信号を運ぶ最後のサブキャリアのうちの少なくとも一方とは、周波数の第5のオフセット値を有し、第5のオフセット値は、PRBの整数倍であり、6個のPRBでない。任意選択で、同期信号ブロックの物理リソースブロック(physical resource block、PRB)グリッドは、24個のPRBを含み、24個のPRBは、時間領域において複数のOFDMシンボルを占有する。プライマリ同期信号およびセカンダリ同期信号内で同期シーケンス変調信号を運ぶサブキャリアの数は、それぞれ144である。物理ブロードキャストチャネル内で物理ブロードキャストチャネル変調信号を運ぶサブキャリアの数は、288である。
【００５７】
他の可能な実装において、同期信号ブロックは、プライマリ同期信号(primary synchronized signal、PSS)、セカンダリ同期信号(secondary synchronized signal、SSS)、および物理ブロードキャストチャネルを含み、同期信号ブロックの物理リソースブロック(physical resource block、PRB)グリッドは、A個のPRBを含む。プライマリ同期信号内で同期シーケンス変調信号を運ぶサブキャリアの数は、Bであり、セカンダリ同期信号内で同期シーケンス変調信号を運ぶサブキャリアの数は、Bであり、物理ブロードキャストチャネル信号内で物理ブロードキャストチャネル変調信号を運ぶサブキャリアの数は、Cであり、A、B、およびCは、正の整数であり、Bは、Cと等しくない。周波数領域において、プライマリ同期信号内で同期シーケンス変調信号を運ぶ第1のサブキャリアおよびセカンダリ同期信号内で同期シーケンス変調信号を運ぶ第1のサブキャリアのうちの少なくとも一方は、物理ブロードキャストチャネル内で物理ブロードキャストチャネル変調信号を運ぶ第Dのサブキャリアと同じ周波数を有するか、または位置を揃えられ、Dは、1以上、C-B+1以下の整数であるが、73に等しくなく、またはDは、1以上、C-B+1以下の整数であり、12の整数倍+1であるが、73に等しくない。任意選択で、A個のPRBは、時間領域において複数のOFDMシンボルを占有する。
【００５８】
他の可能な実装において、同期信号ブロックは、プライマリ同期信号(primary synchronized signal、PSS)、セカンダリ同期信号(secondary synchronized signal、SSS)、および物理ブロードキャストチャネルを含み、同期信号ブロックの物理リソースブロック(physical resource block、PRB)グリッドは、A個のPRBを含む。同期信号ブロックは、時間領域において複数のOFDMシンボルを占有し、同期信号ブロックの第2のOFDMシンボルおよび第3のOFDMシンボルは、連続しておらず、第2のシンボルと第3のシンボルとの間の距離は、1 OFDMシンボルである。任意選択で、A個のPRBは、時間領域において複数のOFDMシンボルを占有する。
【００５９】
他の可能な実装において、同期信号ブロックは、プライマリ同期信号(primary synchronized signal、PSS)、セカンダリ同期信号(secondary synchronized signal、SSS)、および物理ブロードキャストチャネルを含み、同期信号ブロックの物理リソースブロック(physical resource block、PRB)グリッドは、A個のPRBを含む。同期信号ブロックは、時間領域において複数のOFDMシンボルを占有し、同期信号ブロックの第3のOFDMシンボルおよび第4のOFDMシンボルは、連続しておらず、第3のシンボルと第4のシンボルとの間の距離は、1 OFDMシンボルである。任意選択で、A個のPRBは、時間領域において複数のOFDMシンボルを占有する。
【図面の簡単な説明】
【００６０】
【図１】本出願の実施形態において提供される技術的な解決策が適用可能であるネットワークアーキテクチャの概略図である。
【図２】本出願の実施形態において提供される技術的な解決策が適用可能である他のネットワークアーキテクチャの概略図である。
【図３】本出願の実施形態による同期信号ブロックPRBグリッドの概略的な構造図である。
【図３ａ】本出願の実施形態による同期信号ブロックPRBグリッドの概略的な構造図である。
【図４】本出願の実施形態によるシステム共通PRBグリッドの概略的な構造図である。
【図４ａ】本出願の実施形態によるシステム共通PRBグリッドの概略的な構造図である。
【図５】本出願の実施形態によるPRBグリッド指示方法の概略的な流れ図である。
【図６】本出願の実施形態による同期信号ブロックPRBグリッドおよびシステム共通PRBグリッドの概略的な構造図である。
【図７】本出願の実施形態による同期信号ブロックPRBグリッドおよびシステム共通PRBグリッドの概略的な構造図である。
【図８Ａ】本出願の実施形態による同期信号ブロックPRBグリッドおよびシステム共通PRBグリッドの概略的な構造図である。
【図８Ｂ】本出願の実施形態による同期信号ブロックPRBグリッドおよびシステム共通PRBグリッドの概略的な構造図である。
【図９】本出願の実施形態による他のシステム共通PRBグリッドの概略的な構造図である。
【図１０】本出願の実施形態による他のPRBグリッド指示方法の概略的な流れ図である。
【図１１】本出願の実施形態において定義される異なるシステム帯域幅の異なるサブキャリア間隔のシステム共通PRBグリッドの概略的な構造図である。
【図１２】本出願の実施形態において定義される異なるシステム帯域幅の異なるサブキャリア間隔のシステム共通PRBグリッドの概略的な構造図である。
【図１３】本出願の実施形態において定義される異なるシステム帯域幅の異なるサブキャリア間隔のシステム共通PRBグリッドの概略的な構造図である。
【図１４】本出願の実施形態において定義される異なるシステム帯域幅の異なるサブキャリア間隔のシステム共通PRBグリッドの概略的な構造図である。
【図１５】本出願の実施形態において定義される異なるシステム帯域幅の異なるサブキャリア間隔のシステム共通PRBグリッドの概略的な構造図である。
【図１６】本出願の実施形態において定義される異なるシステム帯域幅の異なるサブキャリア間隔のシステム共通PRBグリッドの概略的な構造図である。
【図１７】本出願の実施形態において定義される異なるシステム帯域幅の異なるサブキャリア間隔のシステム共通PRBグリッドの概略的な構造図である。
【図１８】本出願の実施形態において定義される異なるシステム帯域幅の異なるサブキャリア間隔のシステム共通PRBグリッドの概略的な構造図である。
【図１９】本出願の実施形態による第1の端末デバイスの概略的な構造図である。
【図２０】本出願の実施形態による第2の端末デバイスの概略的な構造図である。
【図２１】本出願の実施形態によるネットワークデバイスの概略的な構造図である。
【図２２】本出願の実施形態による他のネットワークデバイスの概略的な構造図である。
【図２３】本出願の実施形態による第3の端末デバイスの概略的な構造図である。
【図２４】本出願の実施形態による第4の端末デバイスの概略的な構造図である。
【図２５】本出願の実施形態による通信システムの概略的な構造図である。
【図２６】本出願の実施形態による他の同期信号ブロックPRBグリッドおよびシステム共通PRBグリッドの概略的な構造図である。
【図２７】本出願の実施形態による他の同期信号ブロックPRBグリッドおよびシステム共通PRBグリッドの概略的な構造図である。
【図２８】本出願の実施形態による他の同期信号ブロックPRBグリッドおよびシステム共通PRBグリッドの概略的な構造図である。
【図２９】本出願の実施形態による同期信号ブロックの信号の構造の概略図である。
【図３０】本出願の実施形態による同期信号ブロックの信号の構造の概略図である。
【図３１】本出願の実施形態による同期信号ブロックの信号の構造の概略図である。
【図３２】本出願の実施形態による同期信号ブロックの信号の構造の概略図である。
【図３３】本出願の実施形態による同期信号ブロックの信号の構造の概略図である。
【発明を実施するための形態】
【００６１】
現在、5G新無線は、端末デバイスによってシステム共通PRBグリッド内のPRBの位置を取得するための方法をまだ定義しておらず、また、5G新無線は、異なるシステム帯域幅の異なるサブキャリア間隔に対応するシステム共通PRBグリッドの構造をまだ定義していないので、本出願の実施形態は、PRBグリッド指示方法およびデバイスを提供する。方法およびデバイスは、同じ発明の概念に基づいて着想される。方法およびデバイスは、問題を解決するための同様の原理を有する。したがって、デバイスおよび方法の実装に関して、互いに参照が行われることがあり、繰り返し部分の詳細は、説明されない。
【００６２】
本出願の実施形態において提供される技術的な解決策は、5Gシステムに適用可能である。5Gシステムに基づいて、図1および図2は、本出願の実施形態において提供される技術的な解決策が適用可能な2つのネットワークアーキテクチャの概略図である。図1に示されるネットワークは、ネットワークデバイス110および端末デバイス120を含み、図1は、1つのネットワークデバイス110およびネットワークデバイス110と通信する2つの端末デバイス120のみを示す。図2に示されるネットワークと図1に示されるネットワークとの間の違いは、図1に示されるネットワークにおけるネットワークデバイスが仮想で存在することであり、ネットワークデバイスの一部の機能が分散ユニット(distributed unit、DU)1101に実装され、ネットワークデバイスのその他の機能が集約ユニット(centralized unit、CU)1102に実装され、複数のDU 1101が同じCU 1102に接続され得ることにある。図1および図2に示されるネットワークは、両方とも少なくとも1つのネットワークデバイスを含んでもよく、また、各ネットワークデバイスと通信する少なくとも1つの端末デバイスが存在しうることに留意されたい。ネットワークデバイスおよび端末デバイスの数は、図1および図2に示される数に限定されない。
【００６３】
本出願の実施形態の5Gシステムの端末デバイスは、ユーザに音声および/もしくはデータ接続性を提供するデバイス、ワイヤレス接続機能を有するハンドヘルドデバイス、またはワイヤレスモデムに接続された他の処理デバイスであってよい。ワイヤレス端末デバイスは、無線アクセスネットワーク(radio access network、RAN)を介して1つまたは複数のコアネットワークと通信し得る。ワイヤレス端末デバイスは、モバイル電話(「セルラー」電話とも呼ばれる)などのモバイル端末デバイスおよびモバイル端末デバイスを有するコンピュータであってもよく、たとえば、無線アクセスネットワークと音声および/またはデータをやりとりする、ポータブル、ポケットサイズ、ハンドヘルド、コンピュータ組み込み、または車載モバイル装置であってもよい。たとえば、ワイヤレス端末デバイスは、パーソナル通信サービス(personal communication service、PCS)電話、コードレス電話機、セッション開始プロトコル(session initiation protocol、SIP)電話、ワイヤレスローカルループ(wireless local loop、WLL)局、または携帯情報端末(personal digital assistant、PDA)などのデバイスであってよい。ワイヤレス端末デバイスは、システム、加入者ユニット(subscriber unit)、加入者局(Subscriber Station)、移動局(Mobile Station)、モバイルコンソール(Mobile)、遠隔局(Remote Station)、アクセスポイント(access point、AP)、リモート端末デバイス(remote terminal)、アクセス端末デバイス(access terminal)、ユーザ端末デバイス(user terminal)、ユーザエージェント(user agent)、ユーザデバイス(user device)、またはユーザ機器(user equipment)とも呼ばれうる。
【００６４】
本出願の実施形態の5Gシステムのネットワークデバイスは、セル、進化型NodeB(evolved NodeB、eNB、もしくはe-NodeB)、またはアクセスポイントであってもよく、あるいは1つまたは複数のセクタを使用することによって無線インターフェースを介してワイヤレス端末デバイスと通信するアクセスネットワーク内のデバイスであってもよい。ネットワークデバイスの主な機能は、無線リソースの管理、インターネットプロトコル(internet protocol、IP)ヘッダの圧縮およびユーザデータストリームの暗号化、端末デバイスのアタッチ中のモビリティ管理エンティティ(Mobility Management Entity、MME)の選択、サービングゲートウェイ(Serving Gateway、S-GW)へのユーザプレーンデータのルーティング、ページングメッセージの編成および送信、ブロードキャストメッセージの編成および送信、モビリティまたはスケジューリングのための測定、測定レポートの構成などである。
【００６５】
以下において、本出願の実施形態における用語を説明する。
【００６６】
I.  PRBおよびサブキャリア間隔
【００６７】
PRB:周波数領域において占有されるP個の連続するサブキャリアおよび時間領域において占有されるR個の連続するシンボルであり、PおよびRは、1以上の自然数である。たとえば、P=12およびR=7、またはP=12およびR=14、またはP=12およびR=1である。P=12およびR=7であるとき、そのことは、1つのPRBが周波数領域において12個の連続するサブキャリアおよび時間領域において7個の連続するシンボルを占有しうることを示す。
【００６８】
サブキャリア間隔:周波数領域の最も細かい粒度(granularity)である。たとえば、LTEにおいて、サブキャリアのサブキャリア間隔は15kHzであり、5Gシステムにおいて、サブキャリアの幅は15kHz、30kHz、および60kHzのうちの1つでありうる。
【００６９】
II.  同期信号ブロックPRBグリッド
【００７０】
図3は、5G新無線によって定義された同期信号ブロックPRBグリッドの構造を示す。図3の小さな長方形は、PRBを表し、それぞれの小さな長方形の中の番号は、同期信号ブロックPRBグリッド内のPRBの位置を表し、または番号は、PRBのインデックスとも呼ばれうる。同期信号ブロックPRBグリッドは、24個のPRBを含み、したがって、同期信号ブロックPRBグリッド内のPRBは、0から23まで付番されたPRBである。例の説明を容易にするために、図3aに示される付番方法が、以下の実施形態において付番のために使用され、PRBの番号は、0から9を含み、番号は、同期信号ブロックPRBグリッド内のPRBが0から23まで付番されたPRBであることを示すために循環的に現れてもよい。しかし、そのような付番が例の説明のために意図されるに過ぎないことは、理解されるであろう。同期信号ブロックPRBグリッドの構造に関しては、5G新無線に関連する規格の定義を参照されたい。
【００７１】
5G新無線は、同期信号ブロックの構造を定義しており、同期信号ブロックは、プライマリ同期信号、セカンダリ同期信号、および物理ブロードキャストチャネルを含む。まず、以下で使用される「所定の位置」が説明される。同期信号ブロックの所定の位置は、単位周波数の整数倍である必要がある。たとえば、単位周波数が100kHzである場合、同期信号ブロックの所定の位置は、100kHzの整数倍である。たとえば、同期信号ブロックの所定の位置は、200kHzまたは300kHzでありうる。所定の位置は、以下、すなわち、同期信号ブロックPRBグリッドの中心周波数、同期信号ブロックPRBグリッドの第1のサブキャリアに対応する周波数、同期信号ブロックPRBグリッドに対応する同期信号ブロックのキャリア周波数位置、同期信号ブロックPRBグリッドの中心周波数に最も近いサブキャリアに対応する中心周波数、および同期信号ブロックPRBグリッドに対応する物理チャネルの第145のサブキャリアのうちのいずれか1つでありうる。
【００７２】
III.  システム共通PRBグリッド
【００７３】
5G新無線によって定義された異なるシステム帯域幅の異なるサブキャリア間隔に対応するシステム共通PRBグリッドに含まれるPRBの数が、表1に示される。
【００７４】
【表１】
2020530714.tif 000040
【００７５】
表1において、たとえば、システム帯域幅が5MHzであるとき、15kHzのサブキャリア間隔のシステム共通PRBグリッドは、25個のPRBを含む。システム共通PRBグリッドの構造が、図4に示される。図4の小さな長方形は、PRBを表し、それぞれの小さな長方形の中の番号は、システム共通PRBグリッド内のPRBの位置を表す。システム共通PRBグリッドは、25個のPRBを含み、したがって、システム共通PRBグリッド内のPRBは、0から24まで付番されたPRBである。図4のGBは、ガードバンド(guard band)を表し、ガードバンドは、他のシステムへの干渉を防止するために予約された、特定のシステム帯域幅内の未使用の帯域幅である。例の説明を容易にするために、図4aに示される付番方法が、以下の実施形態において付番のために使用され、PRBの番号は、0から9を含み、番号は、システム共通PRBグリッド内のPRBが0から24まで付番されたPRBであることを示すために循環的に現れてもよい。しかし、そのような付番が例の説明のために意図されるに過ぎないことは、理解されるであろう。システム共通PRBグリッドの構造に関しては、5G新無線に関連する規格の定義を参照されたい。
【００７６】
本出願の実施形態において提供される技術的な解決策が、添付の図面を参照して以下において説明される。
【００７７】
本出願の実施形態は、PRBグリッド指示方法を提供し、方法は、5Gシステム内の端末デバイスがシステム共通PRBグリッド内のPRBの位置を取得することを可能にするために使用される。図5は、PRBグリッド指示方法の概略的な流れ図であり、方法は、以下のステップを含む。
【００７８】
ステップ501:ネットワークデバイスが、端末デバイスに位置情報を送信する。
【００７９】
ステップ501において、位置情報は、同期信号ブロックPRBグリッド内の第1の所定の位置と第1のサブキャリア間隔のシステム共通PRBグリッド内の任意のPRBとの間の相対的な位置関係を示すために使用される。実装において、ネットワークデバイスは、端末デバイスに、ブロードキャストチャネル上で運ばれるブロードキャストメッセージ、たとえば、物理ブロードキャストチャネルのブロードキャストメッセージを送信してもよく、ブロードキャストメッセージが、位置関係を運ぶ。たとえば、第1の所定の位置は、周波数でありうる。たとえば、位置情報は、ブロードキャストメッセージ内の5ビットまたは6ビットを占める。
【００８０】
同期信号ブロックPRBグリッド内の第1の所定の位置は、同期信号ブロックPRBグリッド内の予め定義された位置であり、同期信号ブロックPRBグリッド内の第1の所定の位置は、同期信号ブロックPRBグリッド内の任意の位置として設定され得る。同期信号ブロックPRBグリッド内の第1の所定の位置の特定の位置は、この実施形態において限定されない。第1の所定の位置が、システム共通PRBグリッド内の対応するPRBを取得するための基準として使用され得ることが理解されるであろう。たとえば、第1の所定の位置は、以下、すなわち、同期信号ブロックPRBグリッドの中心周波数、同期信号ブロックPRBグリッドの第1のサブキャリアに対応する周波数、同期信号ブロックPRBグリッドに対応する同期信号ブロックのキャリア周波数位置、同期信号ブロックPRBグリッドの中心周波数に最も近いサブキャリアに対応する中心周波数、および同期信号ブロックPRBグリッドに対応する物理チャネルの第145のサブキャリアのうちのいずれか1つである。第1のサブキャリア間隔は、予め定義されたサブキャリア間隔である。たとえば、第1のサブキャリア間隔は、15kHz、30kHz、60kHz、120kHz、240kHz、および480kHzのサブキャリア間隔のうちのいずれか1つでありうる。あるいは、第1のサブキャリア間隔は、システム共通PRBグリッドまたは同期信号ブロックPRBグリッドが位置する周波数帯域内のすべてのチャネルによってサポートされる最大サブキャリア間隔である。あるいは、第1のサブキャリア間隔は、システム共通PRBグリッドまたは同期信号ブロックPRBグリッドが位置する周波数帯域内のデータチャネルによってサポートされる最大サブキャリア間隔でありうる。第1のサブキャリア間隔のシステム共通PRBグリッド内の任意のPRBは、第1のサブキャリア間隔のシステム共通PRBグリッド内の任意の位置のPRB、たとえば、システム共通PRBグリッド内の第1のPRBまたは第2のPRBとして理解され得る。第1のサブキャリア間隔のシステム共通PRBグリッド内の任意のPRBが位置する特定の位置は、この実施形態において限定されない。任意のPRBが、端末がシステム共通PRBグリッドの構造を取得するための基準として使用され得ることが理解されるであろう。相対的な位置関係が決定された後、任意のPRBは、相対的な位置関係を参照して特定のPRBとして使用される。任意のPRBは、第1の所定の位置に対応するシステム共通PRBグリッド内のPRBであるか、または任意のPRBは、第1の所定の位置に最も近いシステム共通PRBグリッド内のPRBである。この実施形態において、あるいは、システム共通PRBグリッド内の任意のPRBの位置は、予め定義されてもよく、すなわち、任意のPRBは、システム共通PRBグリッド内の指定PRBである。たとえば、指定PRBは、システム共通PRBグリッド内の第1のPRBまたは第2のPRBでありうる。あるいは、任意のPRBは、システム共通PRBグリッド内の制御リソースセット(control resource set、CORESET)内のPRB、たとえば、制御リソースセット内の第1のPRBである。
【００８１】
位置情報は、ネットワークデバイスがシステム共通PRBグリッド内の任意のPRBのシーケンス番号を知っていることがあるのでシステム共通PRBグリッド内の任意のPRBのシーケンス番号を含まないことがあることに留意されたい。しかし、ネットワークデバイスによって送信された位置情報を受信した後、端末デバイスは、システム共通PRBグリッドの構造、言い換えると、任意のPRBに対応する特定の番号をまだ知らない。位置情報は、第1のサブキャリア間隔を反映することがあり、または第1のサブキャリア間隔を反映しないことがある。端末デバイスが第1のサブキャリア間隔を知っている場合、位置関係は、第1のサブキャリア間隔を反映しないことがある。
【００８２】
この実施形態において、位置情報は、以下の3つの方法で表され得る。
【００８３】
第1の位置情報表現方法において、同期信号ブロックPRBグリッド内の第1の所定の位置と第1のサブキャリア間隔のシステム共通PRBグリッド内の任意のPRBとの間の相対的な位置関係は、PRBの数を使用することによって表される。言い換えると、位置情報は、同期信号ブロックPRBグリッド内の第1の所定の位置と第1のサブキャリア間隔のシステム共通PRBグリッド内の任意のPRBにN個のPRBのオフセットがあることを示すために使用され、Nは、0以上である。たとえば、Nは、0.5または0である。0.5個のPRBは、PRBの半分を意味する。
【００８４】
上述の第1の位置情報表現方法において、たとえば、Nは、以下の条件のうちのいずれか1つを満たし得る。
Nの最大値≦2x第1の帯域幅-同期信号ブロックの帯域幅、および
Nの最大値≦2x第1の帯域幅-同期信号ブロックの帯域幅-制御リソースの帯域幅、ここで、第1の帯域幅は、現在の周波数帯域内の端末デバイスによってサポートされる最大受信帯域幅であるか、または第1の帯域幅は、端末デバイスによってサポートされる受信帯域幅内の最大帯域幅である。現在の周波数帯域は、システム共通PRBグリッドまたは同期信号ブロックPRBグリッドが位置する周波数帯域である。あるいは、第1の帯域幅は、11、18、24、25、31、32、38、51、52、65、66、79、106、107、132、133、135、162、216、217、264、270、または273個のRBに対応する任意の帯域幅である。
【００８５】
たとえば、Nは、あるいは、予め設定された値の集合のうちのいずれか1つの値であってもよい。予め設定された値の集合は、初期化中にネットワークデバイスおよび端末デバイスによって合意されえ、または予め設定された値の集合は、標準的なプロトコルにおいて指定され、ネットワークデバイスおよび端末デバイスは、標準的なプロトコルに準拠する。要するに、ネットワークデバイスと端末デバイスとの両方が、予め設定された値の集合を知っている。たとえば、予め設定された値の集合は、{0, 1, 2, 3, 4, 5, 6, 7, 8, 9, 10}であり、他の例として、予め設定された値の集合は、{0, 2, 4, 6, 8, 10}である。予め設定された値の集合を構成する値は、この実施形態において限定されない。
【００８６】
Nが予め設定された値の集合のうちのいずれか1つの値であるときの位置情報の実装について、以下においてさらに説明される。
【００８７】
実装において、位置情報は、予め設定された値の集合の中のNの値の位置であり、位置は、予め設定された値の集合の中のNに対応する値の番号でありうる。たとえば、予め設定された値の集合が、{0, 2, 4, 6, 8, 10}であり、3ビットが、位置情報を表すために必要とされ、000は、予め設定された値の集合の中の第1の値を表し、Nは、0であり、001は、予め設定された値の集合の中の第2の値を表し、Nは、2であり、010は、予め設定された値の集合の中の第3の値を表し、Nは、4であり、011は、予め設定された値の集合の中の第5の値を表し、Nは、8であり、100は、予め設定された値の集合の中の第6の値を表し、Nは、10である。したがって、たとえば、ネットワークデバイスによって端末デバイスに送信された位置情報が011であるとき、そのことは、同期信号ブロックPRBグリッド内の第1の所定の位置と第1のサブキャリア間隔のシステム共通PRBグリッド内のPRBに8個のPRBのオフセットがあることを示す。
【００８８】
他の実装において、位置情報に含まれる内容は、Nである。たとえば、予め設定された値の集合は、{0, 2, 4, 6, 8, 10}であり、4ビットが、Nの値を表すために必要とされ、0000は、Nが0であることを示し、0010は、Nが2であることを示し、0100は、Nが4であることを示し、1000は、Nが8であることを示し、1010は、Nが10であることを示す。したがって、たとえば、ネットワークデバイスによって端末デバイスに送信された位置情報が1000であるとき、そのことは、同期信号ブロックPRBグリッド内の第1の所定の位置と第1のサブキャリア間隔のシステム共通PRBグリッド内のPRBに8個のPRBのオフセットがあることを示す。
【００８９】
上述の第1の位置情報表現方法において、位置情報は、同期信号ブロックPRBグリッド内の第1の所定の位置と第1のサブキャリア間隔のシステム共通PRBグリッド内のPRBにN個のPRBのオフセットがあることを示すために使用される。たとえば、N個のPRBに対応するサブキャリア間隔は、システム共通PRBグリッドが位置する周波数帯域(band)内のすべてのチャネルによってサポートされる最大サブキャリア間隔であってもよく、またはN個のPRBの中のPRBに対応するサブキャリア間隔は、PRBグリッドが位置する周波数帯域内のデータチャネルによってサポートされる最大サブキャリア間隔でありうる。あるいは、N個のPRBに対応するサブキャリア間隔は、同期信号ブロックのサブキャリア間隔である。あるいは、N個のPRBの中のPRBに対応するサブキャリア間隔は、30kHz、60kHz、120kHz、240kHz、または480kHzのうちのいずれか1つでありうる。これは、この実施形態において限定されない。
【００９０】
以下において、例を使用することによって第1の方法の位置情報を説明する。
【００９１】
例の説明1:図6に示される位置情報を例として使用して、図6の上のグリッドは、5MHzのシステム帯域幅の15kHzのサブキャリア間隔(すなわち、上述の第1のサブキャリア間隔)のシステム共通PRBグリッドを表し、図6の下のグリッドは、同期信号ブロックPRBグリッドを表す。図6において、同期信号ブロックPRBグリッド内の第1の所定の位置は、同期信号ブロックPRBグリッド内の中心周波数、すなわち、同期信号ブロックPRBグリッド内の1を付番された第2のPRBと2を付番された第2のPRBとの間の矢印付きの破線がある周波数である。位置情報のシステム共通PRBグリッド内の任意のPRBは、破線が通るPRBグリッド、すなわち、システム共通PRBグリッド内の2を付番された第2のPRBであると仮定される。破線とシステム共通PRBグリッド内の2を付番された第2のPRBの左の境界には0.5個のPRBのオフセットがある。したがって、図6の位置情報は、複数の表現方法を有してもよく、そのうちの2つの表現方法は、以下の通りである。第1の表現方法において、位置情報は、同期信号ブロックPRBグリッド内の中心周波数と第1のサブキャリア間隔のシステム共通PRBグリッド内の任意のPRBの左の境界には0.5個のPRBのオフセットがあることを示すために使用される。第2の表現方法において、位置情報は、同期信号ブロックPRBグリッド内の中心周波数と第1のサブキャリア間隔のシステム共通PRBグリッド内の任意のPRBの右の境界には0.5個のPRBのオフセットがあることを示すために使用される。上述の2つの表現方法において、システム共通PRBグリッド内の任意のPRBの第2の所定の位置は異なり、それぞれ、左の境界および右の境界である。確かに、システム共通PRBグリッド内の任意のPRBの第2の所定の位置は、任意のPRBの他の位置でありうる。これは、この実施形態において限定されない。
【００９２】
図6に関して、位置情報に対応するシステム共通PRBグリッド内の任意のPRBは、システム共通PRBグリッド内の2を付番された第2のPRB以外の任意のPRBであってもよいことに留意されたい。たとえば、システム共通PRBグリッド内の任意のPRBは、3を付番された第2のPRBであり、この場合、位置情報は、同期信号ブロックPRBグリッド内の中心周波数と第1のサブキャリア間隔のシステム共通PRBグリッド内の任意のPRBの左の境界には1.5個のPRBのオフセットがあることを示すために使用される。
【００９３】
例の説明2:図7に示される位置情報を例として使用して、図7の上のグリッドは、10MHzのシステム帯域幅の15kHzのサブキャリア間隔(すなわち、上述の第1のサブキャリア間隔)のシステム共通PRBグリッドを表し、図7の下のグリッドは、同期信号ブロックPRBグリッドを表す。図7において、同期信号ブロックPRBグリッド内の第1の所定の位置は、同期信号ブロックPRBグリッド内の中心周波数、すなわち、同期信号ブロックPRBグリッド内の1を付番された第2のPRBと2を付番された第2のPRBとの間の矢印付きの実線がある周波数である。位置情報のシステム共通PRBグリッド内の任意のPRBは、実線が通るPRBグリッド、すなわち、システム共通PRBグリッド内の6を付番された第3のPRBであると仮定される。実線とシステム共通PRBグリッド内の6を付番された第2のPRBの左の境界には0個のPRBのオフセットがある。したがって、図7の位置情報は、複数の表現方法を有してもよく、そのうちの1つの表現方法は、同期信号ブロックPRBグリッド内の中心周波数と第1のサブキャリア間隔のシステム共通PRBグリッド内の任意のPRBの左の境界には0個のPRBのオフセットがあることを示すために位置情報が使用されることである。
【００９４】
第2の位置情報表現方法において、同期信号ブロックPRBグリッド内の第1の所定の位置と第1のサブキャリア間隔のシステム共通PRBグリッド内の任意のPRBとの間の相対的な位置関係は、サブキャリア間隔の数を使用することによって表される。言い換えると、位置情報は、同期信号ブロックPRBグリッド内の第1の所定の位置と第1のサブキャリア間隔のシステム共通PRBグリッド内の任意のPRBにはM個のサブキャリア間隔のオフセットがあることを示すために使用され、Mは、0以上である。たとえば、Mは、0、2、4、6、8、もしくは10であり、すなわち、位置情報は、Mが0、2、4、6、8、もしくは10であることを示し、またはMは、0、4、6、および10のうちのいずれか1つの値を含み、すなわち、位置情報は、Mが0、4、6、もしくは10であることを示す。
【００９５】
上述の第2の位置情報表現方法において、たとえば、Mは、予め設定された値の集合のうちのいずれか1つの値でありうる。予め設定された値の集合は、初期化中にネットワークデバイスおよび端末デバイスによって合意されえ、または予め設定された値の集合は、標準的なプロトコルにおいて指定され、ネットワークデバイスおよび端末デバイスは、標準的なプロトコルに準拠する。要するに、予め設定された値の集合は、ネットワークデバイスと端末デバイスとの両方に知られている。予め設定された値の集合を構成する値は、この実施形態において限定されない。たとえば、予め設定された値の集合は、0から47を含んでもよく、予め設定された値の集合は、{0, 1, 2, 3, 4, 5, 6, 7, 8, 9, 10, 11, 12, 13, 14, 15, 16, 17, 18, 19, 20, 21, 22, 23, 24, 25, 26, 27, 28, 29, 30, 31, 32, 33, 34, 35, 36, 37, 38, 39, 40, 41, 42, 43, 44, 45, 46, 47}であってもよく、または予め設定された値の集合は、0から47の中の偶数を含んでもよく、予め設定された値の集合は、{0, 2, 4, 6, 8, 10, 12, 14, 16, 18, 20, 22, 24, 26, 28, 30, 32, 34, 36, 38, 40, 42, 44, 46}であり、または予め設定された値の集合は、0から47の中の奇数を含んでもよく、予め設定された値の集合は、{1, 3, 5, 7, 9, 11, 13, 15, 17, 19, 21, 23, 25, 27, 29, 31, 33, 35, 37, 39, 41, 43, 45, 47}であり、または予め設定された値の集合は、0から47の中の少なくとも2つの値、たとえば、{0, 1}、{0, 1, 2, 3, 4, 5, 6, 7, 8, 9, 10}、もしくは{0, 6, 12, 18, 24, 30, 36, 42}を含みうる。他の例として、予め設定された値の集合は、0から23を含んでもよく、予め設定された値の集合は、{0, 1, 2, 3, 4, 5, 6, 7, 8, 9, 10, 11, 12, 13, 14, 15, 16, 17, 18, 19, 20, 21, 22, 23}であり、または予め設定された値の集合は、0から23の中の偶数を含んでもよく、予め設定された値の集合は、{0, 2, 4, 6, 8, 10, 12, 14, 16, 18, 20, 22}であり、または予め設定された値の集合は、0から23の中の奇数を含み、予め設定された値の集合は、{1, 3, 5, 7, 9, 11, 13, 15, 17, 19, 21, 23}であり、または予め設定された値の集合は、0から23の中の少なくとも2つの値、たとえば、{0, 1, 2, 3}もしくは{0, 1, 2, 3, 4, 5, 6, 7, 8, 9, 10}を含みうる。他の例として、予め設定された値の集合は、0から11の中の少なくとも2つの値を含み、予め設定された値の集合は、{0, 1, 2, 3, 4, 5, 6, 7, 8, 9, 10, 11}であり、または予め設定された値の集合は、0から11の中の偶数を含み、予め設定された値の集合は、{0, 2, 4, 6, 8, 10}であり、または予め設定された値の集合は、0から23の中の奇数を含み、すなわち、予め設定された値の集合は、{1, 3, 5, 7, 9, 11}である。他の例として、予め設定された値の集合は、{0, 6, 12, 18, 24, 30, 36, 42}である。上述の予め設定された値の集合が例に過ぎず、限定を意図されていないことは、理解されるであろう。
【００９６】
Mが予め設定された値の集合のうちのいずれか1つの値である実装において、位置情報は、予め設定された値の集合の中のMの値の位置である。位置は、予め設定された値の集合の中のMに対応する値の番号でありうる。たとえば、予め設定された値の集合が、{0, 2, 4, 6, 8, 10}であり、3ビットが、位置情報を表すために必要とされ、000は、予め設定された値の集合の中の第1の値を表し、Mは、0であり、001は、予め設定された値の集合の中の第2の値を表し、Mは、2であり、010は、予め設定された値の集合の中の第3の値を表し、Mは、4であり、011は、予め設定された値の集合の中の第5の値を表し、Mは、8であり、100は、予め設定された値の集合の中の第6の値を表し、Mは、10である。したがって、たとえば、ネットワークデバイスによって端末デバイスに送信された位置情報が011であるとき、そのことは、同期信号ブロックPRBグリッド内の第1の所定の位置と第1のサブキャリア間隔のシステム共通PRBグリッド内の任意のPRBには8個のサブキャリア間隔のオフセットがあることを示す。
【００９７】
Mが予め設定された値の集合のうちのいずれか1つの値である他の実装において、位置情報に含まれる内容は、Mである。たとえば、予め設定された値の集合が、{0, 2, 4, 6, 8, 10}であり、4ビットが、位置情報を表すために必要とされ、0000は、Mが0であることを示し、0010は、Mが2であることを示し、0100は、Mが4であることを示し、1000は、Mが8であることを示し、1010は、Mが10であることを示す。したがって、たとえば、ネットワークデバイスによって端末デバイスに送信された位置情報が1000であるとき、そのことは、同期信号ブロックPRBグリッド内の第1の所定の位置と第1のサブキャリア間隔のシステム共通PRBグリッド内の任意のPRBには8個のサブキャリア間隔のオフセットがあることを示す。
【００９８】
上述の第2の位置情報表現方法において、位置情報は、同期信号ブロックPRBグリッド内の第1の所定の位置と第1のサブキャリア間隔のシステム共通PRBグリッド内の任意のPRBにはM個のサブキャリア間隔のオフセットがあることを示すために使用される。たとえば、M個のサブキャリア間隔の中のサブキャリア間隔は、同期信号ブロックPRBグリッドのサブキャリア間隔であってもよく、またはM個のサブキャリア間隔の中のサブキャリア間隔は、システム共通PRBグリッドのサブキャリア間隔でありうる。これは、この実施形態において限定されない。
【００９９】
他の実装方法において、第2の位置情報表現方法に関して、Mの値は、以下の式、すなわち、M=U、M=Ux2、M=Ux2+1、およびM=Ux6のうちの1つを満たしてもよく、Uは、位置情報(たとえば、十進表記の位置情報の値)であるか、またはUは、0、1、2、3、...、47のうちの値に等しくてもよく、またはUは、0、1、2、3、...、23のうちの値に等しくてもよく、またはUは、0、1、2、3、...、11のうちの値に等しくてもよく、またはUは、0、1、2、3、...、7のうちの値に等しくてもよい。式は、初期化中にネットワークデバイスおよび端末デバイスによって合意されえ、または式は、標準的なプロトコルにおいて指定されえ、ネットワークデバイスおよび端末デバイスは、標準的なプロトコルに準拠する。要するに、ネットワークデバイスと端末デバイスとの両方が、式を知っている。したがって、Mの値は、システム情報のビット値に基づいて動的に計算され得る。M=Ux2を例として使用して、位置情報がUであるとき、位置情報は、同期信号ブロックPRBグリッド内の第1の所定の位置と第1のサブキャリア間隔のシステム共通PRBグリッド内の任意のPRBにM=(Ux2)個のサブキャリア間隔のオフセットがあることを示すために使用される。
【０１００】
以下において、例を使用することによって第2の方法の位置情報を説明する。
【０１０１】
例の説明1:図8Aに示される位置情報を例として使用して、図8Aの第1の行のグリッドは、15MHzのシステム帯域幅の15kHzのサブキャリア間隔(すなわち、上述の第1のサブキャリア間隔)のシステム共通PRBグリッドを表し、図8Aの第2から第4の行のグリッドは、3つの異なる同期信号ブロックPRBグリッドを表す。図8Aにおいて、3つの同期信号ブロックPRBグリッドの各々の中の第1の所定の位置は、同期信号ブロックPRBグリッド内の中心周波数、すなわち、同期信号ブロックPRBグリッド内の1を付番された第2のPRBと2を付番された第2のPRBとの間の矢印付きの実線がある周波数である。位置情報のシステム共通PRBグリッド内の任意のPRBは、3つの実線の各々が通るPRBグリッドであると仮定される。第2から第4の行の3つの同期信号ブロックPRBグリッドに対応して、システム共通PRBグリッド内の任意のPRBは、順に、同期信号ブロックPRBグリッド内の9を付番された第3のPRBおよび2を付番された第3のPRBである。第2の行の同期信号ブロックPRBグリッドについて、位置情報は、同期信号ブロックPRBグリッド内の中心周波数と第1のサブキャリア間隔のシステム共通PRBグリッド内の任意のPRBの左の境界には10個のサブキャリア間隔のオフセットがあることを示すために使用され、第3の行の同期信号ブロックPRBグリッドについて、位置情報は、同期信号ブロックPRBグリッド内の中心周波数と第1のサブキャリア間隔のシステム共通PRBグリッド内の任意のPRBの左の境界には2個のサブキャリア間隔のオフセットがあることを示すために使用され、第4の行の同期信号ブロックPRBグリッドについて、位置情報は、同期信号ブロックPRBグリッド内の中心周波数と第1のサブキャリア間隔のシステム共通PRBグリッド内の任意のPRBの左の境界には6個のサブキャリア間隔のオフセットがあることを示すために使用されることが、計算によって知られ得る。
【０１０２】
例の説明2:図8Bに示される位置情報を例として使用して、図8Bの第1の行のグリッドは、10MHzのシステム帯域幅の15kHzのサブキャリア間隔(すなわち、上述の第1のサブキャリア間隔)のシステム共通PRBグリッドを表し、図8Bの第2から第4の行のグリッドは、3つの異なる同期信号ブロックPRBグリッドを表す。第1の所定の位置および任意のPRBについての仮定は、図8Aの仮定と同様である。図8Bにおいて、第2の行の同期信号ブロックPRBグリッドについて、位置情報は、同期信号ブロックPRBグリッド内の中心周波数と第1のサブキャリア間隔のシステム共通PRBグリッド内の任意のPRBの左の境界には0個のサブキャリア間隔のオフセットがあることを示すために使用され、第3の行の同期信号ブロックPRBグリッドについて、位置情報は、同期信号ブロックPRBグリッド内の中心周波数と第1のサブキャリア間隔のシステム共通PRBグリッド内の任意のPRBの左の境界には8個のサブキャリア間隔のオフセットがあることを示すために使用され、第4の行の同期信号ブロックPRBグリッドについて、位置情報は、同期信号ブロックPRBグリッド内の中心周波数と第1のサブキャリア間隔のシステム共通PRBグリッド内の任意のPRBの左の境界には4個のサブキャリア間隔のオフセットがあることを示すために使用されることが、計算によって知られ得る。
【０１０３】
第3の位置情報表現方法において、同期信号ブロックPRBグリッド内の第1の所定の位置と第1のサブキャリア間隔のシステム共通PRBグリッド内の任意のPRBとの間の相対的な位置関係は、PRBの数およびサブキャリア間隔の数を使用することによって表される。第1の例において、位置情報は、第1の所定の位置と任意のPRBの第2の所定の位置に、M個のサブキャリア間隔にN個のPRBを足したオフセットがあることを示すために使用され、MとNとの両方は、0以上である。あるいは、第2の例において、位置情報は、第1の所定の位置と第2の所定の位置に、M個の第3のサブキャリア間隔にNx12個の第4のサブキャリア間隔を足したオフセットがあることを示すために使用され、Mは、第3のサブキャリア間隔の数であり、Nx12は、第4のサブキャリア間隔の数であり、第3のサブキャリア間隔は、M個のサブキャリア間隔に対応するサブキャリア間隔であり、第4のサブキャリア間隔は、N個のPRBに対応するサブキャリア間隔である。あるいは、第3の例において、位置情報は、第1の所定の位置と第2の所定の位置にM+Nx12xA個の第3のサブキャリア間隔のオフセットがあることを示すために使用され、第3のサブキャリア間隔は、M個のサブキャリア間隔に対応するサブキャリア間隔であり、Aは、1、2、4、8、または16である。
【０１０４】
第3の位置情報表現方法において、M、N、PRB、およびサブキャリア間隔についての関連する説明および記述に関しては、上述の第1の位置情報表現方法および上述の第2の位置情報表現方法を参照されたい。詳細は、本明細書において再度説明されない。
【０１０５】
以下において、例を使用することによって第3の方法の位置情報を説明する。
【０１０６】
例の説明:図6に示される位置情報を例として使用して、図6の上のグリッドは、5MHzのシステム帯域幅の15kHzのサブキャリア間隔(すなわち、上述の第1のサブキャリア間隔)のシステム共通PRBグリッドを表し、図6の下のグリッドは、同期信号ブロックPRBグリッドを表す。図6において、同期信号ブロックPRBグリッド内の第1の所定の位置は、同期信号ブロックPRBグリッド内の中心周波数、すなわち、同期信号ブロックPRBグリッド内の1を付番された第2のPRBと2を付番された第2のPRBとの間の矢印付きの破線がある周波数である。位置情報のシステム共通PRBグリッド内の任意のPRBは、システム共通PRBグリッド内の2を付番された第2のPRB以外の任意のPRBであると仮定される。たとえば、システム共通PRBグリッド内の任意のPRBは、3を付番された第2のPRBである。この場合、位置情報は、同期信号ブロックPRBグリッド内の中心周波数と第1のサブキャリア間隔のシステム共通PRBグリッド内の任意のPRBの左の境界には6個のサブキャリア間隔に1個のPRBを足したオフセットがあることを示すために使用される。
【０１０７】
図26を参照すると、上の第1の方法の位置情報または第2の方法の位置情報が、図26に示される実施形態に適用され得る。図26において、第1の行のグリッドは、60kHzのサブキャリア間隔のシステム共通PRBグリッドであり、第2の行のグリッドは、30kHzのサブキャリア間隔のシステム共通PRBグリッドであり、第3の行のグリッドは、15kHzのサブキャリア間隔のシステム共通PRBグリッドであり、第4の行のグリッドは、15kHzのサブキャリア間隔の同期信号ブロックPRBグリッドである。図26の垂直の線Bは、同期信号ブロックPRBグリッド内の第1の所定の位置であり、第1の所定の位置は、同期信号ブロックPRBグリッド内の中心周波数である。
【０１０８】
たとえば、60kHzのサブキャリア間隔のシステム共通PRBグリッドにおいて、同期信号ブロックPRBグリッド内の第1の所定の位置(すなわち、垂直の線B)に対応する60kHzのサブキャリア間隔のシステム共通PRBグリッド内のPRBは、指定PRB、すなわち、図26の60kHzのサブキャリア間隔のシステム共通PRBグリッド内の6を付番されたPRBである。指定PRBの左の境界の位置は、第2の所定の位置、すなわち、図26の垂直の線Aの位置である。この場合、第1の所定の位置(すなわち、垂直の線B)と第2の所定の位置(すなわち、垂直の線A)には、2個のPRBまたは24個のサブキャリア間隔のオフセットがある。たとえば、位置情報は、同期信号ブロックPRBグリッド内の中心周波数と60kHzのサブキャリア間隔のPRBグリッドの境界の位置に2個のPRBまたは24個のサブキャリア間隔のオフセットがあることを示すために使用される。オフセットのサブキャリア間隔は、同期信号ブロックのサブキャリア間隔である。
【０１０９】
たとえば、30kHzのサブキャリア間隔のシステム共通PRBグリッドにおいて、同期信号ブロックPRBグリッド内の第1の所定の位置に対応する30kHzのサブキャリア間隔のシステム共通PRBグリッド内のPRBは、指定PRB、すなわち、図26の30kHzのサブキャリア間隔のシステム共通PRBグリッド内の3を付番されたPRBである。指定PRBの左の境界の位置は、第2の予め設定された位置である。この場合、第1の所定の位置と第2の所定の位置に0個のサブキャリア間隔のオフセットがある。たとえば、位置情報は、同期信号ブロックPRBグリッド内の中心周波数と30kHzのサブキャリア間隔のPRBグリッドの境界の位置に0個のサブキャリア間隔のオフセットがあることを示すために使用され、オフセットのサブキャリア間隔は、同期信号ブロックのサブキャリア間隔である。
【０１１０】
たとえば、15kHzのサブキャリア間隔のシステム共通PRBグリッドにおいて、同期信号ブロックPRBグリッド内の第1の所定の位置に対応する15kHzのサブキャリア間隔のシステム共通PRBグリッド内のPRBは、指定PRB、すなわち、図26の15kHzのサブキャリア間隔のシステム共通PRBグリッド内の6を付番されたPRBである。指定PRBの左の境界の位置は、第2の予め設定された位置である。この場合、第1の所定の位置と第2の所定の位置に0個のサブキャリア間隔のオフセットがある。実装において、位置情報は、同期信号ブロックPRBグリッド内の中心周波数と15kHzのサブキャリア間隔のPRBグリッドの境界の位置に0個のサブキャリア間隔のオフセットがあることを示すために使用され、オフセットのサブキャリア間隔は、同期信号ブロックのサブキャリア間隔である。
【０１１１】
図27を参照すると、上の第1の方法の位置情報または第2の方法の位置情報が、図27に示される実施形態に適用され得る。図27において、第1の行のグリッドは、60kHzのサブキャリア間隔のシステム共通PRBグリッドであり、第2の行のグリッドは、30kHzのサブキャリア間隔のシステム共通PRBグリッドであり、第3の行のグリッドは、15kHzのサブキャリア間隔のシステム共通PRBグリッドであり、第4の行のグリッドは、15kHzのサブキャリア間隔の同期信号ブロックPRBグリッドである。図27の垂直の線Bは、同期信号ブロックPRBグリッド内の第1の所定の位置であり、第1の所定の位置は、同期信号ブロックPRBグリッド内の中心周波数である。
【０１１２】
たとえば、60kHzのサブキャリア間隔のシステム共通PRBグリッドにおいて、同期信号ブロックPRBグリッド内の第1の所定の位置に対応する60kHzのサブキャリア間隔のシステム共通PRBグリッド内のPRBは、指定PRB、すなわち、図27の60kHzのサブキャリア間隔のシステム共通PRBグリッド内の5を付番されたPRBである。指定PRBの左の境界の位置は、第2の予め設定された位置、すなわち、図27の60kHzのサブキャリア間隔のシステム共通PRBグリッド内の垂直の線Aの位置である。この場合、第1の所定の位置と第2の所定の位置に3個のPRBまたは36個のサブキャリア間隔のオフセットがある。たとえば、位置情報は、同期信号ブロックPRBグリッド内の中心周波数と60kHzのサブキャリア間隔のPRBグリッドの境界の位置に3個のPRBまたは36個のサブキャリア間隔のオフセットがあることを示すために使用され、オフセットのサブキャリア間隔は、同期信号ブロックのサブキャリア間隔である。
【０１１３】
たとえば、30kHzのサブキャリア間隔のシステム共通PRBグリッドにおいて、同期信号ブロックPRBグリッド内の第1の所定の位置に対応する30kHzのサブキャリア間隔のシステム共通PRBグリッド内のPRBは、指定PRB、すなわち、図27の30kHzのサブキャリア間隔のシステム共通PRBグリッド内の2を付番されたPRBである。指定PRBの左の境界の位置は、第2の予め設定された位置である。この場合、第1の所定の位置と第2の所定の位置に12個のサブキャリア間隔または1個のPRBのオフセットがある。たとえば、位置情報は、同期信号ブロックPRBグリッド内の中心周波数と30kHzのサブキャリア間隔のPRBグリッドの境界の位置に12個のサブキャリア間隔または1個のPRBのオフセットがあることを示すために使用され、オフセットのサブキャリア間隔は、同期信号ブロックのサブキャリア間隔である。
【０１１４】
たとえば、15kHzのサブキャリア間隔のシステム共通PRBグリッドにおいて、同期信号ブロックPRBグリッド内の第1の所定の位置に対応する15kHzのサブキャリア間隔のシステム共通PRBグリッド内のPRBは、指定PRB、すなわち、図27の15kHzのサブキャリア間隔のシステム共通PRBグリッド内の6を付番されたPRBである。指定PRBの左の境界の位置は、第2の予め設定された位置である。この場合、第1の所定の位置と第2の所定の位置に0個のサブキャリア間隔のオフセットがある。たとえば、位置情報は、同期信号ブロックPRBグリッド内の中心周波数と15kHzのサブキャリア間隔のPRBグリッドの境界の位置に0個のサブキャリア間隔のオフセットがあることを示すために使用され、オフセットのサブキャリア間隔は、同期信号ブロックのサブキャリア間隔である。
【０１１５】
図28を参照すると、上の第1の方法の位置情報または第2の方法の位置情報が、図28に示される実施形態に適用され得る。図28において、第1の行のグリッドは、60kHzのサブキャリア間隔のシステム共通PRBグリッドであり、第2の行のグリッドは、30kHzのサブキャリア間隔のシステム共通PRBグリッドであり、第3の行のグリッドは、15kHzのサブキャリア間隔のシステム共通PRBグリッドであり、第4の行のグリッドは、15kHzのサブキャリア間隔の同期ブロックPRBグリッドである。図28の左から3番目の垂直の線は、同期ブロックPRBグリッド内の第1の所定の位置であり、第1の所定の位置は、同期ブロックPRBグリッド内の中心周波数である。
【０１１６】
たとえば、60kHzのサブキャリア間隔のシステム共通PRBグリッドにおいて、同期ブロックPRBグリッド内の第1の所定の位置に対応する60kHzのサブキャリア間隔のシステム共通PRBグリッド内のPRBは、指定PRB、すなわち、図28の60kHzのサブキャリア間隔のシステム共通PRBグリッド内の5を付番されたPRBである。指定PRBの左の境界の位置は、第2の予め設定された位置、すなわち、図27の60kHzのサブキャリア間隔のシステム共通PRBグリッド内の左から1番目の垂直の線の位置である。この場合、第1の所定の位置と第2の所定の位置に3.5個のPRBまたは42個のサブキャリア間隔のオフセットがある。実装において、位置情報は、同期信号ブロックPRBグリッド内の中心周波数と60kHzのサブキャリア間隔のPRBグリッドの境界の位置に3.5個のPRBまたは42個のサブキャリア間隔のオフセットがあることを示すために使用され、オフセットのサブキャリア間隔は、同期信号ブロックのサブキャリア間隔である。
【０１１７】
たとえば、30kHzのサブキャリア間隔のシステム共通PRBグリッドにおいて、同期ブロックPRBグリッド内の第1の所定の位置に対応する30kHzのサブキャリア間隔のシステム共通PRBグリッド内のPRBは、指定PRB、すなわち、図28の30kHzのサブキャリア間隔のシステム共通PRBグリッド内の2を付番されたPRBである。指定PRBの左の境界の位置は、第2の予め設定された位置である。この場合、第1の所定の位置と第2の所定の位置に18個のサブキャリア間隔または1.5個のPRBのオフセットがある。実装において、位置情報には、同期信号ブロックPRBグリッド内の中心周波数と30kHzのサブキャリア間隔のPRBグリッドの境界の位置に18個のサブキャリア間隔または1.5個のPRBのオフセットを有することを示すために使用され、オフセットのサブキャリア間隔は、同期信号ブロックのサブキャリア間隔である。
【０１１８】
たとえば、15kHzのサブキャリア間隔のシステム共通PRBグリッドにおいて、同期ブロックPRBグリッド内の第1の所定の位置に対応する15kHzのサブキャリア間隔のシステム共通PRBグリッド内のPRBは、指定PRB、すなわち、図28の15kHzのサブキャリア間隔のシステム共通PRBグリッド内の6を付番されたPRBである。指定PRBの左の境界の位置は、第2の予め設定された位置である。この場合、第1の所定の位置と第2の所定の位置に6個のサブキャリア間隔または0.5個のPRBのオフセットがある。実装において、位置情報は、同期信号ブロックPRBグリッド内の中心周波数と15kHzのサブキャリア間隔のPRBグリッドの境界の位置に6個のサブキャリア間隔または0.5個のPRBのオフセットがあることを示すために使用され、オフセットのサブキャリア間隔は、同期信号ブロックのサブキャリア間隔である。
【０１１９】
この実施形態において、端末デバイスは、ステップ501においてネットワークデバイスによって送信された位置情報を受信した後にステップ502を実行する。
【０１２０】
ステップ502:端末デバイスが、同期信号ブロックPRBグリッド内の第1の所定の位置および位置情報に基づいて第1のサブキャリア間隔のシステム共通PRBグリッド内の任意のPRBの第2の所定の位置を決定し、第2の所定の位置は、システム共通PRBグリッドに含まれるPRBの位置を決定するために使用される。
【０１２１】
ステップ502において、システム共通PRBグリッド内の任意のPRBの第2の所定の位置は、予め設定されたシステム共通PRBグリッド内の位置であり、システム共通PRBグリッド内の第2の所定の位置は、システム共通PRBグリッド内の任意の位置として設定されえ、この実施形態において限定されない。たとえば、システム共通PRBグリッド内の任意のPRBの第2の所定の位置は、任意のPRBの境界の位置または中心の位置でありうる。さらに、境界の位置は、左または右の境界でありうる。実装方法において、中心の位置は、PRBの第7のサブキャリアである。
【０１２２】
ステップ502において、位置情報は、同期信号ブロックPRBグリッド内の中心周波数と第1のサブキャリア間隔のシステム共通PRBグリッド内の任意のPRBの左の境界にはN個のPRBのオフセットがあることを示すために使用され、Nは、0以上であると仮定される。たとえば、Nは、0または0.5を含むがこれらに限定されない。たとえば、位置情報は、Nが0または0.5であることを示す。中心周波数が知られているので、中心周波数からN個のPRBのオフセットをされた周波数がシステム共通PRBグリッド内の任意のPRBの左の境界に対応する周波数であることは、位置情報に基づいて知られ得る。したがって、システム共通PRBグリッド内の任意のPRBの左の境界に対応する周波数が、取得され得る。システム共通PRBグリッドの第1のサブキャリア間隔が知られており、システム共通PRBグリッド内の1つのPRBに含まれるサブキャリアの数が決まっているので、システム共通PRBグリッド内の1つのPRBの幅が知られ、システム共通PRBグリッド内のPRBの幅は、第1のサブキャリア間隔とPRBに含まれるサブキャリアの決まった数との積に等しい。システム共通PRBグリッド内の任意のPRBの左の境界に対応する周波数およびシステム共通PRBグリッド内のPRBの幅が知られているとき、システム共通PRBグリッドに含まれるPRBの位置が決定されることが可能であり、PRBの位置は周波数を使用することによって表され得る。
【０１２３】
この実施形態において、端末デバイスがシステム共通PRBグリッドに含まれるPRBの位置を決定することは、複数のシナリオに適用しうる。シナリオにおいて、ネットワークデバイスがシステム共通PRBグリッド内の任意のPRBからQ個のPRB離れた位置に端末デバイスをスケジューリングすると仮定すると、端末デバイスは、第1のサブキャリア間隔のシステム共通PRBグリッド内の任意のPRBの第2の所定の位置およびPRBの幅に基づいて任意のPRBからQ個のPRB離れた位置を決定してもよく、Qは、0以上の整数であり、そして、端末デバイスは、スケジューリング位置においてネットワークデバイスからスケジューリングを受信しうる。
【０１２４】
図6に示された位置情報を例として使用して、位置情報は、同期信号ブロックPRBグリッド内の中心周波数と第1のサブキャリア間隔のシステム共通PRBグリッド内の任意のPRBの左の境界には0.5個のPRBのオフセットがあることを示すために使用され、この場合、端末デバイスは、任意のPRBの左の境界がある周波数を決定することができる。ネットワークデバイスがシステム共通PRBグリッド内の任意のPRBの左から1個のPRB離れた位置に端末デバイスをスケジューリングすると仮定すると、端末デバイスは、任意のPRBの左の境界がある周波数およびPRBの幅に基づいて、ネットワークデバイスが端末デバイスをスケジューリングするPRBに対応する周波数を決定し得る。
【０１２５】
この実施形態において、上述の方法によれば、第1のサブキャリア間隔のシステム共通PRBグリッド内の任意のPRBの第2の所定の位置が、決定されることが可能であり、その結果、システム共通PRBグリッドに含まれるPRBの位置が、決定されることが可能である。同じシステム帯域幅の異なるサブキャリア間隔に対応するPRBの幅の間に複数の関係が存在する。たとえば、同じシステム帯域幅について、30kHzのサブキャリア間隔の1つのPRBは、15kHzのサブキャリア間隔の1つのPRBの2倍の幅であり、60kHzのサブキャリア間隔の1つのPRBは、15kHzのサブキャリア間隔の1つのPRBの4倍の幅である。したがって、複数の関係に基づいて、第2のサブキャリア間隔のシステム共通PRBグリッドに含まれるPRBの位置が、第1のサブキャリア間隔のシステム共通PRBグリッドに含まれるPRBの位置に基づいて決定され得る。第2のサブキャリア間隔のシステム共通PRBグリッドおよび第1のサブキャリア間隔のシステム共通PRBグリッドは、同じシステム帯域幅に属するが、異なるサブキャリア間隔を有する。図9に示されるシステム共通PRBグリッドを例として使用して、同じシステム帯域幅について、図9の第1の行は、30kHzのサブキャリア間隔の第1のシステム共通PRBグリッドであり、図9の第2の行は、60kHzのサブキャリア間隔の第2のシステム共通PRBグリッドである。第2のシステム共通PRBグリッド内の矢印付きの実線が通る3を付番されたPRBの左の境界の位置が知られており、60kHzのサブキャリア間隔のPRBが30kHzのサブキャリア間隔のPRBの2倍の幅であると仮定される。したがって、第2のシステム共通PRBグリッド内のPRBの位置が、決定され得る。
【０１２６】
以上を考慮して、図5に示され、本出願のこの実施形態において提供されるPRBグリッド指示方法において、ネットワークデバイスは、端末デバイスに位置情報を送信し、位置情報は、同期信号ブロックPRBグリッド内の第1の所定の位置と第1のサブキャリア間隔のシステム共通PRBグリッド内の任意のPRBとの間の相対的な位置関係を示すために使用され、端末デバイスは、同期信号ブロックPRBグリッド内の第1の所定の位置および位置情報に基づいて第1のサブキャリア間隔のシステム共通PRBグリッド内の任意のPRBの第2の所定の位置を決定してもよく、第2の所定の位置は、システム共通PRBグリッドに含まれるPRBの位置を決定するために使用される。したがって、5Gシステム内の端末デバイスが、システム共通PRBグリッド内のPRBの位置を取得することができる。
【０１２７】
本出願の実施形態は、PRBグリッド指示方法をさらに提供し、方法は、同じシステム帯域幅の異なるサブキャリア間隔に対応するシステム共通PRBグリッドの間の関係を取得するために5Gシステム内の端末デバイスによって使用される。図10は、PRBグリッド指示方法の概略的な流れ図であり、方法は、以下のステップを含む。
【０１２８】
ステップ1000:ネットワークデバイスが、端末デバイスにスケジューリング情報を送信し、スケジューリング情報は、指定PRB上に端末デバイスをスケジューリングするためにネットワークデバイスによって使用される。
【０１２９】
ステップ1001:端末デバイスが、ネットワークデバイスによって送信されたスケジューリング情報を受信する。
【０１３０】
ステップ1001において、スケジューリング情報が、指定PRB上に端末デバイスをスケジューリングするためにネットワークデバイスによって使用され、指定PRBは、システム帯域幅におけるサブキャリア間隔のシステム共通PRBグリッド内のPRBである。この場合、指定PRBに対応するシステム帯域幅およびサブキャリア間隔が知られ、システム共通PRBグリッド内の指定PRBのシーケンス番号も知られる。
【０１３１】
ステップ1002:端末デバイスが、所定の情報に基づいて指定PRBの位置を決定する。
【０１３２】
ステップ1002において、所定の情報が、少なくとも1つのシステム帯域幅のうちのいずれか1つにおける異なるサブキャリア間隔のシステム共通PRBグリッド内のPRBの位置を示すために使用される。所定の情報は、この実施形態において定義される異なるシステム帯域幅の異なるサブキャリア間隔のシステム共通PRBグリッドに基づく。異なるシステム帯域幅の異なるサブキャリア間隔のシステム共通PRBグリッドが所定の情報を使用することによって取得され得るならば、所定の情報の示し方は、この実施形態において限定されない。たとえば、所定の情報は、以下の2つの示し方を有しうる。
【０１３３】
方法1:所定の情報が、少なくとも1つのシステム帯域幅のうちのいずれか1つにおける異なるサブキャリア間隔のシステム共通PRBグリッド内のPRBの位置を示すために使用される。
【０１３４】
この方法において、所定の情報は、異なるシステム帯域幅の異なるサブキャリア間隔のシステム共通PRBグリッド内のPRBの位置を直接示し、それぞれのシステム共通PRBグリッド内のPRBの位置が、複数の方法で示されうる。たとえば、所定の情報は、システム共通PRBグリッド内の開始PRBの左または右の境界の周波数を示す。他の例として、所定の情報は、システム共通PRBグリッド内の第NのPRBの左または右の境界の周波数を示す。Nは、正の整数であり、この実施形態において限定されない。
【０１３５】
方法2:所定の情報は、第1のシステム共通PRBグリッド内のPRBの位置、および第1のシステム共通PRBグリッドと第2のシステム共通PRBグリッドとの間の相対的な位置関係を示すために使用され、第1のシステム共通PRBグリッドと第2のシステム共通PRBグリッドとは少なくとも1つのシステム帯域幅の中の同じシステム帯域幅に属し、第1のシステム共通PRBグリッドのサブキャリア間隔と第2のシステム共通PRBグリッドのサブキャリア間隔とは異なる。
【０１３６】
この方法において、所定の情報は、異なるシステム帯域幅の異なるサブキャリア間隔のシステム共通PRBグリッド内のPRBの位置を直接示さないが、システム帯域幅におけるサブキャリア間隔の第1のシステム共通PRBグリッド内のPRBの位置を示し、第1のシステム共通PRBグリッドと第2のシステム共通PRBグリッドとの間の相対的な位置関係を示す。相対的な位置関係によって、第2のシステム共通PRBグリッド内のPRBの位置が、第1のシステム共通PRBグリッド内のPRBの位置に基づいて導出され得る。
【０１３７】
同様に、第1のシステム共通PRBグリッド内のPRBの位置が、複数の方法で示されうる。たとえば、所定の情報は、第1のシステム共通PRBグリッド内の開始PRBの左または右の境界の周波数を示す。他の例として、所定の情報は、第1のシステム共通PRBグリッド内の第NのPRBの左または右の境界の周波数を示す。Nは、正の整数であり、この実施形態において限定されない。
【０１３８】
相対的な位置関係によって、第2のシステム共通PRBグリッド内のPRBの位置が第1のシステム共通PRBグリッド内のPRBの位置に基づいて導出され得るならば、第2のシステム共通PRBグリッドと第1のシステム共通PRBグリッドとの間の相対的な位置関係は、やはり複数の実装を有しうる。これは、この実施形態において限定されない。たとえば、第2のシステム共通PRBグリッドと第1のシステム共通PRBグリッドとの間の相対的な位置関係は、第2のシステム共通PRBグリッド内の開始PRBの左の境界および第1のシステム共通PRBグリッド内の開始PRBの左の境界がいくつかのPRBまたはいくつかのサブキャリア間隔の左のオフセットがあることでありうる。他の例として、第2のシステム共通PRBグリッドと第1のシステム共通PRBグリッドとの間の相対的な位置関係は、第2のシステム共通PRBグリッド内の中心の位置のPRBの左の境界および第1のシステム共通PRBグリッド内の中心の位置のPRBの左の境界がいくつかのPRBまたはいくつかのサブキャリア間隔の左のオフセットがあることでありうる。
【０１３９】
したがって、端末デバイスは、所定の情報、すなわち、この実施形態において定義される異なるシステム帯域幅の異なるサブキャリア間隔のシステム共通PRBグリッドに基づいて指定PRBの位置を決定することができる。
【０１４０】
この実施形態において定義される異なるシステム帯域幅の異なるサブキャリア間隔のシステム共通PRBグリッドについての詳細に関しては、図11から図18に示されるシステム共通PRBグリッドの概略的な構造図を参照されたい。
【０１４１】
図11に示されるシステム共通PRBグリッドの構造が、例として使用される。図11の選択肢1は、上から下に向かって順に第1のシステム共通PRBグリッドおよび第2のシステム共通PRBグリッドであるシステム共通PRBグリッドの2つの行を含む。第1のシステム共通PRBグリッドおよび第2のシステム共通PRBグリッドについて、システム帯域幅は、両方とも5MHzであり、サブキャリア間隔は、順に30kHzおよび15kHzである。図11の選択肢1に示されるシステム共通PRBグリッドの構造に関して、この実施形態の所定の情報は、第1のシステム共通PRBグリッドおよび第2のシステム共通PRBグリッドを含んでもよく、または所定の情報は、第1のシステム共通PRBグリッドを含みうる。30kHzのサブキャリア間隔の第1のシステム共通PRBグリッド内の第1のPRBの左の境界が、15kHzのサブキャリア間隔の第2のシステム共通PRBグリッド内の第1のPRBの左の境界と位置を揃えられる。図11において、選択肢1および選択肢2は、5MHzのシステム帯域幅の異なるサブキャリア間隔のシステム共通PRBグリッドの2つの可能なグリッド構造である。
【０１４２】
図12に示されるシステム共通PRBグリッドの構造が、例として使用される。図12は、10MHzのシステム帯域幅の異なるサブキャリア間隔のシステム共通PRBグリッドの概略的な構造図であり、選択肢1および選択肢2は、60kHzのサブキャリア間隔の2つのシステム共通PRBグリッドである。選択肢1に示される60kHzのサブキャリア間隔のシステム共通PRBグリッドが、例として使用される。所定の情報は、10MHzのシステム帯域幅のそれぞれ60kHz、30kHz、および15kHzのサブキャリア間隔のシステム共通PRBグリッドを含んでもよく、または所定の情報は、10MHzのシステム帯域幅の60kHzのサブキャリア間隔のシステム共通PRBグリッドを含みうる。60kHzのサブキャリア間隔のシステム共通PRBグリッド内の(00を付番された)第1のPRBの左の境界が、30kHzのサブキャリア間隔のシステム共通PRBグリッド内の(1を付番された)第1のPRBの左の境界と位置を揃えられ、60kHzのサブキャリア間隔のシステム共通PRBグリッド内の(00を付番された)第1のPRBの左の境界が、15kHzのサブキャリア間隔のシステム共通PRBグリッド内の(4を付番された)第5のPRBの左の境界と位置を揃えられる。
【０１４３】
図13から図18は、すべて、同じシステム帯域幅の異なるサブキャリア間隔のシステム共通PRBグリッドの間の相対的な位置関係を表すことができる。図13から図18に対応するシステム帯域幅は、順に、15MHz、20MHz、25MHz、25MHz、25MHz、および25MHzである。
【０１４４】
この実施形態において定義される異なるシステム帯域幅の異なるサブキャリア間隔のシステム共通PRBグリッドは、プロトコルで指定されえ、この場合、ネットワークデバイスおよび端末デバイスは、この実施形態において定義されるシステム共通PRBグリッドを知っていたことに留意されたい。あるいは、ネットワークデバイスが、この実施形態において定義されるシステム共通PRBグリッドを知っており、ネットワークデバイスが、端末デバイスにこの実施形態において定義されるシステム共通PRBグリッドを通知する。あるいは、ネットワークデバイスが、この実施形態において定義されるシステム共通PRBグリッドを知っており、ネットワークデバイスが、定義されるシステム共通PRBグリッドに基づいて指定PRBの位置を決定し、ネットワークデバイスが、端末デバイスに指定PRBの位置を送信する。これは、この実施形態において限定されない。
【０１４５】
以上を考慮して、図10に示され、本出願のこの実施形態において提供されるPRBグリッド指示方法において、端末デバイスは、この実施形態において定義される異なるシステム帯域幅の異なるサブキャリア間隔のシステム共通PRBグリッドに基づいて任意のPRBの位置を決定し得る。この実施形態において定義される異なるシステム帯域幅の異なるサブキャリア間隔のシステム共通PRBグリッドは、ネットワークデバイスが端末デバイスをスケジューリングするシナリオに適用しうるだけでなく、他のシナリオにも適用しうることに留意されたい。これは、この実施形態において限定されない。
【０１４６】
同じ発明の概念に基づいて、本出願の実施形態は、端末デバイスをさらに提供する。端末デバイスは、図10に対応する実施形態において提供される方法で端末デバイスによって実行される方法を実施することができる。図19を参照すると、端末デバイスは、トランシーバユニット1901および処理ユニット1902を含む。
【０１４７】
トランシーバユニット1901は、ネットワークデバイスによって送信された位置情報を受信するように構成され、位置情報は、同期信号ブロックPRBグリッド内の第1の所定の位置と第1のサブキャリア間隔のシステム共通PRBグリッド内の任意のPRBとの間の相対的な位置関係を示すために使用される。
【０１４８】
処理ユニット1902は、第1の所定の位置および位置情報に基づいて任意のPRBの第2の所定の位置を決定するように構成され、第2の所定の位置は、システム共通PRBグリッドに含まれるPRBの位置を決定するために使用される。
【０１４９】
可能な実装において、ネットワークデバイスによって送信された位置情報を受信するとき、トランシーバユニット1901は、
物理ブロードキャストチャネル上で運ばれ、ネットワークデバイスによって送信されたブロードキャストメッセージを受信するように具体的に構成され、ブロードキャストメッセージは位置情報を運ぶ。
【０１５０】
可能な実装において、位置情報は、同期信号ブロックPRBグリッド内の第1の所定の位置と第1のサブキャリア間隔のシステム共通PRBグリッド内の任意のPRBとの間の相対的な位置関係を示すために使用される、ということは、具体的には、
位置情報は、第1の所定の位置と任意のPRBの第2の所定の位置にN個のPRBのオフセットがあることを示すために使用され、Nが、0以上であること、または
位置情報は、第1の所定の位置と任意のPRBの第2の所定の位置にM個のサブキャリア間隔のオフセットがあることを示すために使用され、Mが、0以上であることである。
【０１５１】
可能な実装において、第2の所定の位置は、任意のPRBの境界の位置または中心の位置である。
【０１５２】
可能な実装において、第1の所定の位置は、以下、すなわち、
同期信号ブロックPRBグリッドの中心周波数、同期信号ブロックPRBグリッドの第1のサブキャリアに対応する周波数、同期信号ブロックPRBグリッドに対応する同期信号ブロックのキャリア周波数位置、同期信号ブロックPRBグリッドの中心周波数に最も近いサブキャリアに対応する中心周波数、および同期信号ブロックPRBグリッドに対応する物理チャネルの第145のサブキャリアに対応する周波数のうちのいずれか1つである。
【０１５３】
可能な実装において、処理ユニット1902は、
第1の所定の位置および位置情報に基づいて任意のPRBの第2の所定の位置を決定した後、ネットワークデバイスが任意のPRBからQ個のPRB離れた位置に端末デバイスをスケジューリングするとき、第2の所定の位置および1つのPRBの幅に基づいて任意のPRBからQ個のPRB離れた位置を決定するようにさらに構成され、Qは、0以上の整数であり、PRBの幅は、第1のサブキャリア間隔とPRBに含まれるサブキャリアの数との積に等しい。
【０１５４】
可能な実装において、処理ユニット1902は、
第1の所定の位置および位置情報に基づいて任意のPRBの第2の所定の位置を決定した後、第1のサブキャリア間隔のシステム共通PRBグリッド内の任意のPRBの第2の所定の位置に基づいて第2のサブキャリア間隔のシステム共通PRBグリッド内のPRBの位置を決定するようにさらに構成され、第2のサブキャリア間隔と第1のサブキャリア間隔とは異なり、第1のサブキャリア間隔のシステム共通PRBグリッドと第2のサブキャリア間隔のシステム共通PRBグリッドとは同じシステム帯域幅に属する。
【０１５５】
本出願のこの実施形態におけるユニットの分割は例であり、論理的な機能の分割であるに過ぎず、実際の実装中に他の分割方法が存在しうることに留意されたい。本出願のこの実施形態の機能ユニットが、1つの処理ユニットに統合されてもよく、またはユニットの各々が、物理的に独立して存在してもよく、または2つ以上のユニットが、1つのユニットに統合される。統合されたユニットは、ハードウェアの形態で実装されえ、またはソフトウェアの機能ユニットの形態で実装されうる。
【０１５６】
統合されたユニットは、ソフトウェアの機能ユニットの形態で実装され、独立した製品として販売されるかまたは使用されるとき、コンピュータ可読記憶媒体に記憶され得る。そのような理解に基づいて、本出願の技術的な解決策は基本的にソフトウェア製品の形態で実装されえ、あるいは従来技術、または技術的な解決策のすべてもしくは一部に寄与する部分はソフトウェア製品の形態で実装されうる。ソフトウェア製品は、記憶媒体に記憶され、本出願の実施形態において説明された方法のステップのすべてまたは一部を実行するように(パーソナルコンピュータ、サーバ、もしくはネットワークデバイスなどであってもよい)コンピュータデバイスまたはプロセッサ(processor)に命じるためのいくつかの命令を含む。上述の記憶媒体は、USBフラッシュドライブ、取り外し可能なハードディスク、読み出し専用メモリ(read-only memory、ROM)、ランダムアクセスメモリ(random access memory、RAM)、磁気ディスク、または光ディスクなどのプログラムコードを記憶することができる任意の媒体を含む。
【０１５７】
同じ発明の概念に基づいて、本出願の実施形態は、端末デバイスをさらに提供する。端末デバイスは、図10に対応する実施形態において提供される方法で端末デバイスによって実行される方法を使用し、図19に示された端末デバイスと同じデバイスであってよい。図20を参照すると、端末デバイスは、プロセッサ2001、通信モジュール2002、およびメモリ2003を含む。
【０１５８】
プロセッサ2001は、以下のプロセス、すなわち、
ネットワークデバイスによって送信された位置情報を、通信モジュール2002を使用することによってプロセッサ2001により受信することであって、位置情報が、同期信号ブロックPRBグリッド内の第1の所定の位置と第1のサブキャリア間隔のシステム共通PRBグリッド内の任意のPRBとの間の相対的な位置関係を示すために使用される、受信することと、
第1の所定の位置および位置情報に基づいて任意のPRBの第2の所定の位置をプロセッサ2001によって決定することであって、第2の所定の位置が、システム共通PRBグリッドに含まれるPRBの位置を決定するために使用される、決定することとを実行するためにメモリ2003内のプログラムを読むように構成される。
【０１５９】
通信モジュール2002は、データを送信および/または受信するための通信インターフェースを含む。
【０１６０】
可能な実装において、ネットワークデバイスによって送信された位置情報を通信モジュール2002を使用することによって受信するとき、プロセッサ2001は、
物理ブロードキャストチャネル上で運ばれ、ネットワークデバイスによって送信されたブロードキャストメッセージを、通信モジュール2002を使用することによって受信するように具体的に構成され、ブロードキャストメッセージは、位置情報を運ぶ。
【０１６１】
可能な実装において、位置情報は、同期信号ブロックPRBグリッド内の第1の所定の位置と第1のサブキャリア間隔のシステム共通PRBグリッド内の任意のPRBとの間の相対的な位置関係を示すために使用される、ということは、具体的に、
位置情報は、第1の所定の位置と任意のPRBの第2の所定の位置にN個のPRBのオフセットがあることを示すために使用され、Nが、0以上であること、または
位置情報は、第1の所定の位置と任意のPRBの第2の所定の位置にM個のサブキャリア間隔のオフセットがあることを示すために使用され、Mが、0以上であることである。
【０１６２】
可能な実装において、第2の所定の位置は、任意のPRBの境界の位置または中心の位置である。
【０１６３】
可能な実装において、第1の所定の位置は、以下、すなわち、
同期信号ブロックPRBグリッドの中心周波数、同期信号ブロックPRBグリッドの第1のサブキャリアに対応する周波数、同期信号ブロックPRBグリッドに対応する同期信号ブロックのキャリア周波数位置、同期信号ブロックPRBグリッドの中心周波数に最も近いサブキャリアに対応する中心周波数、および同期信号ブロックPRBグリッドに対応する物理チャネルの第145のサブキャリアに対応する周波数のうちのいずれか1つである。
【０１６４】
可能な実装において、プロセッサ2001は、
第1の所定の位置および位置情報に基づいて任意のPRBの第2の所定の位置を決定した後、ネットワークデバイスが任意のPRBからQ個のPRB離れた位置に端末デバイスをスケジューリングするとき、第2の所定の位置および1つのPRBの幅に基づいて任意のPRBからQ個のPRB離れた位置を決定するようにさらに構成され、Qは、0以上の整数であり、PRBの幅は、第1のサブキャリア間隔とPRBに含まれるサブキャリアの数との積に等しい。
【０１６５】
可能な実装において、プロセッサ2001は、第1の所定の位置および位置情報に基づいて任意のPRBの第2の所定の位置を決定した後、第1のサブキャリア間隔のシステム共通PRBグリッド内の任意のPRBの第2の所定の位置に基づいて第2のサブキャリア間隔のシステム共通PRBグリッド内のPRBの位置を決定するようにさらに構成され、第2のサブキャリア間隔と第1のサブキャリア間隔とは異なり、第1のサブキャリア間隔のシステム共通PRBグリッドと第2のサブキャリア間隔のシステム共通PRBグリッドとは同じシステム帯域幅に属する。
【０１６６】
プロセッサ2001、通信モジュール2002、およびメモリ2003は、バスを使用することによって互いに接続される。バスは、周辺装置相互接続(peripheral component interconnect、PCI)バス、拡張業界標準アーキテクチャ(extended industry standard architecture、EISA)バスなどであってもよい。バスは、アドレスバス、データバス、制御バスなどとしてカテゴリー分けされ得る。
【０１６７】
図20において、バスアーキテクチャは、プロセッサ2001によって表される1つまたは複数のプロセッサおよびメモリ2003によって表されるメモリの様々な回路を使用することによって特にリンクされる任意の数の相互に接続されたバスおよびブリッジを含み得る。バスアーキテクチャは、周辺デバイス、電圧安定化装置、および電力管理回路などの様々なその他の回路をさらにリンクし得る。このすべては、当技術分野においてよく知られており、したがって、本明細書においてさらに説明されない。バスインターフェースは、インターフェースを提供する。通信モジュール2002は、複数の構成要素であってもよく、すなわち、送信器および通信モジュールを含み、送信媒体上で様々なその他の装置と通信するためのユニットを提供する。プロセッサ2001は、バスアーキテクチャの管理および通常の処理を担い、メモリ2003は、動作を実行する際にプロセッサ2001によって使用されるデータを記憶することができる。
【０１６８】
任意選択で、プロセッサ2001は、中央演算処理装置、特定用途向け集積回路(application-specific integrated circuit、ASIC)、フィールドプログラマブルゲートアレイ(field-programmable gate array、FPGA)、または複合プログラマブル論理デバイス(complex programmable logic device、CPLD)であってもよい。
【０１６９】
同じ発明の概念に基づいて、本出願の実施形態は、ネットワークデバイスをさらに提供する。ネットワークデバイスは、図10に対応する実施形態において提供される方法でネットワークデバイスによって実行される方法を実施することができる。図21を参照すると、ネットワークデバイスは、処理ユニット2101およびトランシーバユニット2102を含む。
【０１７０】
処理ユニット2101は、トランシーバユニット2102を使用することによって端末デバイスに位置情報を送信するように構成され、位置情報は、同期信号ブロックPRBグリッド内の第1の所定の位置と第1のサブキャリア間隔のシステム共通PRBグリッド内の任意のPRBとの間の相対的な位置関係を示すために使用され、第1の所定の位置および位置情報は、任意のPRBの第2の所定の位置を決定するために端末デバイスによって使用され、第2の所定の位置は、システム共通PRBグリッドに含まれるPRBの位置を決定するために使用される。
【０１７１】
可能な実装において、トランシーバユニット2102を使用することによって端末デバイスに位置情報を送信するとき、処理ユニット2101は、
物理ブロードキャストチャネル上で端末デバイスに運ばれるブロードキャストメッセージをトランシーバユニット2102を使用することによって送信するように具体的に構成され、ブロードキャストメッセージは、位置情報を運ぶ。
【０１７２】
可能な実装において、位置情報は、同期信号ブロックPRBグリッド内の第1の所定の位置と第1のサブキャリア間隔のシステム共通PRBグリッド内の任意のPRBとの間の相対的な位置関係を示すために使用される、ということは、具体的には、
位置情報は、第1の所定の位置と任意のPRBの第2の所定の位置にN個のPRBのオフセットがあることを示すために使用され、Nが、0以上であること、または
位置情報は、第1の所定の位置と任意のPRBの第2の所定の位置にM個のサブキャリア間隔のオフセットがあることを示すために使用され、Mが、0以上であることである。
【０１７３】
可能な実装において、第2の所定の位置は、任意のPRBの境界の位置または中心の位置である。
【０１７４】
可能な実装において、第1の所定の位置は、以下、すなわち、
同期信号ブロックPRBグリッドの中心周波数、同期信号ブロックPRBグリッドの第1のサブキャリアに対応する周波数、同期信号ブロックPRBグリッドに対応する同期信号ブロックのキャリア周波数位置、同期信号ブロックPRBグリッドの中心周波数に最も近いサブキャリアに対応する中心周波数、および同期信号ブロックPRBグリッドに対応する物理チャネルの第145のサブキャリアに対応する周波数のうちのいずれか1つである。
【０１７５】
本出願のこの実施形態におけるユニットの分割は例であり、論理的な機能の分割であるに過ぎず、実際の実装中に他の分割方法が存在しうることに留意されたい。本出願のこの実施形態の機能ユニットが、1つの処理ユニットに統合されてもよく、またはユニットの各々が、物理的に独立して存在してもよく、または2つ以上のユニットが、1つのユニットに統合される。統合されたユニットは、ハードウェアの形態で実装されえ、またはソフトウェアの機能ユニットの形態で実装されうる。
【０１７６】
統合されたユニットは、ソフトウェアの機能ユニットの形態で実装され、独立した製品として販売されるかまたは使用されるとき、コンピュータ可読記憶媒体に記憶され得る。そのような理解に基づいて、本出願の技術的な解決策は基本的にソフトウェア製品の形態で実装されえ、あるいは従来技術、または技術的な解決策のすべてもしくは一部に寄与する部分はソフトウェア製品の形態で実装されうる。ソフトウェア製品は、記憶媒体に記憶され、本出願の実施形態において説明された方法のステップのすべてまたは一部を実行するように(パーソナルコンピュータ、サーバ、ネットワークデバイスなどであってもよい)コンピュータデバイスまたはプロセッサに命じるためのいくつかの命令を含む。上述の記憶媒体は、USBフラッシュドライブ、取り外し可能なハードディスク、ROM、RAM、磁気ディスク、または光ディスクなどのプログラムコードを記憶することができる任意の媒体を含む。
【０１７７】
同じ発明の概念に基づいて、本出願の実施形態は、ネットワークデバイスをさらに提供する。ネットワークデバイスは、図10に対応する実施形態において提供される方法でネットワークデバイスによって実行される方法を使用し、図21に示されたネットワークデバイスと同じデバイスであってよい。図22を参照すると、ネットワークデバイスは、プロセッサ2201、通信モジュール2202、およびメモリ2203を含む。
【０１７８】
プロセッサ2201は、以下のプロセス、すなわち、
通信モジュール2202を使用することによってプロセッサ2201により端末デバイスに位置情報を送信することを実行するためにメモリ2203内のプログラムを読むように構成され、位置情報は、同期信号ブロックPRBグリッド内の第1の所定の位置と第1のサブキャリア間隔のシステム共通PRBグリッド内の任意のPRBとの間の相対的な位置関係を示すために使用され、第1の所定の位置および位置情報は、任意のPRBの第2の所定の位置を決定するために端末デバイスによって使用され、第2の所定の位置は、システム共通PRBグリッドに含まれるPRBの位置を決定するために使用される。
【０１７９】
通信モジュール2202は、データを送信および/または受信するための通信インターフェースを含む。
【０１８０】
可能な実装において、通信モジュール2202を使用することによって端末デバイスに位置情報を送信するとき、プロセッサ2201は、
物理ブロードキャストチャネル上で端末デバイスに運ばれるブロードキャストメッセージを通信モジュール2202を使用することによって送信するように具体的に構成され、ブロードキャストメッセージは、位置情報を運ぶ。
【０１８１】
可能な実装において、位置情報は、同期信号ブロックPRBグリッド内の第1の所定の位置と第1のサブキャリア間隔のシステム共通PRBグリッド内の任意のPRBとの間の相対的な位置関係を示すために使用される、ということは、具体的には、
位置情報は、第1の所定の位置と任意のPRBの第2の所定の位置にN個のPRBのオフセットがあることを示すために使用され、Nが、0以上であること、または
位置情報は、第1の所定の位置と任意のPRBの第2の所定の位置にM個のサブキャリア間隔のオフセットがあることを示すために使用され、Mが、0以上であることである。
【０１８２】
可能な実装において、第2の所定の位置は、任意のPRBの境界の位置または中心の位置である。
【０１８３】
可能な実装において、第1の所定の位置は、以下、すなわち、
同期信号ブロックPRBグリッドの中心周波数、同期信号ブロックPRBグリッドの第1のサブキャリアに対応する周波数、同期信号ブロックPRBグリッドに対応する同期信号ブロックのキャリア周波数位置、同期信号ブロックPRBグリッドの中心周波数に最も近いサブキャリアに対応する中心周波数、および同期信号ブロックPRBグリッドに対応する物理チャネルの第145のサブキャリアに対応する周波数のうちのいずれか1つである。
【０１８４】
プロセッサ2201、通信モジュール2202、およびメモリ2203は、バスを使用することによって互いに接続される。バスは、PCIバス、EISAバスなどであってもよい。バスは、アドレスバス、データバス、制御バスなどとしてカテゴリー分けされ得る。
【０１８５】
図22において、バスアーキテクチャは、プロセッサ2201によって表される1つまたは複数のプロセッサおよびメモリ2203によって表されるメモリの様々な回路を使用することによって特にリンクされる任意の数の相互に接続されたバスおよびブリッジを含み得る。バスアーキテクチャは、周辺デバイス、電圧安定化装置、および電力管理回路などの様々なその他の回路をさらにリンクし得る。このすべては、当技術分野においてよく知られており、したがって、本明細書においてさらに説明されない。バスインターフェースは、インターフェースを提供する。通信モジュール2202は、複数の構成要素であってもよく、すなわち、送信器および通信モジュールを含み、送信媒体上で様々なその他の装置と通信するためのユニットを提供する。プロセッサ2201は、バスアーキテクチャの管理および通常の処理を担い、メモリ2203は、動作を実行する際にプロセッサ2201によって使用されるデータを記憶することができる。
【０１８６】
任意選択で、プロセッサ2201は、中央演算処理装置、ASIC、FPGA、またはCPLDであってもよい。
【０１８７】
同じ発明の概念に基づいて、本出願の実施形態は、端末デバイスをさらに提供する。端末デバイスは、図10に対応する実施形態において提供される方法で端末デバイスによって実行される方法を実施することができる。図23を参照すると、端末デバイスは、トランシーバユニット2301および処理ユニット2302を含む。
【０１８８】
トランシーバユニット2301は、ネットワークデバイスによって送信されたスケジューリング情報を受信するように構成され、スケジューリング情報は、指定PRB上に端末デバイスをスケジューリングするためにネットワークデバイスによって使用され、指定PRBは、システム帯域幅におけるサブキャリア間隔のシステム共通PRBグリッド内のPRBである。
【０１８９】
処理ユニット2302は、所定の情報に基づいて指定PRBの位置を決定するように構成され、所定の情報は、少なくとも1つのシステム帯域幅のうちの1つの異なるサブキャリア間隔のシステム共通PRBグリッドを示すために使用される。
【０１９０】
可能な実装において、所定の情報は、少なくとも1つのシステム帯域幅の中の任意のシステム帯域幅の異なるサブキャリア間隔のシステム共通PRBグリッドを示すために使用される、ということは、具体的には、
所定の情報は、少なくとも1つのシステム帯域幅のうちのいずれか1つにおける異なるサブキャリア間隔のシステム共通PRBグリッド内のPRBの位置を示すために使用されること、または
所定の情報は、第1のシステム共通PRBグリッド内のPRBの位置、および第1のシステム共通PRBグリッドと第2のシステム共通PRBグリッドとの間の相対的な位置関係を示すために使用され、第1のシステム共通PRBグリッドと第2のシステム共通PRBグリッドとは少なくとも1つのシステム帯域幅の中の同じシステム帯域幅に属し、第1のシステム共通PRBグリッドのサブキャリア間隔と第2のシステム共通PRBグリッドのサブキャリア間隔とは異なることである。
【０１９１】
本出願のこの実施形態におけるユニットの分割は例であり、論理的な機能の分割であるに過ぎず、実際の実装中に他の分割方法が存在しうることに留意されたい。本出願のこの実施形態の機能ユニットが、1つの処理ユニットに統合されてもよく、またはユニットの各々が、物理的に独立して存在してもよく、または2つ以上のユニットが、1つのユニットに統合される。統合されたユニットは、ハードウェアの形態で実装されえ、またはソフトウェアの機能ユニットの形態で実装されうる。
【０１９２】
統合されたユニットは、ソフトウェアの機能ユニットの形態で実装され、独立した製品として販売されるかまたは使用されるとき、コンピュータ可読記憶媒体に記憶され得る。そのような理解に基づいて、本出願の技術的な解決策は基本的にソフトウェア製品の形態で実装されえ、あるいは従来技術、または技術的な解決策のすべてもしくは一部に寄与する部分はソフトウェア製品の形態で実装されうる。ソフトウェア製品は、記憶媒体に記憶され、本出願の実施形態において説明された方法のステップのすべてまたは一部を実行するように(パーソナルコンピュータ、サーバ、ネットワークデバイスなどであってもよい)コンピュータデバイスまたはプロセッサに命じるためのいくつかの命令を含む。上述の記憶媒体は、USBフラッシュドライブ、取り外し可能なハードディスク、ROM、RAM、磁気ディスク、または光ディスクなどのプログラムコードを記憶することができる任意の媒体を含む。
【０１９３】
同じ発明の概念に基づいて、本出願の実施形態は、端末デバイスをさらに提供する。端末デバイスは、図10に対応する実施形態において提供される方法で端末デバイスによって実行される方法を使用し、図24に示された端末デバイスと同じデバイスであってよい。図24を参照すると、端末デバイスは、プロセッサ2401、通信モジュール2402、およびメモリ2403を含む。
【０１９４】
プロセッサ2401は、以下のプロセス、すなわち、
ネットワークデバイスによって送信されたスケジューリング情報を通信モジュール2402を使用することによってプロセッサ2401により受信することであって、スケジューリング情報が、指定PRB上に端末デバイスをスケジューリングするためにネットワークデバイスによって使用され、指定PRBが、システム帯域幅におけるサブキャリア間隔のシステム共通PRBグリッド内のPRBである、受信することと、
所定の情報に基づいて指定PRBの位置をプロセッサ2401によって決定することであって、所定の情報は、少なくとも1つのシステム帯域幅のうちのいずれか1つにおける異なるサブキャリア間隔のシステム共通PRBグリッドを示すために使用される、決定することとを実行するためにメモリ2403内のプログラムを読むように構成される。
【０１９５】
可能な実装において、所定の情報は、少なくとも1つのシステム帯域幅のうちのいずれか1つにおける異なるサブキャリア間隔のシステム共通PRBグリッドを示すために使用される、ということは、具体的には、
所定の情報は、少なくとも1つのシステム帯域幅のうちのいずれか1つにおける異なるサブキャリア間隔のシステム共通PRBグリッド内のPRBの位置を示すために使用されること、または
所定の情報は、第1のシステム共通PRBグリッド内のPRBの位置、および第1のシステム共通PRBグリッドと第2のシステム共通PRBグリッドとの間の相対的な位置関係を示すために使用され、第1のシステム共通PRBグリッドと第2のシステム共通PRBグリッドとは少なくとも1つのシステム帯域幅の中の同じシステム帯域幅に属し、第1のシステム共通PRBグリッドのサブキャリア間隔と第2のシステム共通PRBグリッドのサブキャリア間隔とは異なることである。
【０１９６】
プロセッサ2401、通信モジュール2402、およびメモリ2403は、バスを使用することによって互いに接続される。バスは、PCIバス、EISAバスなどであってもよい。バスは、アドレスバス、データバス、制御バスなどとしてカテゴリー分けされ得る。
【０１９７】
図24において、バスアーキテクチャは、プロセッサ2401によって表される1つまたは複数のプロセッサおよびメモリ2403によって表されるメモリの様々な回路を使用することによって特にリンクされる任意の数の相互に接続されたバスおよびブリッジを含み得る。バスアーキテクチャは、周辺デバイス、電圧安定化装置、および電力管理回路などの様々なその他の回路をさらにリンクし得る。このすべては、当技術分野においてよく知られており、したがって、本明細書においてさらに説明されない。バスインターフェースは、インターフェースを提供する。通信モジュール2402は、複数の構成要素であってもよく、すなわち、送信器および通信モジュールを含み、送信媒体上で様々なその他の装置と通信するためのユニットを提供する。プロセッサ2401は、バスアーキテクチャの管理および通常の処理を担い、メモリ2403は、動作を実行する際にプロセッサ2401によって使用されるデータを記憶することができる。
【０１９８】
任意選択で、プロセッサ2401は、中央演算処理装置、ASIC、FPGA、またはCPLDであってもよい。
【０１９９】
本出願の実施形態は、PRBグリッド指示装置をさらに提供し、装置は、チップを含む。チップは、上述のPRBグリッド指示方法において端末デバイスによって実行される方法を実行するように構成され、チップは、上述のPRBグリッド指示方法において端末デバイスによってデータを送信および/または受信するための方法をトランシーバ(または通信モジュール)を使用することによって実行する。あるいは、チップは、上述のPRBグリッド指示方法においてネットワークデバイスによって実行される方法を実行するように構成され、チップは、上述のPRBグリッド指示方法においてネットワークデバイスによってデータを送信および/または受信するための方法をトランシーバ(または通信モジュール)を使用することによって実行する。
【０２００】
本出願の実施形態は、命令を含むコンピュータプログラム製品を提供する。コンピュータ上で実行されるとき、コンピュータプログラム製品は、コンピュータが上述の実施形態の端末デバイスによって実行されるPRBグリッド指示方法を実行することを可能にするか、またはコンピュータが上述の実施形態のネットワークデバイスによって実行されるPRBグリッド指示方法を実行することを可能にする。
【０２０１】
同じ発明の概念に基づいて、本出願の実施形態は、通信システムをさらに提供する。図25に示されるように、通信システムは、端末デバイス2501およびネットワークデバイス2502を含む。端末デバイス2501は、図10に対応する実施形態において提供される方法で端末デバイスによって実行される方法を実行するように構成され、端末デバイス2501は、図19もしくは図20に示された端末デバイスと同じデバイスであってよく、または図23もしくは図24に示された端末デバイスと同じデバイスであってよい。ネットワークデバイス2502は、図10に対応する実施形態において提供される方法でネットワークデバイスによって実行される方法を実行するように構成され、ネットワークデバイス2502は、図21または図22に示されたネットワークデバイスと同じデバイスであってよい。本出願の実施形態において提供されるPRBグリッド指示方法は、通信システムを使用することによって実施され得る。
【０２０２】
本出願の実施形態は、同期信号(synchronized signal、SS)ブロックの構造をさらに提供し、同期信号ブロックの構造は、上述の方法および装置の実施形態の任意の実施形態または実装に適用され得る。同期信号(synchronized signal、SS)ブロックの構造は、複数の実装を有しうる。
【０２０３】
可能な実装において、同期信号ブロックは、プライマリ同期信号(primary synchronized signal、PSS)、セカンダリ同期信号(secondary synchronized signal、SSS)、および物理ブロードキャストチャネルを含む。プライマリ同期信号内で同期シーケンス変調信号を運ぶサブキャリアの数と物理ブロードキャストチャネル内で物理ブロードキャストチャネル変調信号を運ぶサブキャリアの数とは異なり、セカンダリ同期信号内で同期シーケンス変調信号を運ぶサブキャリアの数と物理ブロードキャストチャネル内で物理ブロードキャストチャネル変調信号を運ぶサブキャリアの数とは異なる。周波数領域において、プライマリ同期信号内で同期シーケンス変調信号を運ぶ第1のサブキャリアおよびセカンダリ同期信号内で同期シーケンス変調信号を運ぶ第1のサブキャリアのうちの少なくとも一方は、物理ブロードキャストチャネル内で物理ブロードキャストチャネル変調信号を運ぶ第1のサブキャリアと同じ周波数を有するか、または位置を揃えられる。任意選択で、同期信号ブロックの物理リソースブロック(physical resource block、PRB)グリッドは、24個のPRBを含み、24個のPRBは、時間領域において複数のOFDMシンボルを占有する。プライマリ同期信号およびセカンダリ同期信号内で同期シーケンス変調信号を運ぶサブキャリアの数は、それぞれ144である。物理ブロードキャストチャネル内で物理ブロードキャストチャネル変調信号を運ぶサブキャリアの数は、288である。
【０２０４】
図29に示される同期信号ブロックの構造が、例として使用される。図29は、PRBグリッドの4つの行を含む。図29に示される同期信号ブロックの構造に関して、この実施形態において、プライマリ同期信号およびセカンダリ同期信号は、それぞれ、周波数領域において12個の連続したPRBを含み、物理ブロードキャストチャネルは、周波数領域において24個の連続したPRBを含む。プライマリ同期信号の第1のPRBの左の境界およびセカンダリ同期信号の第1のPRBの左の境界は、それぞれ、周波数領域において物理ブロードキャストチャネルの第1のPRBの左の境界と位置を揃えられる。言い換えると、プライマリ同期信号の第1のサブキャリアおよびセカンダリ同期信号の第1のサブキャリアは、それぞれ、物理ブロードキャストチャネルの第1のサブキャリアと同じ周波数を有する。
【０２０５】
他の可能な実装において、同期信号ブロックは、プライマリ同期信号(primary synchronized signal、PSS)、セカンダリ同期信号(secondary synchronized signal、SSS)、および物理ブロードキャストチャネルを含む。プライマリ同期信号内で同期シーケンス変調信号を運ぶサブキャリアの数と物理ブロードキャストチャネル内で物理ブロードキャストチャネル変調信号を運ぶサブキャリアの数とは異なり、セカンダリ同期信号内で同期シーケンス変調信号を運ぶサブキャリアの数と物理ブロードキャストチャネル内で物理ブロードキャストチャネル変調信号を運ぶサブキャリアの数とは異なる。周波数領域において、プライマリ同期信号内で同期シーケンス変調信号を運ぶ最後のサブキャリアおよびセカンダリプライマリ同期信号内で同期シーケンス変調信号を運ぶ最後のサブキャリアのうちの少なくとも一方は、物理ブロードキャストチャネル内で物理ブロードキャストチャネル変調信号を運ぶ最後のサブキャリアと同じ周波数を有するか、または位置を揃えられ、あるいは周波数領域において、プライマリ同期信号内で同期シーケンス変調信号を運ぶ第1のサブキャリアおよびセカンダリ同期信号内で同期シーケンス変調信号を運ぶ第1のサブキャリアのうちの少なくとも一方は、物理ブロードキャストチャネル内で物理ブロードキャストチャネル変調信号を運ぶ第145のサブキャリアと同じ周波数を有するか、または位置を揃えられる。任意選択で、同期信号ブロックの物理リソースブロック(physical resource block、PRB)グリッドは、24個のPRBを含み、24個のPRBは、時間領域において複数のOFDMシンボルを占有する。プライマリ同期信号およびセカンダリ同期信号内で同期シーケンス変調信号を運ぶサブキャリアの数は、それぞれ144である。物理ブロードキャストチャネル内で物理ブロードキャストチャネル変調信号を運ぶサブキャリアの数は、288である。
【０２０６】
図30に示される同期信号ブロックの構造が、例として使用される。図30は、PRBグリッドの4つの行を含む。図30に示される同期信号ブロックの構造に関して、この実施形態において、プライマリ同期信号およびセカンダリ同期信号は、それぞれ、周波数領域において12個の連続したPRBを含み、物理ブロードキャストチャネルは、周波数領域において24個の連続したPRBを含む。プライマリ同期信号の第1のPRBの左の境界およびセカンダリ同期信号の第1のPRBの左の境界は、それぞれ、周波数領域において物理ブロードキャストチャネルの第13のPRBの左の境界と位置を揃えられる。言い換えると、プライマリ同期信号の第1のサブキャリアおよびセカンダリ同期信号の第1のサブキャリアは、それぞれ、物理ブロードキャストチャネルの第145のサブキャリアと同じ周波数を有する。
【０２０７】
他の可能な実装において、同期信号ブロックは、プライマリ同期信号(primary synchronized signal、PSS)、セカンダリ同期信号(secondary synchronized signal、SSS)、および物理ブロードキャストチャネルを含む。プライマリ同期信号内で同期シーケンス変調信号を運ぶサブキャリアの数と物理ブロードキャストチャネル内で物理ブロードキャストチャネル変調信号を運ぶサブキャリアの数とは異なり、セカンダリ同期信号内で同期シーケンス変調信号を運ぶサブキャリアの数と物理ブロードキャストチャネル内で物理ブロードキャストチャネル変調信号を運ぶサブキャリアの数とは異なる。周波数領域において、物理ブロードキャストチャネル変調信号を運ぶ第1のサブキャリアと、プライマリ同期信号内で同期シーケンス変調信号を運ぶ第1のサブキャリアおよびセカンダリ同期信号内で同期シーケンス変調信号を運ぶ第1のサブキャリアのうちの少なくとも一方とは、周波数の第5のオフセット値を有し、第5のオフセット値は、PRBの整数倍であり、6個のPRBでないか、または周波数領域において、物理ブロードキャストチャネル内で物理ブロードキャストチャネル変調信号を運ぶ最後のサブキャリアと、プライマリ同期信号内で同期シーケンス変調信号を運ぶ最後のサブキャリアおよびセカンダリ同期信号内で同期シーケンス変調信号を運ぶ最後のサブキャリアのうちの少なくとも一方とは、周波数の第5のオフセット値を有し、第5のオフセット値は、PRBの整数倍であり、6個のPRBでない。任意選択で、同期信号ブロックの物理リソースブロック(physical resource block、PRB)グリッドは、24個のPRBを含み、24個のPRBは、時間領域において複数のOFDMシンボルを占有する。プライマリ同期信号およびセカンダリ同期信号内で同期シーケンス変調信号を運ぶサブキャリアの数は、それぞれ144である。物理ブロードキャストチャネル内で物理ブロードキャストチャネル変調信号を運ぶサブキャリアの数は、288である。
【０２０８】
図31に示される同期信号ブロックの構造が、例として使用される。図31は、PRBグリッドの4つの行を含む。図31に示される同期信号ブロックの構造に関して、この実施形態において、プライマリ同期信号およびセカンダリ同期信号は、それぞれ、周波数領域において12個の連続したPRBを含み、物理ブロードキャストチャネルは、周波数領域において24個の連続したPRBを含む。プライマリ同期信号の第1のPRBの左の境界およびセカンダリ同期信号の第1のPRBの左の境界は、それぞれ、周波数領域において物理ブロードキャストチャネルの第4のPRBの左の境界と位置を揃えられる。言い換えると、プライマリ同期信号の第1のサブキャリアおよびセカンダリ同期信号の第1のサブキャリアは、それぞれ、物理ブロードキャストチャネルの第37のサブキャリアと同じ周波数を有するか、または物理ブロードキャストチャネルの第37のサブキャリアと位置を揃えられる。
【０２０９】
他の可能な実装において、同期信号ブロックは、プライマリ同期信号(primary synchronized signal、PSS)、セカンダリ同期信号(secondary synchronized signal、SSS)、および物理ブロードキャストチャネルを含み、同期信号ブロックの物理リソースブロック(physical resource block、PRB)グリッドは、A個のPRBを含む。プライマリ同期信号内で同期シーケンス変調信号を運ぶサブキャリアの数は、Bであり、セカンダリ同期信号内で同期シーケンス変調信号を運ぶサブキャリアの数は、Bであり、物理ブロードキャストチャネル信号内で物理ブロードキャストチャネル変調信号を運ぶサブキャリアの数は、Cであり、A、B、およびCは、正の整数であり、Bは、Cと等しくない。周波数領域において、プライマリ同期信号内で同期シーケンス変調信号を運ぶ第1のサブキャリアおよびセカンダリ同期信号内で同期シーケンス変調信号を運ぶ第1のサブキャリアのうちの少なくとも一方は、物理ブロードキャストチャネル内で物理ブロードキャストチャネル変調信号を運ぶ第Dのサブキャリアと同じ周波数を有するか、または位置を揃えられ、Dは、1以上、C-B+1以下の整数であるが、73に等しくなく、またはDは、1以上、C-B+1以下の整数であり、12の整数倍+1であるが、73に等しくない。任意選択で、A個のPRBは、時間領域において複数のOFDMシンボルを占有する。
【０２１０】
他の可能な実装において、同期信号ブロックは、プライマリ同期信号(primary synchronized signal、PSS)、セカンダリ同期信号(secondary synchronized signal、SSS)、および物理ブロードキャストチャネルを含み、同期信号ブロックの物理リソースブロック(physical resource block、PRB)グリッドは、A個のPRBを含む。同期信号ブロックは、時間領域において複数のOFDMシンボルを占有し、同期信号ブロックの第2のOFDMシンボルおよび第3のOFDMシンボルは、連続しておらず、第2のシンボルと第3のシンボルとの間の距離は、1 OFDMシンボルである。任意選択で、A個のPRBは、時間領域において複数のOFDMシンボルを占有する。
【０２１１】
図32に示される同期信号ブロックの構造が、例として使用される。図32は、PRBグリッドの5つの行を含む。図32に示される同期信号ブロックの構造に関して、この実施形態の同期信号ブロックの物理リソースブロック(physical resource block、PRB)グリッドは、24個のPRBを含む。24個のPRBは、時間領域において複数のOFDMシンボルを占有し、同期信号ブロックの第2のOFDMシンボルおよび第3のOFDMシンボルは、連続しておらず、第2のシンボルと第3のシンボルとの間の距離は、1 OFDMシンボルである。
【０２１２】
他の可能な実装において、同期信号ブロックは、プライマリ同期信号(primary synchronized signal、PSS)、セカンダリ同期信号(secondary synchronized signal、SSS)、および物理ブロードキャストチャネルを含み、同期信号ブロックの物理リソースブロック(physical resource block、PRB)グリッドは、A個のPRBを含む。同期信号ブロックは、時間領域において複数のOFDMシンボルを占有し、同期信号ブロックの第3のOFDMシンボルおよび第4のOFDMシンボルは、連続しておらず、第3のシンボルと第4のシンボルとの間の距離は、1 OFDMシンボルである。任意選択で、A個のPRBは、時間領域において複数のOFDMシンボルを占有する。
【０２１３】
図33に示される同期信号ブロックの構造が、例として使用される。図33は、PRBグリッドの5つの行を含む。図33に示される同期信号ブロックの構造に関して、この実施形態の同期信号ブロックの物理リソースブロック(physical resource block、PRB)グリッドは、24個のPRBを含む。24個のPRBは、時間領域において複数のOFDMシンボルを占有し、同期信号ブロックの第3のOFDMシンボルおよび第4のOFDMシンボルは、連続しておらず、第3のシンボルと第4のシンボルとの間の距離は、1 OFDMシンボルである。
【０２１４】
当業者は、本出願の実施形態が方法、システム、またはコンピュータプログラム製品として提供され得ることを理解するはずである。したがって、本出願は、ハードウェアのみの実施形態、ソフトウェアのみの実施形態、またはソフトウェアとハードウェアとの組合せによる実施形態の形態を用いうる。さらに、本出願は、コンピュータが使用可能なプログラムコードを含む(ディスクメモリ、CD-ROM、光学式メモリなどを含むがこれらに限定されない)1つまたは複数のコンピュータが使用可能な記憶媒体上に実装されるコンピュータプログラム製品の形態を使用しうる。
【０２１５】
本出願は、本出願による方法、デバイス(システム)、およびコンピュータプログラム製品の流れ図および/またはブロック図を参照して説明されている。流れ図および/またはブロック図の各プロセスおよび/または各ブロックと、流れ図および/またはブロック図のプロセスおよび/またはブロックの組合せとを実装するためにコンピュータプログラム命令が使用され得ることを理解されたい。これらのコンピュータプログラム命令は、コンピュータまたは任意のその他のプログラミング可能なデータ処理デバイスのプロセッサによって実行される命令が流れ図の1つもしくは複数のプロセスおよび/またはブロック図の1つもしくは複数のブロックの特定の機能を実装するための装置を生成するようにマシンを生成するために多目的コンピュータ、専用コンピュータ、組み込みプロセッサ、または任意のその他のプログラミング可能なデータ処理デバイスのプロセッサのために提供されうる。
【０２１６】
これらのコンピュータプログラム命令は、コンピュータ可読メモリに記憶された命令が指示装置を含む製品を生成するように、特定の方法で働くようにコンピュータまたは任意のその他のプログラミング可能なデータ処理デバイスに命令することができるコンピュータ可読メモリに記憶され得る。指示装置は、流れ図の1つもしくは複数のプロセスおよび/またはブロック図の1つもしくは複数のブロックの規定された機能を実装する。
【０２１７】
また、これらのコンピュータプログラム命令は、一連の動作およびステップがコンピュータまたは他のプログラミング可能なデバイス上で実行され、それによって、コンピュータによって実施される処理を生成するようにコンピュータまたは他のプログラミング可能なデータ処理デバイスにロードされ得る。したがって、コンピュータまたは他のプログラミング可能なデバイス上で実行される命令が、流れ図の1つもしくは複数のプロセスおよび/またはブロック図の1つもしくは複数のブロックの特定の機能を実施するためのステップを提供する。
【符号の説明】
【０２１８】
110  ネットワークデバイス
120  端末デバイス
1101  分散ユニット、DU
1102  集約ユニット、CU
1901  トランシーバユニット
1902  処理ユニット
2001  プロセッサ
2002  通信モジュール
2003  メモリ
2101  処理ユニット
2102  トランシーバユニット
2201  プロセッサ
2202  通信モジュール
2203  メモリ
2301  トランシーバユニット
2302  処理ユニット
2401  プロセッサ
2402  通信モジュール
2403  メモリ
2501  端末デバイス
2502  ネットワークデバイス
【手続補正２】
【補正対象書類名】特許請求の範囲
【補正対象項目名】全文
【補正方法】変更
【補正の内容】
【特許請求の範囲】
【請求項１】
ワイヤレス通信のための方法であって、
位置情報を運ぶブロードキャストメッセージをネットワークデバイスから受信するステップであって、前記位置情報は、第1のサブキャリア間隔のシステム共通物理リソースブロック(PRB)グリッド内の第1のPRBの第2の位置と同期信号ブロックPRBグリッド内の第1の位置との間の相対的な位置関係を示し、前記第1の位置は、前記同期信号ブロックPRBグリッドの始まりである第2のPRBの第1のサブキャリアに対応し、前記第1のPRBは、前記第2のPRBの前記第1のサブキャリアと重なる、ステップを含む、方法。
【請求項２】
前記位置情報は、前記第1の位置と前記第2の位置との間の第1のオフセットがサブキャリア間隔の数Mであることを示し、Mは、0以上である、請求項1に記載の方法。
【請求項３】
前記位置情報は、前記第1の位置と前記第2の位置との間の第2のオフセットがサブキャリア間隔の数MとPRBの数Nとの和であることを示し、MおよびNは、0以上である、請求項1に記載の方法。
【請求項４】
前記第1のPRBは、制御リソースセットの開始PRBである、請求項3に記載の方法。
【請求項５】
Mは、予め設定された値の集合の値であり、前記予め設定された値の集合は、{0, 1, 2, 3, 4, 5, 6, 7, 8, 9, 10, 11, 12, 13, 14, 15, 16, 17, 18, 19, 20, 21, 22, 23}または{0, 1, 2, 3, 4, 5, 6, 7, 8, 9, 10, 11}である、請求項2から4のいずれか一項に記載の方法。
【請求項６】
前記予め設定された値の集合{0, 1, 2, 3, 4, 5, 6, 7, 8, 9, 10, 11, 12, 13, 14, 15, 16, 17, 18, 19, 20, 21, 22, 23}について、前記第1のサブキャリア間隔は、15kHzである、請求項5に記載の方法。
【請求項７】
前記予め設定された値の集合{0, 1, 2, 3, 4, 5, 6, 7, 8, 9, 10, 11}について、前記第1のサブキャリア間隔は、60kHzである、請求項5に記載の方法。
【請求項８】
前記第2の位置は、前記第1のPRBの境界の位置または中心の位置である、請求項1から7のいずれか一項に記載の方法。
【請求項９】
前記中心の位置は、前記第1のPRBの第7のサブキャリアであり、前記境界の位置は、前記第1のPRBの第1のサブキャリアまたは前記第1のPRBの第12のサブキャリアである、請求項8に記載の方法。
【請求項１０】
M個のサブキャリア間隔のサブキャリア間隔は、前記システム共通PRBグリッドのサブキャリア間隔である、請求項2から9のいずれか一項に記載の方法。
【請求項１１】
前記第1の位置および前記位置情報に基づいて前記システム共通PRBグリッド内の前記第1のPRBの前記第2の位置を決定するステップをさらに含む、請求項1から10のいずれか一項に記載の方法。
【請求項１２】
ワイヤレス通信のための方法であって、
位置情報を運ぶブロードキャストメッセージを端末デバイスに送信するステップであって、前記位置情報は、第1のサブキャリア間隔のシステム共通物理リソースブロック(PRB)グリッド内のPRBの第2の位置と同期信号ブロックPRBグリッド内の第1の位置との間の相対的な位置関係を示し、前記第1の位置は、前記同期信号ブロックPRBグリッドの始まりである第2のPRBの第1のサブキャリアに対応し、第1のPRBは、前記第2のPRBの前記第1のサブキャリアと重なる、ステップを含む、方法。
【請求項１３】
前記位置情報は、前記第1の位置と前記第2の位置との間の第1のオフセットがサブキャリア間隔の数Mであることを示し、Mは、0以上である、請求項12に記載の方法。
【請求項１４】
前記位置情報は、前記第1の位置と前記第2の位置との間の第2のオフセットがサブキャリア間隔の数MとPRBの数Nとの和であることを示し、MおよびNは、0以上である、請求項12に記載の方法。
【請求項１５】
前記第1のPRBは、制御リソースセットの開始PRBである、請求項14に記載の方法。
【請求項１６】
Mは、予め設定された値の集合の値であり、前記予め設定された値の集合は、{0, 1, 2, 3, 4, 5, 6, 7, 8, 9, 10, 11, 12, 13, 14, 15, 16, 17, 18, 19, 20, 21, 22, 23}または{0, 1, 2, 3, 4, 5, 6, 7, 8, 9, 10, 11}である、請求項13から15のいずれか一項に記載の方法。
【請求項１７】
前記予め設定された値の集合{0, 1, 2, 3, 4, 5, 6, 7, 8, 9, 10, 11, 12, 13, 14, 15, 16, 17, 18, 19, 20, 21, 22, 23}について、前記第1のサブキャリア間隔は、15kHzである、請求項16に記載の方法。
【請求項１８】
前記予め設定された値の集合{0, 1, 2, 3, 4, 5, 6, 7, 8, 9, 10, 11}について、前記第1のサブキャリア間隔は、60kHzである、請求項16に記載の方法。
【請求項１９】
前記第2の位置は、前記第1のPRBの境界の位置または中心の位置である、請求項12から18のいずれか一項に記載の方法。
【請求項２０】
前記中心の位置は、前記第1のPRBの第7のサブキャリアであり、前記境界の位置は、前記第1のPRBの第1のサブキャリアまたは前記第1のPRBの第12のサブキャリアである、請求項19に記載の方法。
【請求項２１】
M個のサブキャリア間隔のサブキャリア間隔は、前記システム共通PRBグリッドのサブキャリア間隔である、請求項12から20のいずれか一項に記載の方法。
【請求項２２】
前記システム共通PRBグリッド内の前記第1のPRBの前記第2の位置は、前記第1の位置および前記位置情報に基づいて決定される、請求項12から21のいずれか一項に記載の方法。
【請求項２３】
前記ブロードキャストメッセージまたは前記位置情報を生成するステップをさらに含む、請求項12から22のいずれか一項に記載の方法。
【請求項２４】
通信装置であって、
命令を記憶するように構成されたメモリと、
前記メモリに結合された1つまたは複数のプロセッサであって、前記装置に請求項1から11のいずれか一項に記載の方法を実行させるために前記命令を実行するように構成される、1つまたは複数のプロセッサとを含む通信装置。
【請求項２５】
通信装置であって、
命令を記憶するように構成されたメモリと、
前記メモリに結合された1つまたは複数のプロセッサであって、前記装置に請求項12から23のいずれか一項に記載の方法を実行させるために前記命令を実行するように構成される、1つまたは複数のプロセッサとを含む通信装置。
【請求項２６】
通信モジュールを含む装置であって、
前記通信モジュールは、位置情報を運ぶブロードキャストメッセージをネットワークデバイスから受信するように構成され、前記位置情報は、第1のサブキャリア間隔のシステム共通物理リソースブロック(PRB)グリッド内のPRBの第2の位置と同期信号ブロックPRBグリッド内の第1の位置との間の相対的な位置関係を示し、前記第1の位置は、前記同期信号ブロックPRBグリッドの始まりである第2のPRBの第1のサブキャリアに対応し、第1のPRBは、前記第2のPRBの前記第1のサブキャリアと重なる、装置。
【請求項２７】
通信モジュールを含む装置であって、
前記通信モジュールは、位置情報を運ぶブロードキャストメッセージを端末デバイスに送信するように構成され、前記位置情報は、第1のサブキャリア間隔のシステム共通物理リソースブロック(PRB)グリッド内のPRBの第2の位置と同期信号ブロックPRBグリッド内の第1の位置との間の相対的な位置関係を示し、前記第1の位置は、前記同期信号ブロックPRBグリッドの始まりである第2のPRBの第1のサブキャリアに対応し、第1のPRBは、前記第2のPRBの前記第1のサブキャリアと重なる、装置。
【請求項２８】
コンピュータによって実行されるときに請求項1から23のいずれか一項に記載の方法が実行される命令を含むコンピュータ可読媒体。
【請求項２９】
プロセッサによって実行されるときに請求項1から23のいずれか一項に記載の方法が実行される、プログラム。
【請求項３０】
請求項24に記載の第1の通信装置と、
請求項25に記載の第2の通信装置とを含む通信システム。
【国際調査報告】
2020530714.tif 000041
2020530714.tif 000042
2020530714.tif 000043
2020530714.tif 000044